(57)【要約】  送信装置（３１０１）は、所定のフレームフォーマットに従うフレームを生成する生成部（３１０２）と、生成部（３１０２）が生成したフレームを送信する通信部（３１０３）とを備え、所定のフレームフォーマットは、所定のフレームフォーマットに従うフレームを受信した装置による起動処理に関する情報が有効であるか否かを示す第一フィールドを含んでおり、さらに、上記情報が有効であることを第一フィールドが示しているときには、上記装置の識別情報を示す第二フィールドを含んでいる。
2019167915.tif 000002
【特許請求の範囲】
【請求項１】
所定のフレームフォーマットに従うフレームを生成する生成部と、
前記生成部が生成した前記フレームを送信する通信部とを備え、
前記所定のフレームフォーマットは、
前記所定のフレームフォーマットに従うフレームを受信した装置による起動処理に関する情報が有効であるか否かを示す第一フィールドを含んでおり、
さらに、前記情報が有効であることを前記第一フィールドが示しているときには、前記装置の識別情報を示す第二フィールドを含んでいる
送信装置。
【請求項２】
受信装置であって、
第一モード及び第二モードのいずれか一方の動作モードで動作する通信部と、
前記通信部が受信した、所定のフレームフォーマットに従う受信フレームに基づいて、前記通信部の動作モードを制御する制御部とを備え、
前記所定のフレームフォーマットは、
前記所定のフレームフォーマットに従うフレームを受信した装置による起動処理に関する情報が有効であるか否かを示す第一フィールドを含んでおり、
さらに、前記情報が有効であることを前記第一フィールドが示しているときには、前記装置の識別情報を示す第二フィールドを含んでおり、
前記第一モードは、前記第一フィールドを少なくとも含むフレームの受信待ちを前記通信部が行うモードであり、
前記第二モードは、通常のデータフレームの送受信を前記通信部が行うモードであり、
前記起動処理は、前記通信部を前記第一モードから前記第二モードに遷移させる処理であり、
前記制御部は、
前記通信部が前記第一モードで動作しているときに受信した前記受信フレームの第一フィールドが、前記情報が有効であることを示しており、かつ、前記受信フレームの第二フィールドが前記受信装置の識別子を示しているときに、前記起動処理を実行する
受信装置。
【請求項３】
前記受信装置は、さらに、
所定の機能に係る機能処理を実行する機能部を備え、
前記制御部は、
前記通信部が前記第二モードで動作しているときに受信したフレームに基づいて、前記機能部に前記機能処理を実行させる
請求項２に記載の受信装置。
【請求項４】
前記制御部は、
前記起動処理を実行するときに、さらに、前記機能部に前記機能処理を実行させる
請求項３に記載の受信装置。 
【請求項５】
前記第一モードは、前記第一フィールドを少なくとも含むフレームの受信待ちを前記通信部がするための専用のモードである
請求項２〜４のいずれか１項に記載の受信装置。 
【請求項６】
所定のフレームフォーマットに従うフレームを生成する生成ステップと、
前記生成ステップで生成した前記フレームを送信する送信ステップとを含み、
前記所定のフレームフォーマットは、
前記所定のフレームフォーマットに従うフレームを受信した装置による起動処理に関する情報が有効であるか否かを示す第一フィールドを含んでおり、
さらに、前記情報が有効であることを前記第一フィールドが示しているときには、前記装置の識別情報を示す第二フィールドを含んでいる
送信方法。 
【請求項７】
受信装置が実行する受信方法であって、
前記受信装置は、
第一モード及び第二モードのいずれか一方の動作モードで動作する通信部を備え、
前記受信方法は、
前記通信部によりフレームを受信する受信ステップと、
前記通信部が受信した前記フレームである、所定のフレームフォーマットに従う受信フレームに基づいて、前記通信部の動作モードを制御する制御ステップを含み、
前記所定のフレームフォーマットは、
前記所定のフレームフォーマットに従うフレームを受信した装置による起動処理に関する情報が有効であるか否かを示す第一フィールドを含んでおり、
さらに、前記情報が有効であることを前記第一フィールドが示しているときには、前記装置の識別情報を示す第二フィールドを含んでおり、
前記第一モードは、前記第一フィールドを少なくとも含むフレームの受信待ちを前記通信部が行うモードであり、
前記第二モードは、通常のデータフレームの送受信を前記通信部が行うモードであり、
前記起動処理は、前記通信部を前記第一モードから前記第二モードに遷移させる処理であり、
前記制御ステップは、
前記通信部が前記第一モードで動作しているときに受信した前記受信フレームの第一フィールドが、前記情報が有効であることを示しており、かつ、前記受信フレームの第二フィールドが前記受信装置の識別子を示しているときに、前記起動処理を実行する
受信方法。
【発明の詳細な説明】
【技術分野】
【０００１】
本開示は、送信装置、受信装置、送信方法、及び、受信方法に関する。
【背景技術】
【０００２】
特許文献１には、第１の通信方式のための通信機能と第２の通信方式のための通信機能を有する第１の通信装置が開示されている。第１の通信装置は、第２の通信装置と第１の通信方式により通信を行っている。【０００３】
そして、「第１の通信装置が具備する第２の通信方式のための通信機能の動作」を起動するために、第２の通信装置が、第２の通信方式の起動のための制御情報を含む変調信号を、第１の通信方式を用いて送信する。
【先行技術文献】
【特許文献】
【０００４】
【特許文献１】国際公開第２０１６／１８９９３３号
【発明の概要】
【発明が解決しようとする課題】
【０００５】
特許文献１では、上記の構成により第１の通信装置の消費電力が低減できること、通信オーバーヘッドの削減について言及されている。しかしながら、第１の通信装置を具備する装置、および、第１の通信装置を具備するシステムには、例えば、消費電力のさらなる低減、第１の通信方式を用いた新たな機能の提供、複数の通信方式を組み合わせた新たな機能の提供などが要望されている。【０００６】
そこで、本開示は、新たな機能を提供し得る送信装置などを提供する。
【課題を解決するための手段】
【０００７】
本開示の一態様の送信装置は、所定のフレームフォーマットに従うフレームを生成する生成部と、前記生成部が生成した前記フレームを送信する通信部とを備え、前記所定のフレームフォーマットは、前記所定のフレームフォーマットに従うフレームを受信した装置による起動処理に関する情報が有効であるか否かを示す第一フィールドを含んでおり、さらに、前記情報が有効であることを前記第一フィールドが示しているときには、前記装置の識別情報を示す第二フィールドを含んでいる。【０００８】
これによれば、送信装置は、フレームを受信した装置による起動処理の実行を適切に制御するという新たな機能を提供し得る。例えば、受信装置の処理負荷及び消費電力の低減に寄与し得る。【０００９】
また、本開示の一態様の受信装置は、第一モード及び第二モードのいずれか一方の動作モードで動作する通信部と、前記通信部が受信した、所定のフレームフォーマットに従う受信フレームに基づいて、前記通信部の動作モードを制御する制御部とを備え、前記所定のフレームフォーマットは、前記所定のフレームフォーマットに従うフレームを受信した装置による起動処理に関する情報が有効であるか否かを示す第一フィールドを含んでおり、さらに、前記情報が有効であることを前記第一フィールドが示しているときには、前記装置の識別情報を示す第二フィールドを含んでおり、前記第一モードは、前記第一フィールドを少なくとも含むフレームの受信待ちを前記通信部が行うモードであり、前記第二モードは、通常のデータフレームの送受信を前記通信部が行うモードであり、前記起動処理は、前記通信部を前記第一モードから前記第二モードに遷移させる処理であり、前記制御部は、前記通信部が前記第一モードで動作しているときに受信した前記受信フレームの第一フィールドが、前記情報が有効であることを示しており、かつ、前記受信フレームの第二フィールドが前記受信装置の識別子を示しているときに、前記起動処理を実行する。【００１０】
これによれば、受信装置は、受信したフレームに基づいて起動処理の実行を適切に制御するという新たな機能を提供し得る。例えば、受信装置の処理負荷及び消費電力の低減に寄与し得る。【００１１】
例えば、前記受信装置は、さらに、所定の機能に係る機能処理を実行する機能部を備え、前記制御部は、前記通信部が前記第二モードで動作しているときに受信したフレームに基づいて、前記機能部に前記機能処理を実行させる。【００１２】
これによれば、受信装置が備えている所定の機能、例えば受信装置がテレビであるときにおけるがテレビ放送を受信し画像を表示する機能の実行を、受信したフレームによって適切に制御することができる。【００１３】
例えば、前記制御部は、前記起動処理を実行するときに、さらに、前記機能部に前記機能処理を実行させる。【００１４】
これによれば、受信装置が備えている所定の機能を、起動処理の実行とともに適切に制御することができる。【００１５】
例えば、前記第一モードは、前記第一フィールドを少なくとも含むフレームの受信待ちを前記通信部がするための専用のモードである。【００１６】
これによれば、受信装置は、第一のフィールドの受信待ちのための専用のモードを用いることによって、通常のデータフレームの送受信をするより低い処理負荷で、かつ低い消費電力で動作しながら、起動処理の実行を適切に制御することができる。【００１７】
本開示の一態様の送信方法は、所定のフレームフォーマットに従うフレームを生成する生成ステップと、前記生成ステップで生成した前記フレームを送信する送信ステップとを含み、前記所定のフレームフォーマットは、前記所定のフレームフォーマットに従うフレームを受信した装置による起動処理に関する情報が有効であるか否かを示す第一フィールドを含んでおり、さらに、前記情報が有効であることを前記第一フィールドが示しているときには、前記装置の識別情報を示す第二フィールドを含んでいる。【００１８】
これによれば、上記送信装置と同様の効果を奏する。【００１９】
また、本開示の一態様の受信方法は、受信装置が実行する受信方法であって、前記受信装置は、第一モード及び第二モードのいずれか一方の動作モードで動作する通信部を備え、前記受信方法は、前記通信部によりフレームを受信する受信ステップと、前記通信部が受信した前記フレームである、所定のフレームフォーマットに従う受信フレームに基づいて、前記通信部の動作モードを制御する制御ステップを含み、前記所定のフレームフォーマットは、前記所定のフレームフォーマットに従うフレームを受信した装置による起動処理に関する情報が有効であるか否かを示す第一フィールドを含んでおり、さらに、前記情報が有効であることを前記第一フィールドが示しているときには、前記装置の識別情報を示す第二フィールドを含んでおり、前記第一モードは、前記第一フィールドを少なくとも含むフレームの受信待ちを前記通信部が行うモードであり、前記第二モードは、通常のデータフレームの送受信を前記通信部が行うモードであり、前記起動処理は、前記通信部を前記第一モードから前記第二モードに遷移させる処理であり、前記制御ステップは、前記通信部が前記第一モードで動作しているときに受信した前記受信フレームの第一フィールドが、前記情報が有効であることを示しており、かつ、前記受信フレームの第二フィールドが前記受信装置の識別子を示しているときに、前記起動処理を実行する。【００２０】
これによれば、上記受信装置と同様の効果を奏する。【００２１】
なお、これらの包括的または具体的な態様は、システム、方式、集積回路、コンピュータプログラムまたはコンピュータ読み取り可能なＣＤ−ＲＯＭなどの記録媒体で実現されていてもよく、システム、方法、集積回路、コンピュータプログラムおよび記録媒体の任意なくみあわせで実現されていてもよい。
【発明の効果】
【００２２】
本開示によれば、第１の通信装置を具備する装置、および、第１の通信装置を具備するシステムに関して、例えば、消費電力のさらなる低減、第１の通信方式を用いた新たな機能の提供、複数の通信方式を組み合わせた新たな機能の提供などの様々な要望のうちの一つまたは複数の実現を促進、または貢献することができる。
【図面の簡単な説明】
【００２３】
【図１】図１は、システム構成の一例を示す図である。
【図２】図２は、通信装置の構成の一例を示す図である。
【図３】図３は、通信装置の構成の一例を示す図である。
【図４】図４は、通信装置と端末間の通信の一例を示す図である。
【図５】図５は、通信装置と端末間の通信の一例を示す図である。
【図６】図６は、通信装置と端末間の通信の一例を示す図である。
【図７】図７は、フレーム構成の一例を示す図である。
【図８】図８は、フレーム構成の一例を示す図である。
【図９】図９は、フレーム構成の一例を示す図である。
【図１０】図１０は、システム構成の一例を示す図である。
【図１１】図１１は、システム構成の一例を示す図である。
【図１２】図１２は、通信装置と端末間の通信の一例を示す図である。
【図１３】図１３は、通信装置と端末間の通信の一例を示す図である。
【図１４】図１４は、通信装置と端末間の通信の一例を示す図である。
【図１５】図１５は、通信装置と端末間の通信の一例を示す図である。
【図１６】図１６は、通信装置と端末間の通信の一例を示す図である。
【図１７】図１７は、通信装置と端末間の通信の一例を示す図である。
【図１８】図１８は、システム構成の一例を示す図である。
【図１９】図１９は、通信システムの構成の一例を示す図である。
【図２０】図２０は、通信の流れの一例を示す図である。
【図２１】図２１は、通信装置の構成の一例を示す図である。
【図２２】図２２は、サーバーの構成の一例を示す図である。
【図２３】図２３は、動作の一例を示す図である。
【図２４】図２４は、通信システムの構成の一例を示す図である。
【図２５】図２５は、動作の一例を示す図である。
【図２６】図２６は、通信システムの構成の一例を示す図である。
【図２７】図２７は、通信の流れの一例を示す図である。
【図２８】図２８は、動作の一例を示す図である。
【図２９】図２９は、通信システムの構成の一例を示す図である。
【図３０】図３０は、動作の一例を示す図である。
【図３１】図３１は、送信装置の構成の一例を示す図である。
【図３２】図３２は、受信装置の構成の一例を示す図である。
【図３３】図３３は、送信装置の処理の一例を示す図である。
【図３４】図３４は、受信装置の処理の一例を示す図である。
【図３５】図３５は、基地局および端末の動作例を示す図である。
【図３６】図３６は、基地局および端末の動作例を示す図である。
【図３７】図３７は、サーバー、通信装置及び端末間の通信の一例を示す図である。
【図３８】図３８は、サーバー、通信装置及び端末間の通信の一例を示す図である。
【図３９】図３９は、通信装置と端末間の通信の一例を示す図である。
【図４０】図４０は、通信装置と端末間の通信の一例を示す図である。
【図４１】図４１は、通信装置と端末間の通信の一例を示す図である。
【図４２】図４２は、通信装置と端末間の通信の一例を示す図である。
【図４３】図４３は、変調信号のフレーム構成の一例を示す図である。
【図４４】図４４は、変調信号のフレーム構成の一例を示す図である。
【図４５】図４５は、変調信号のフレーム構成の一例を示す図である。
【発明を実施するための形態】
【００２４】
以降において、複数の通信方式を用いて通信を行う機能を有する、または複数の通信装置を具備する装置の説明を行う。
【００２５】
（実施の形態１）
図１は、本実施の形態における通信システムの構成の一例を示している。
【００２６】
１０１の端末＃１は、第１の通信方式を用いて、通信装置１０３と通信を行う。例えば、１０１の端末＃１は、データを含む第１の通信方式の変調信号を生成し、通信装置１０３に送信する。そして、通信装置１０３は、この変調信号を受信し、復調、誤り訂正復号などの処理を行い、データを得る。
【００２７】
また、通信装置１０３はデータを含む第１の通信方式の変調信号を生成し、１０１の端末＃１に送信する。そして、１０１の端末＃１は、この変調信号を受信し、復調、誤り訂正復号などの処理を行い、データを得る。
【００２８】
１０１の端末＃１は、第２の通信方式を用いて、１００＿１の基地局＃Ａと通信を行う。例えば、１０１の端末＃１は、データを含む第２の通信方式の変調信号を生成し、１００＿１の基地局＃Ａに送信する。そして、１００＿１の基地局＃Ａは、この変調信号を受信し、復調、誤り訂正復号などの処理を行い、データを得る。
【００２９】
また、１００＿１の基地局＃Ａはデータを含む第２の通信方式の変調信号を生成し、１０１の端末＃１に送信する。そして、１０１の端末＃１は、この変調信号を受信し、復調、誤り訂正復号などの処理を行い、データを得る。
【００３０】
１０１の端末＃１は、第３の通信方式を用いて、１００＿２の基地局＃Ｂと通信を行う。例えば、１０１の端末＃１は、データを含む第３の通信方式の変調信号を生成し、１００＿２の基地局＃Ｂに送信する。そして、１００＿２の基地局＃Ｂは、この変調信号を受信し、復調、誤り訂正復号などの処理を行い、データを得る。
【００３１】
通信装置１０３は、例えば、他の装置から得たデータを、例えば、ネットワーク１０６を介し、例えば、サーバーなどに伝送する。なお、データの流れは１０８、１０５の順となる。
【００３２】
また、通信装置１０３は、他の装置から得たデータを、ネットワーク１０６を介し、例えば、サーバーなどの装置に伝送する。なお、データの流れは１０４、１０７の順となる。
【００３３】
図２は、図１の１０１の端末＃１の構成の一例を示している。図２の送受信装置２０５は、第１の通信方式の送信のための処理、および、受信のための処理を行う部分となる。
【００３４】
第１の送受信装置２０５は、データ２０７を入力とし、第１の通信方式のための、誤り訂正符号化、変調、周波数変換等の処理を施し、第１の通信方式の変調信号２０４を生成し、出力する。そして、第１の通信方式の変調信号２０４は、アンテナ２０３から、電波として出力される。
【００３５】
また、第１の送受信装置２０５は、アンテナ２０１で受信した、第１の通信方式の変調信号２０２を入力とし、復調、誤り訂正復号などの処理を行い、データ２０６を得る。
【００３６】
制御判断部２０８は、データ２０６を入力とし、「第２の送受信装置２１５を起動する（wake up）かどうか」の判断、および、「第３の送受信装置２２５を起動する（wake up）かどうか」の判断、および、「機器動作機能２１０を起動する（wake up）かどうか」の判断を行い、これらの判断の情報を含む制御信号２０９を出力する。
【００３７】
第２の送受信装置２１５は、制御信号２０９を入力とし、「第２の送受信装置２１５を起動する（wake up）かどうか」の判断の情報を得る。
【００３８】
このとき、「第２の送受信装置２１５を起動する（wake up）」という判断であった場合、第２の送受信装置２１５は装置自身の動作がスリープ状態であった場合、第２の送受信装置２１５は起動（wake up）し、通信を開始することになる。
【００３９】
「第２の送受信装置２１５を起動（wake up）しない」という判断であった場合、第２の送受信装置２１５は、装置自身の動作がスリープ状態であった場合、そのまま、第２の送受信装置２１５はスリープ状態を維持することになる。なお、第２の送受信装置２１５が、動作している場合、第２の送受信装置２１５はスリープ状態となってもよい。
【００４０】
そして、第２の送受信装置２１５、第３の送受信装置２２５、および、機器動作機能２１０は、動作制御信号２５０を入力としている。第２の送受信装置２１５は、動作制御信号２５０に含まれる第２の送受信装置の動作に関する制御情報により制御されることになる。例えば、第２の送受信装置の動作に関する制御情報が、「第２の送受信装置２１５の動作を停止し、スタンバイの状態に移行」という情報であった場合、第２の送受信装置２１５は動作を停止し、スタンバイ状態に移行する。これにより、第２の送受信装置２１５は、消費電力を低減することができる。
【００４１】
以上のように、第２の送受信装置２１５は、制御信号２０９、動作制御信号２５０により、必要となるときだけ、通信の機能を動作させることにより、消費電力を低減することができるという効果を得ることができる。
【００４２】
また、制御信号２０９に「第２の送受信装置２１５を起動する（wake up）かどうか」の判断の情報以外に、「第２の送受信装置２１５をスリープ状態にするための制御情報」が含まれていてもよい。この点については、後で説明を行う。
【００４３】
同様に、第３の送受信装置２２５は、制御信号２０９を入力とし、「第３の送受信装置２２５を起動する（wake up）かどうか」の判断の情報を得る。
【００４４】
このとき、「第３の送受信装置２２５を起動する（wake up）」という判断であった場合、第３の送受信装置２２５は装置自身の動作がスリープ状態であった場合、第３の送受信装置２２５は起動（wake up）し、通信を開始することになる。
【００４５】
「第３の送受信装置２２５を起動（wake up）しない」という判断であった場合、第３の送受信装置２２５は、装置自身の動作がスリープ状態であった場合、そのまま、第３の送受信装置２２５はスリープ状態を維持することになる。なお、第３の送受信装置２２５が、動作している場合、第３の送受信装置２２５はスリープ状態となってもよい。
【００４６】
そして、第２の送受信装置２１５、第３の送受信装置２２５、および、機器動作機能２１０は、動作制御信号２５０を入力としている。第３の送受信装置２２５は、動作制御信号２５０に含まれる第３の送受信装置の動作に関する制御情報により制御されることになる。例えば、第３の送受信装置の動作に関する制御情報が、「第３の送受信装置２２５の動作を停止し、スタンバイの状態に移行」という情報であった場合、第３の送受信装置２２５は動作を停止し、スタンバイ状態に移行する。これにより、第３の送受信装置２２５は、消費電力を低減することができる。
【００４７】
以上のように、第３の送受信装置２２５は、制御信号２０９、動作制御信号２５０により、必要となるときだけ、通信の機能を動作させることにより、消費電力を低減することができるという効果を得ることができる。
【００４８】
また、制御信号２０９に「第３の送受信装置２２５を起動する（wake up）かどうか」の判断の情報以外に、「第３の送受信装置２２５をスリープ状態にするための制御情報」が含まれていてもよい。この点については、後で説明を行う。
【００４９】
機器動作機能２１０は、制御信号２０９を入力とし、「機器動作機能２１０を起動する（wake up）かどうか」の判断の情報を得る。
【００５０】
このとき、「機器動作機能２１０を起動する（wake up）」という判断であった場合、機器動作機能２１０は、装置自身の動作がスリープ状態であった場合、機器動作機能２１０は起動（wake up）することになる。
【００５１】
「機器動作機能２１０を起動（wake up）しない」という判断であった場合、機器動作機能２１０は、装置自身の動作がスリープ状態であった場合、そのまま、機器動作機能２１０はスリープ状態を維持することになる。なお、機器動作機能２１０が、動作している場合、機器動作機能２１０はスリープ状態となってもよい。
【００５２】
そして、第２の送受信装置２１５、第３の送受信装置２２５、および、機器動作機能２１０は、動作制御信号２５０を入力としている。機器動作機能２１０は、動作制御信号２５０に含まれる機器動作機能の動作に関する制御情報により制御されることになる。例えば、機器動作機能２１０の動作に関する制御情報が、「機器動作機能２１０の動作を停止し、スタンバイの状態に移行」という情報であった場合、機器動作機能２１０は動作を停止し、スタンバイ状態に移行する。これにより、機器動作機能２１０は、消費電力を低減することができる。
【００５３】
以上のように、機器動作機能２１０は、制御信号２０９、動作制御信号２５０により、必要となるときだけ、機器動作の機能を動作させることにより、消費電力を低減することができるという効果を得ることができる。
【００５４】
また、制御信号２０９に「機器動作機能２１０を起動する（wake up）かどうか」の判断の情報以外に、「機器動作機能２１０をスリープ状態にするための制御情報」が含まれていてもよい。この点については、後で説明を行う。
【００５５】
なお、「機器動作機能」とは、通信以外の装置の動作の機能であるものとする。一例として、図２の装置が車に搭載されている場合、「機器動作機能」は車に関連する動作の機能となる。
【００５６】
また、別の例として、図２の装置が家庭用電気機械器具（家電）に搭載されている場合、「機器動作機能」は家庭用電気機械器具（家電）に関連する動作の機能となる。例えば、図２の装置がコンピュータに搭載されている場合、「機器動作機能」はコンピュータに関連する動作の機能となる。また、図２の装置がテレビに搭載されている場合、「機器動作機能」はテレビに関連する動作の機能となる。なお、例として、車、家庭用電気機械器具（家電）をあげて説明しているが、通信以外の装置はこれに限ったものではない。
【００５７】
図３は、図１の１０１の端末＃１の構成の図２とは異なる例を示している。図３が図２と異なる点は、第１の送受信装置２０５が制御信号２０９を入力としている点である。なお、図３において、図２と同様に動作するものについては、同一符号を付しており、説明を省略する。
【００５８】
制御判断部２０８は、データ２０６を入力とし、「第１の送受信装置２０５の送信機能を起動する（wake up）かどうか」の判断、および、「第２の送受信装置２１５を起動する（wake up）かどうか」の判断、および、「第３の送受信装置２２５を起動する（wake up）かどうか」の判断、および、「機器動作機能２１０を起動する（wake up）かどうか」の判断を行い、これらの判断の情報を含む制御信号２０９を出力する。
【００５９】
第１の送受信装置２０５は、制御信号２０９を入力とし、「第１の送受信装置２０５の送信機能を起動する（wake up）かどうか」の判断の情報を得る。
【００６０】
このとき、「第１の送受信装置２０５の送信機能を起動する（wake up）」という判断であった場合、第１の送受信装置２０５の送信機能がスリープ状態であった場合、第１の送受信装置２０５の送信機能は起動されることになる。
【００６１】
「第１の送受信装置２０５の送信機能を起動（wake up）しない」という判断であった場合、第１の送受信装置２０５の送信機能がスリープ状態であった場合、そのまま、第１の送受信装置２０５の送信機能はスリープ状態を維持することになる。なお、第１の送受信装置２０５の送信機能は動作している場合、第１の送受信装置２０５の送信機能はスリープ状態となってもよい。
【００６２】
そして、第１の送受信装置２０５は、第２の送受信装置２１５、第３の送受信装置２２５、および、機器動作機能２１０は、動作制御信号２５０を入力としている。第１の送受信装置２０５は、動作制御信号２５０に含まれる第１の送信装置の送信機能の動作に関する制御情報により制御されることになる。例えば、第１の送信装置の送信機能の動作に関する制御情報が、「第１の送受信装置２０５の送信機能の動作を停止し、スタンバイの状態に移行」という情報であった場合、第１の送受信装置２０５の送信機能の動作を停止し、スタンバイ状態に移行する。これにより、第１の送受信装置２０５は、消費電力を低減することができる。
【００６３】
以上のように、第１の送受信装置２０５は、制御信号２０９、動作制御信号２５０により、必要となるときだけ、通信の機能を動作させることにより、消費電力を低減することができるという効果を得ることができる。
【００６４】
また、制御信号２０９に「第１の送受信装置２０５の送信機能を起動する（wake up）かどうか」の判断の情報以外に、「第１の送受信装置２０５の送信機能をスリープ状態にするための制御情報」が含まれていてもよい。この点については、後で説明を行う。
【００６５】
図４は、図１の通信装置１０３、１０１の端末＃１の時間軸における通信の流れの一例を示しており、図４において横軸は時間とする。
【００６６】
図４の４００は通信装置１０３の時間軸における通信の例が示されている。
【００６７】
そして、図４の４５１は、１０１の端末＃１の第１の送受信装置２０５の時間軸における通信の例が示されている。
【００６８】
図４の４５２は、１０１の端末＃１の第２の送受信装置２１５の時間軸における通信の例が示されている。
【００６９】
図４の４５３は、１０１の端末＃１の第３の送受信装置２２５の時間軸における通信の例が示されている。
【００７０】
図４に示すように、まず、通信装置１０３は、「起動用フレーム送信」を行う（４０１）。なお、ここでの例では、「起動用フレーム送信」（４０１）は、「１０１の端末＃１の第２の送受信装置２１５を起動する（wake up）」という情報が含まれているものとする。また、「起動用フレーム送信」（４０１）は、第１の通信方式に基づいた変調信号で構成されているものとする。
【００７１】
すると、１０１の端末＃１の第１の送受信装置２０５は、「起動用フレーム」４０１を受信することになる。そして、１０１の端末＃１の第１の送受信装置２０５は、「起動用フレーム」４０１の復調などの処理を行い、「１０１の端末＃１の第２の送受信装置２１５を起動する（wake up）」という情報を得ることになる。
【００７２】
よって、図４に示すように、１０１の端末＃１の第２の送受信装置２１５は起動する（wake up）ことになる。そして、図１の１００＿１の基地局＃Ａと１０１の端末＃１（の第２の送受信装置２１５）は、通信を開始することになる。
【００７３】
図４では、例として、通信開始後、１０１の端末＃１の第２の送受信装置２１５が「フレーム」を送信（４１１）することを示している。
【００７４】
なお、図４の「起動フレーム」４０１は、「１０１の端末＃１の機器動作機能２１０を起動する（wake up）」という情報が含まれていてもよい。このとき、１０１の端末＃１は、「起動フレーム」４０１に基づき、機器動作機能２１０を起動させることになる。
【００７５】
また、図４の「起動フレーム」４０１は、「１０１の端末の第１の送受信装置２０５の送信機能を起動する（wake up）」という情報が含まれていてもよい。このとき、１０１の端末＃１は、「起動フレーム」４０１に基づき、１０１の端末の第１の送受信装置２０５の送信機能を起動させることになる。
【００７６】
この場合、「起動用フレーム送信」により、同時に複数の装置の起動（wake up）を行っており、これにより、複数回「起動用フレーム」を送信しなくてもよいため、データの伝送速度の高速化を図ることができるという利点がある。
【００７７】
図５は、図１の通信装置１０３、１０１の端末＃１の時間軸における通信の流れの一例を示しており、図５において横軸は時間とする。
【００７８】
図５の４００は通信装置１０３の時間軸における通信の例が示されている。
【００７９】
そして、図５の４５１は、１０１の端末＃１の第１の送受信装置２０５の時間軸における通信の例が示されている。
【００８０】
図５の４５２は、１０１の端末＃１の第２の送受信装置２１５の時間軸における通信の例が示されている。
【００８１】
図５の４５３は、１０１の端末＃１の第３の送受信装置２２５の時間軸における通信の例が示されている。
【００８２】
図５に示すように、まず、通信装置１０３は、「起動用フレーム送信」を行う（４０１）。なお、ここでの例では、「起動用フレーム送信」（４０１）は、「１０１の端末＃１の第３の送受信装置２２５を起動する（wake up）」という情報が含まれているものとする。また、「起動用フレーム送信」（４０１）は、第１の通信方式に基づいた変調信号で構成されているものとする。
【００８３】
すると、１０１の端末＃１の第１の送受信装置２０５は、「起動用フレーム」４０１を受信することになる。そして、１０１の端末＃１の第１の送受信装置２０５は、「起動用フレーム」４０１の復調などの処理を行い、「１０１の端末＃１の第３の送受信装置２２５を起動する（wake up）」という情報を得ることになる。
【００８４】
よって、図５に示すように、１０１の端末＃１の第３の送受信装置２２５は起動する（wake up）ことになる。よって、図１の１００＿２の基地局＃Ｂと１０１の端末＃１（の第３の送受信装置２２５）は、通信を開始することになる。
【００８５】
図５では、例として、通信開始後、１０１の端末＃１の第３の送受信装置２２５が「フレーム」を送信（４２１）することを示している。
【００８６】
また、通信装置１０３は、「起動用フレーム送信」を行う（４０２）。なお、ここでの例では、「起動用フレーム送信」（４０２）は、「１０１の端末＃１の第２の送受信装置２１５を起動する（wake up）」という情報が含まれているものとする。また、「起動用フレーム送信」（４０２）は、第１の通信方式に基づいた変調信号で構成されているものとする。
【００８７】
すると、１０１の端末＃１の第１の送受信装置２０５は、「起動用クレーム」４０２を受信することになる。そして、１０１の端末＃１の第１の送受信装置２０５は、「起動用フレーム」４０２の復調などの処理を行い、「１０１の端末＃１の第２の送受信装置２１５を起動する（wake up）」という情報を得ることになる。
【００８８】
よって、図５に示すように、１０１の端末＃１の第２の送受信装置２１５は起動する（wake up）ことになる。そして、図１の１００＿１の基地局＃Ａと１０１の端末＃１（の第２の送受信装置２２１５）は通信開始することになる。
【００８９】
図５では、例として、通信開始後、１０１の端末＃１の第２の送受信装置２１５が「フレーム」を送信（４１２）することを示している。
【００９０】
なお、図５の「起動フレーム」４０１は、「１０１の端末＃１の機器動作機能２１０を起動する（wake up）」という情報が含まれていてもよい。このとき、１０１の端末＃１は、「起動フレーム」４０１に基づき、機器動作機能２１０を起動させることになる。
【００９１】
また、図５の「起動フレーム」４０１は、「１０１の端末の第１の送受信装置２０５の送信機能を起動する（wake up）」という情報が含まれていてもよい。このとき、１０１の端末＃１は、「起動フレーム」４０１に基づき、１０１の端末の第１の送受信装置２０５の送信機能を起動させることになる。
【００９２】
そして、図５の「起動フレーム」４０２は、「１０１の端末＃１の機器動作機能２１０を起動する（wake up）」という情報が含まれていてもよい。このとき、１０１の端末＃１は、「起動フレーム」４０２に基づき、機器動作機能２１０を起動させることになる。
【００９３】
また、図５の「起動フレーム」４０２は、「１０１の端末の第１の送受信装置２０５の送信機能を起動する（wake up）」という情報が含まれていてもよい。このとき、１０１の端末＃１は、「起動フレーム」４０２に基づき、１０１の端末の第１の送受信装置２０５の送信機能を起動させることになる。
【００９４】
この場合、「起動用フレーム送信」により、同時に複数の装置の起動（wake up）を行っており、これにより、複数回「起動用フレーム」を送信しなくてもよいため、データの伝送速度の高速化を図ることができるという利点がある。
【００９５】
図６は、図１の通信装置１０３、１０１の端末＃１の時間軸における通信の流れの一例を示しており、図６において横軸は時間とする。
【００９６】
図６の４００は通信装置１０３の時間軸における通信の例が示されている。
【００９７】
そして、図６の４５１は、１０１の端末＃１の第１の送受信装置２０５の時間軸における通信の例が示されている。
【００９８】
図６の４５２は、１０１の端末＃１の第２の送受信装置２１５の時間軸における通信の例が示されている。
【００９９】
図６の４５３は、１０１の端末＃１の第３の送受信装置２２５の時間軸における通信の例が示されている。
【０１００】
図６に示すように、通信装置１０３は、「起動用フレーム送信」を行う（４０１）。なお、ここでの例では、「起動用フレーム送信」（４０１）は、「１０１の端末＃１の第２の送受信装置２１５を起動する（wake up）」という情報、および、「１０１の端末＃１の第３の送受信装置２２５を起動する（wake up）」という情報が含まれているものとする。また、「起動用フレーム送信」（４０１）は、第１の通信方式に基づいた変調信号で構成されているものとする。このように、「起動用フレーム送信」により、同時に複数の通信方式の起動（wake up）を行ってもよく、これにより、複数回「起動用フレーム」を送信しなくてもよいため、データの伝送速度の高速化を図ることができるという利点がある。
【０１０１】
１０１の端末＃１の第１の送受信装置２０５は、「起動用フレーム」４０１を受信することになる。そして、１０１の端末＃１の第１の送受信装置２０５は、「起動用フレーム」４０１の復調などの処理を行い、「１０１の端末＃１の第２の送受信装置２１５を起動する（wake up）」という情報、および、「１０１の端末＃１の第３の送受信装置２２５を起動する（wake up）」という情報を得ることになる。
【０１０２】
よって、図６に示すように、１０１の端末＃１の第２の送受信装置２１５が起動（wake up）し、さらに、１０１の端末＃１の第３の送受信装置２２５も起動（wake up）することになる。そして、図１の１００＿１の基地局＃Ａと１０１の端末＃１（の第２の送受信装置２１５）は、通信を開始することになり、さらに、図１の１００＿２の基地局＃Ｂと１０１の端末＃１（の第３の送受信装置２２５）は、通信を開始することになる。
【０１０３】
図６では、例として、通信開始後、１０１の端末＃１の第２の送受信装置２１５が「フレーム」を送信（４１３）することを示しており、さらに、１０１の端末＃１の第３の送受信装置２２５が「フレーム」を送信（４２２）することを示している。
【０１０４】
なお、図６の「起動フレーム」４０１は、「１０１の端末＃１の機器動作機能２１０を起動する（wake up）」という情報が含まれていてもよい。このとき、１０１の端末＃１は、「起動フレーム」４０１に基づき、機器動作機能２１０を起動させることになる。
【０１０５】
また、図６の「起動フレーム」４０１は、「１０１の端末の第１の送受信装置２０５の送信機能を起動する（wake up）」という情報が含まれていてもよい。このとき、１０１の端末＃１は、「起動フレーム」４０１に基づき、１０１の端末の第１の送受信装置２０５の送信機能を起動させることになる。
【０１０６】
この場合、「起動用フレーム送信」により、同時に複数の装置の起動（wake up）を行っており、これにより、複数回「起動用フレーム」を送信しなくてもよいため、データの伝送速度の高速化を図ることができるという利点がある。
【０１０７】
次に、図４、図５、図６における「図１の通信装置１０３、１０１の端末＃１の時間軸における通信の流れ」において、「起動（wake up）」後の動作の例について説明する。
【０１０８】
例えば、図４において、１０１の端末＃１の第１の送受信装置２０５が、「起動フレーム」４０１を受信後、１０１の端末＃１の第２の送受信装置２１５が起動する。以下では、その後の動作例を説明する。
【０１０９】
１０１の端末＃１の第１の送受信装置２０５が、「起動フレーム」４０１を受信後、１０１の端末＃１の第２の送受信装置２１５が起動するが、このとき、１０１の端末＃１の第２の送受信装置２１５の通信相手である図１の１００＿１の基地局＃Ａが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」４０１に、「機器動作機能２１０の起動（wake up）」の情報が含まれていてもよい。そして、この情報により、機器動作機能２１０を起動させてもよい。
【０１１０】
この場合、１０１の端末＃１の第２の送受信装置２１５は起動（wake up）が完了しているため、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第２の送受信装置２１５は、この変調信号を復調することで、「ソフトウェア」または「更新ソフトウェア」を得ることになる。
【０１１１】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第２の送受信装置２１５の起動」と「機器動作機能２１０のソフトウェアの更新」をあわせて実施することで、より確実に「機器動作機能２１０のソフトウェアの更新」を実施することができるという利点がある。
【０１１２】
また、「機器動作機能２１０の起動」、及び、「第２の送受信装置２１５の起動」、及び、「機器動作機能２１０のソフトウェアの更新」をあわせて実施することで、より確実に「機器動作機能２１０のソフトウェアの更新」を実施することができるという利点がある。
【０１１３】
図２、図３において、機器動作機能２１０が、データ２１６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０１１４】
例えば、図５において、１０１の端末＃１の第１の送受信装置２０５が、「起動フレーム」４０１を受信後、１０１の端末＃１の第３の送受信装置２２５が起動する。以下では、その後の動作例について説明する。
【０１１５】
１０１の端末＃１の第１の送受信装置２０５が、「起動フレーム」４０１を受信後、１０１の端末＃１の第３の送受信装置２２５が起動するが、このとき、１０１の端末＃１の第３の送受信装置２２５の通信相手である図１の１００＿２の基地局＃Ｂが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」４０１に、「機器動作機能２１０の起動（wake up）」の情報が含まれていてもよい。そして、この情報により、機器動作機能２１０を起動させてもよい。
【０１１６】
この場合、１０１の端末＃１の第３の送受信装置２２５は起動（wake up）が完了しているため、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第３の送受信装置２２５は、この変調信号を復調することで、「ソフトウェア」または「更新ソフトウェア」を得ることになる。
【０１１７】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第３の送受信装置２２５の起動」と「機器動作機能２１０のソフトウェアの更新」をあわせて実施することで、より確実に「機器動作機能２１０のソフトウェアの更新」を実施することができるという利点がある。
【０１１８】
また、「機器動作機能２１０の起動」、及び、「第３の送受信装置２２５の起動」、及び、「機器動作機能２１０のソフトウェアの更新」をあわせて実施することで、より確実に「機器動作機能２１０のソフトウェアの更新」を実施することができるという利点がある。
【０１１９】
図２、図３において、機器動作機能２１０が、データ２２６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０１２０】
別の例を説明する。図５において、１０１の端末＃１の第１の送受信装置２０５が、「起動フレーム」４０２を受信後、１０１の端末＃１の第２の送受信装置２１５が起動する。以下では、その後の動作例を説明する。
【０１２１】
１０１の端末＃１の第１の送受信装置２０５が、「起動フレーム」４０２を受信後、１０１の端末＃１の第２の送受信装置２１５が起動するが、このとき、１０１の端末＃１の第２の送受信装置２１５の通信相手である図１の１００＿１の基地局＃Ａが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」４０２に、「機器動作機能２１０の起動（wake up）」の情報が含まれていてもよい。そして、この情報により、機器動作機能２１０を起動させてもよい。
【０１２２】
この場合、１０１の端末＃１の第２の送受信装置２１５は起動（wake up）が完了しているため、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第２の送受信装置２１５は、この変調信号を復調することで、「ソフトウェア」または「更新ソフトウェア」を得ることになる。
【０１２３】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第２の送受信装置２１５の起動」と「機器動作機能２１０のソフトウェアの更新」をあわせて実施することで、より確実に「機器動作機能２１０のソフトウェアの更新」を実施することができるという利点がある。
【０１２４】
また、「機器動作機能２１０の起動」、及び、「第２の送受信装置２１５の起動」、及び、「機器動作機能２１０のソフトウェアの更新」をあわせて実施することで、より確実に「機器動作機能２１０のソフトウェアの更新」を実施することができるという利点がある。
【０１２５】
図２、図３において、機器動作機能２１０が、データ２１６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０１２６】
また、別の例として、図５において、１０１の端末＃１の第１の送受信装置２０５が、「起動用フレーム」４０２の送信とあわせて、「機器動作機能２１０の動作を実行するためのソフトウェア」のデータを含む変調信号、または、「機器動作機能２１０の動作を実行するための更新ソフトウェア」のデータを含む変調信号を送信してもよい。なお、「起動フレーム」４０２に、「機器動作機能２１０の起動（wake up）」の情報が含まれていてもよい。そして、この情報により、機器動作機能２１０を起動させてもよい。
【０１２７】
または、図５において、１０１の端末＃１の第１の送受信装置２０５が、「起動用フレーム」４０２の送信後、「機器動作機能２１０の動作を実行するためのソフトウェア」のデータを含む変調信号、または、「機器動作機能２１０の動作を実行するための更新ソフトウェア」のデータを含む変調信号を送信してもよい。なお、「起動フレーム」４０２に、「機器動作機能２１０の起動（wake up）」の情報が含まれていてもよい。そして、この情報により、機器動作機能２１０を起動させてもよい。
【０１２８】
この場合、１０１の端末＃１の第１の送受信装置２０５の受信機能は動作しているため、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第１の送受信装置２０５は、この変調信号を復調することで、「ソフトウェア」または「更新ソフトウェア」を得ることになる。
【０１２９】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。
【０１３０】
なお、「機器動作機能２１０の起動」と「機器動作機能２１０のソフトウェアの更新」をあわせて実施することで、より確実に「機器動作機能２１０のソフトウェアの更新」を実施することができるという利点がある。
【０１３１】
図２、図３において、機器動作機能２１０が、データ２０６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０１３２】
図７は、図４、図５、図６において、通信装置１０３が送信する「起動用フレーム」４０１、４０２の構成の一例を示している。なお、図７において、横軸は時間である。
【０１３３】
プリアンブル７０１は、通信相手が、時間同期、周波数同期、フレーム同期、チャネル推定などを行うためのシンボルである。
【０１３４】
制御情報シンボル７０２は、通信の決まりごとなどを通信相手に通知するためのシンボルであり、例えば、変調信号の通信方式、変調方式、誤り訂正符号化方式などの通知、データ長、パケット長などの通知のために使用する。
【０１３５】
起動関連データシンボル７０３は、通信相手に起動関連のデータを通知するためのシンボルである。
【０１３６】
データシンボル７０４は、通信相手にデータを伝送するためのシンボルである。
【０１３７】
なお、図７のフレーム構成は、あくまでも一例であり、この構成に限ったものではない。また、フレームに図７に示していないシンボルが含まれていてもよい。
【０１３８】
さらに、図７では「プリアンブル」「制御情報シンボル」「起動関連データシンボル」「データシンボル」と名づけているが、呼び名はこれに限ったものではない。例えば、「起動関連データシンボル」を他の呼び方をしてもよい。
【０１３９】
以下では、本実施の形態で重要となる、「起動関連データシンボル７０３」の構成について、詳しく説明する。
【０１４０】
構成例：
例えば、「起動関連データシンボル７０３」の構成として、図８を示す。
【０１４１】
図８に示すように、例えば、「起動関連データシンボル７０３」は、「起動する通信方式の情報８０１」、「起動する通信方式」の通信方式に関する情報８０２、「機器動作機能の起動に関する情報８０３」のいずれかを含むものとする。
【０１４２】
起動する通信方式の情報８０１の構成に関する例を説明する。
【０１４３】
例えば、図４のように、通信装置１０３が「起動用フレーム」４０１を送信し、１０１の端末＃１の第２の送受信装置２１５を起動する（wake up）、つまり、第２の通信方式の通信を起動する（wake up）ものとする場合を考える。
【０１４４】
この場合、「起動する通信方式の情報８０１」は、「第２の通信方式の通信を起動する（wake up）する」という情報を含むという構成方法がある。
【０１４５】
例えば、「起動する通信方式の情報８０１」を、２ビットａ０、ａ１で構成するものとし、ａ０、ａ１を通信装置１０３が送信する。そして、以下のように定義する。
【０１４６】
・ａ０＝０、ａ１＝０のとき、第２の通信方式の通信を起動しない、第３の通信方式の通信を起動しない、とする。
【０１４７】
・ａ０＝１、ａ１＝０のとき、第２の通信方式の通信を起動する、第３の通信方式の通信を起動しない、とする。
【０１４８】
・ａ０＝０、ａ１＝１のとき、第２の通信方式の通信を起動しない、第３の通信方式の通信を起動する、とする。
【０１４９】
・ａ０＝１、ａ１＝１のとき、第２の通信方式の通信を起動する、第３の通信方式の通信を起動する、とする。
【０１５０】
別の例について説明する。図４の場合、通信装置１０３が「起動用フレーム」４０１を送信し、１０１の端末＃１の第２の送受信装置２１５を起動する（wake up）、つまり、第２の通信方式の通信を起動（wake up）している。そして、１０１の端末＃１の第３の送受信装置２２５を起動（wake up）しない、つまり、第３の通信方式の通信を起動（wake up）しないものとしている。
【０１５１】
よって、「起動する通信方式の情報８０１」は、通信方式ごとに、「起動する」、「起動しない」という情報を含むというような構成であってもよい。
【０１５２】
１０１の端末＃１が、図２、図３のような構成の場合、通信可能な通信方式は、第２の通信方式、第３の通信方式がある。したがって、図４の場合、
・「第２の通信方式の通信を起動（wake up）する」
・「第３の通信方式の通信を起動（wake up）しない」
という情報を「起動する通信方式の情報８０１」とする。
【０１５３】
例えば、「起動する通信方式の情報８０１」を、ｂ０、ｂ１の２ビットで構成するものとし、通信装置１０３が送信する。そして、以下のように定義する。
【０１５４】
・ｂ０を第２の通信方式の通信に関するビットとし、ｂ０＝０のとき「第２の通信方式の通信を起動しない」と定義し、ｂ０＝１のとき「第２の通信方式の通信を起動する」と定義する。
【０１５５】
・ｂ１を第３の通信方式の通信に関するビットとし、ｂ１＝０のとき「第３の通信方式の通信を起動しない」と定義し、ｂ１＝１のとき「第３の通信方式の通信を起動する」と定義する。
【０１５６】
「起動する通信方式の情報８０１」の情報にあわせて、「起動する通信方式」の通信方式に関する情報を、通信装置１０３が送信してもよい。
【０１５７】
例えば、第２の通信方式が、「２５ＭＨｚ帯域の変調信号による通信、５０ＭＨｚ帯域の変調信号による通信」をサポートしているものとする。また、第２の通信方式が、「シングルキャリア方式の通信、ＯＦＤＭ（Orthogonal Frequency Division Multiplexing）方式の通信」をサポートしているものとする。
【０１５８】
「起動する通信方式の情報８０１」において、少なくとも「第２通信方式の通信を起動する」という情報を、通信装置１０３が送信するものとする。このとき、例えば、「起動する通信方式の情報８０１」として、ｃ０、ｃ１を、通信装置１０３が送信するものとする。なお、ｃ０、ｃ１の定義は以下とする。
【０１５９】
・ｃ０＝０のとき、第２の通信方式において、２５ＭＨｚ帯域の変調信号による通信を行う、と定義し、ｃ０＝１のとき、第２の通信方式において、５０ＭＨｚ帯域の変調信号のよる通信を行う、と定義する。
【０１６０】
・ｃ１＝０のとき、第２の通信方式において、シングルキャリア方式による通信を行う、と定義し、ｃ１＝１のとき、第２の通信方式において、ＯＦＤＭ方式による通信を行う、と定義する。
【０１６１】
また、通信装置１０３は、「機器動作機能の起動に関する情報８０３」を送信してもよい。例えば、「機器動作機能の起動に関する情報８０３」をｄ０で構成するものとし、通信装置１０３がｄ０を送信するものとする。このとき、ｄ０を以下のように定義する。
【０１６２】
・ｄ０＝０のとき、機器動作機能２１０を起動しない、と定義し、ｄ０＝１のとき、機器動作機能２１０を起動する、と定義する。
【０１６３】
このように、起動関連データシンボル７０３を構成することで、１０１の端末＃１は、起動フレームの情報を得ることができ、好適な装置の起動を行うことが可能となり、１０１の端末＃１の消費電力を低減することができるという効果を得ることができる。
【０１６４】
さらに別の例を説明する。「起動する通信方式の情報８０１」は、通信方式ごとに、例えば、「起動する」、「スリープする」、「状態維持」、「未定義（リザーブ）」という情報を含む構成とする。例えば、「起動する通信方式の情報８０１」を４ビットｅ０、ｅ１、ｅ２、ｅ３で構成するものとし、通信装置１０３が送信する。そして、以下のように定義する。
【０１６５】
・ｅ０＝０、ｅ１＝０のとき、「第２の通信方式の通信を起動する」と定義する。
【０１６６】
・ｅ０＝１、ｅ１＝０のとき、「第２の通信方式の通信をスリープする」と定義する。
【０１６７】
例えば、この情報を受信した、１０１の端末＃１は、第２の送受信装置２１５をスリープの状態にするものとする。したがって、１０１の端末＃１は、消費電力をさらに低減することができるという効果を得ることができる。
【０１６８】
・ｅ０＝０、ｅ１＝１のとき、「第２の通信方式の通信状態を現状維持」と定義する。
【０１６９】
・ｅ０＝１、ｅ１＝１のとき、「未定義（または、リザーブ）」とする。（例えば、この情報を得たとき、１０１の端末＃１は無視する。（有効な情報ではないと判断する。）ただし、後に、使用してもよい。）
【０１７０】
・ｅ２＝０、ｅ３＝０のとき、「第３の通信方式の通信を起動する」と定義する。
【０１７１】
・ｅ２＝１、ｅ３＝０のとき、「第３の通信方式の通信をスリープする」と定義する。
【０１７２】
例えば、この情報を受信した、１０１の端末＃１は、第３の送受信装置２２５をスリープの状態にするものとする。したがって、１０１の端末＃１は、消費電力をさらに低減することができるという効果を得ることができる。
【０１７３】
・ｅ２＝０、ｅ３＝１のとき、「第３の通信方式の通信状態を現状維持」と定義する。
【０１７４】
・ｅ２＝１、ｅ３＝１のとき、「未定義（または、リザーブ）」とする。（例えば、この情報を得たとき、１０１の端末＃１は無視する。（有効な情報ではないと判断する。）ただし、後に、使用してもよい。）
【０１７５】
このように、起動関連データシンボル７０３を構成することで、１０１の端末＃１は、通信装置１０３の指示により、各通信方式の通信状態を好適に制御されることになり、これにより、端末＃１の消費電力をさらに低減することができるという効果を得ることができる。なお、上述では、「起動する」、「スリープする」、「状態維持」、「未定義（リザーブ）」のモードが存在する例で説明したが、これに限ったものではない。「起動する」、「スリープする」、「状態維持」、「未定義（リザーブ）」のモードのいずれか一つ以上のモードが存在していればよい。
【０１７６】
さらに別の例を説明する。
【０１７７】
通信装置１０３は、「機器動作機能の起動に関する情報８０３」を送信してもよい。例えば、「機器動作機能の起動に関する情報８０３」をｆ０、ｆ１の２ビットで構成するものとし、通信装置１０３がｆ０、ｆ１を送信するものとする。このとき、ｆ０を以下のように定義する。
【０１７８】
・ｆ０＝０のとき、機器動作機能２１０を起動しない、と定義し、ｆ０＝１のとき、機器動作機能２１０を起動する、と定義する。
【０１７９】
また、ｆ１を緊急用のデータと定義する。例えば、ｆ１を「機器動作機能に重要な欠陥があることを知らせる」、また、「機器動作機能に重要な欠陥があるため、機器動作機能の動作を停止する」ための情報とする。このとき、例えば、ｆ１を以下のように定義する。
【０１８０】
・ｆ１＝０のとき、「機器動作機能に重要な欠陥がある」、と定義し、ｆ１＝１のとき、「機器動作機能に重要な欠陥があるため、機器動作機能の動作を停止する」、と定義する。
【０１８１】
このようにすることで、１０１の端末＃１の安全性が確保できるという効果を得ることができる。なお、上述において、「機器動作機能に重要な欠陥があるため、機器動作機能の動作を停止する」という指示があることが常用となる。
【０１８２】
次に、「起動関連データシンボル７０３」の、図８とは異なる構成例を図９に示す。なお、図９において、横軸は時間であり、図８と同様に動作するものについては、同一番号を付しており、説明を省略する。図９において、図８と異なる点は、「起動する通信方式の情報」の対象となる端末の情報９０１、「機器動作機能の起動に関する情報」の対象となる端末の情報９０２が存在している点である。
【０１８３】
例えば、「起動する通信方式の情報」の対象となる端末の情報９０１は、通信方式ごとに、「マルチキャスト伝送である」、または、「ユニキャスト伝送である」という情報を含む構成であってもよい。
【０１８４】
１０１の端末＃１が、図２、図３のような構成の場合、「起動する通信方式の情報８０１」として、「第２の通信方式の通信の起動に関する情報」、および、「第３の通信方式の通信の起動に関する情報」があることになる。
【０１８５】
そして、「起動する通信方式の情報」の対象となる端末の情報９０１を、ｇ０、ｇ１の２ビットで構成するものとし、通信装置１０３がｇ０、ｇ１を送信する。そして、以下のように定義する。
【０１８６】
・通信装置１０３が、「第２の通信方式の通信の起動に関する情報」をマルチキャスト伝送する場合、ｇ０＝０と設定し、通信装置１０３が、「第２の通信方式の通信の起動に関する情報」をユニキャスト伝送する場合、ｇ０＝１と設定する。
【０１８７】
・通信装置１０３が、「第３の通信方式の通信の起動に関する情報」をマルチキャスト伝送する場合、ｇ１＝０と設定し、通信装置１０３が、「第３の通信方法の通信の起動に関する情報」をユニキャスト伝送する場合、ｇ１＝１と設定する。
【０１８８】
また、ｇ０＝１を設定し、「第２の通信方式の通信の起動に関する情報」をユニキャスト伝送する場合、「第２の通信方式の通信の起動に関する情報」の対象となる「端末の種類の情報」、および／または、「端末の固有番号（例えば、端末のＩＤ（identification）、端末のシリアル番号）」をあわせて、通信装置１０３は送信してもよい。このとき、端末は、「端末の種類の情報」、および／または、「端末の固有番号（例えば、端末のＩＤ（identification）、端末のシリアル番号）」の情報を得ることで、「第２の通信方式の通信の起動に関する情報」が有効であるか、または、無効であるかを判断することになる。これにより、通信装置１０３の通信相手である端末は、「第２の通信方式の通信の起動に関する情報」の有効・無効の判断を行い、これに伴い制御を行うことで、適切な制御を行うことができるという効果を得ることができる。
【０１８９】
なお、マルチキャストとは、例えば、図１０のように、通信装置が、例えば、１０１の端末＃１、１００２の端末＃２、１００３の端末＃３のように複数の端末に対し、同一情報を含む変調信号を送信することである。
【０１９０】
そして、ｇ０＝０を設定し、「第２の通信方式の通信の起動に関する情報」をマルチキャスト伝送する場合、「第２の通信方式の通信の起動に関する情報」の対象となる「端末の種類の情報」、および／または、「端末の固有番号（例えば、端末のＩＤ（identification）、端末のシリアル番号）」をあわせて、通信装置１０３は送信してもよい。このとき、端末は、「端末の種類の情報」、および／または、「端末の固有番号（例えば、端末のＩＤ（identification）、端末のシリアル番号）」の情報を得ることで、「第２の通信方式の通信の起動に関する情報」が有効であるか、または、無効であるかを判断することになる。これにより、通信装置１０３の通信相手である端末は、「第２の通信方式の通信の起動に関する情報」の有効・無効の判断を行い、これに伴い制御を行うことで、適切な制御を行うことができるという効果を得ることができる。
【０１９１】
また、ｇ１＝１を設定し、「第３の通信方式の通信の起動に関する情報」をユニキャスト伝送する場合、「第３の通信方式の通信の起動に関する情報」の対象となる「端末の種類の情報」、および／または、「端末の固有番号（例えば、端末のＩＤ（identification）、端末のシリアル番号）」をあわせて、通信装置１０３は送信してもよい。このとき、端末は、「端末の種類の情報」、および／または、「端末の固有番号（例えば、端末のＩＤ（identification）、端末のシリアル番号）」の情報を得ることで、「第３の通信方式の通信の起動に関する情報」が有効であるか、または、無効であるかを判断することになる。これにより、通信装置１０３の通信相手である端末は、「第３の通信方式の通信の起動に関する情報」の有効・無効の判断を行い、これに伴い制御を行うことで、適切な制御を行うことができるという効果を得ることができる。
【０１９２】
そして、ｇ１＝０を設定し、「第３の通信方式の通信の起動に関する情報」をマルチキャスト伝送する場合、「第３の通信方式の通信の起動に関する情報」の対象となる「端末の種類の情報」、および／または、「端末の固有番号（例えば、端末のＩＤ（identification）、端末のシリアル番号）」をあわせて、通信装置１０３は送信してもよい。このとき、端末は、「端末の種類の情報」、および／または、「端末の固有番号（例えば、端末のＩＤ（identification）、端末のシリアル番号）」の情報を得ることで、「第３の通信方式の通信の起動に関する情報」が有効であるか、または、無効であるかを判断することになる。これにより、通信装置１０３の通信相手である端末は、「第３の通信方式の通信の起動に関する情報」の有効・無効の判断を行い、これに伴い制御を行うことで、適切な制御を行うことができるという効果を得ることができる。
【０１９３】
以上のようにすることで、適切な端末に対し、適切な情報を伝送し、動作を制御することで、端末の消費電力を低減することができるという効果を得ることができる。
【０１９４】
「機器動作機能の起動に関する情報」の対象となる端末の情報９０２は、「マルチキャスト伝送である」、または、「ユニキャスト伝送である」という情報を含む構成であってもよい。
【０１９５】
「機器動作機能の起動に関する情報」の対象となる端末の情報９０２を、ｈ０で構成するものとし、通信装置１０３がｈ０を送信する。そして、以下のように定義する。
【０１９６】
・通信装置１０３が、「機器動作機能の起動に関する情報」をマルチキャスト伝送する場合、ｈ０＝０と設定し、通信装置１０３が、「機器動作機能の起動に関する情報」をユニキャスト伝送する場合、ｈ０＝１と設定する。
【０１９７】
また、ｈ０＝１を設定し、「機器動作機能の起動に関する情報」をユニキャスト伝送する場合、「機器動作機能の起動に関する情報」の対象となる「端末の種類の情報」、および／または、「端末の固有番号（例えば、端末のＩＤ（identification）、端末のシリアル番号）」をあわせて、通信装置１０３は送信してもよい。このとき、端末は、「端末の種類の情報」、および／または、「端末の固有番号（例えば、端末のＩＤ（identification）、端末のシリアル番号）」の情報を得ることで「機器動作機能の起動に関する情報」が有効であるか、または、無効であるかを判断することになる。これにより、通信装置１０３の通信相手である端末は、「機器動作機能の起動に関する情報」の有効・無効の判断を行い、これに伴い制御を行うことで、適切な制御を行うことができるという効果を得ることができる。
【０１９８】
そして、ｈ０＝０を設定し、「機器動作機能の起動に関する情報」をマルチキャスト伝送する場合、「機器動作機能の起動に関する情報」の対象となる「端末の種類の情報」、および／または、「端末の固有番号（例えば、端末のＩＤ（identification）、端末のシリアル番号）」をあわせて、通信装置１０３は送信してもよい。このとき、端末は、「端末の種類の情報」、および／または、「端末の固有番号（例えば、端末のＩＤ（identification）、端末のシリアル番号）」の情報を得ることで「機器動作機能の起動に関する情報」が有効であるか、または、無効であるかを判断することになる。これにより、通信装置１０３の通信相手である端末は、「機器動作機能の起動に関する情報」の有効・無効の判断を行い、これに伴い制御を行うことで、適切な制御を行うことができるという効果を得ることができる。
【０１９９】
以上ようにすることで、適切な端末に対し、適切な情報を伝送し、動作を制御することで、端末の消費電力を低減することができるという効果を得ることができる。
【０２００】
上述において、通信装置１０３が送信する「起動する通信方式の情報８０１」、「起動する通信方式」の通信方式に関する情報８０２、「機器動作機能の起動に関する情報８０３」、「起動する通信方式の情報」の対象となる端末の情報９０１、「機器動作機能の起動に関する情報」の対象となる端末の情報９０２、それぞれの情報の指示にしたがって、１０１の端末＃１は、例えば、各部分の「起動」、「スリープ」、「状態維持」などの動作を行うことになる。これにより、１０１の端末＃１は、好適の制御が行われ、消費電力が低減するという効果を得ることができる。
【０２０１】
ここでは、上述の「第１の通信方式」、「第２の通信方式」、「第３の通信方式」の関係の例について説明する。
【０２０２】
「第１の通信方式」、「第２の通信方式」、「第３の通信方式」の関係は、例えば、以下で例として挙げた条件のいずれかを満たすものとする。
【０２０３】
例１：
「第１の通信方式」と「第２の通信方式」は同一規格の方式ではない。かつ、「第１の通信方式」と「第３の通信方式」は同一規格の方式ではない。かつ、「第２の通信方式」と「第３の通信方式」は同一規格の方式ではない。
【０２０４】
例２：
「第１の通信方式」と「第２の通信方式」は同一周波数帯の方式ではない。かつ、「第１の通信方式」と「第３の通信方式」は同一周波数帯の方式ではない。かつ、「第２の通信方式」と「第３の通信方式」は同一周波数帯の方式ではない。
【０２０５】
例３：
「第１の通信方式」と「第２の通信方式」は互換性のある通信方式ではない。かつ、「第１の通信方式」と「第３の通信方式」は互換性のある通信方式ではない。かつ、「第２の通信方式」と「第３の通信方式」は互換性のある通信方式ではない。
【０２０６】
例４：
「第１の通信方式」と「第２の通信方式」は平均消費電力が異なる。かつ、「第１の通信方式」と「第３の通信方式」は平均消費電力が異なる。かつ、「第２の通信方式」と「第３の通信方式」は平均消費電力が異なる。ここで、平均消費電力とは、通信を行っている状態における平均的な消費電力であってもよいし、信号の受信が行える状態で待機中における平均的な消費電力であってもよい。
【０２０７】
例５：
「第１の通信方式」と「第２の通信方式」は最大伝送速度が異なる。かつ、「第１の通信方式」と「第３の通信方式」は最大伝送速度が異なる。かつ、「第２の通信方式」と「第３の通信方式」は最大伝送速度が異なる。
【０２０８】
例６：
「第１の通信方式」と「第２の通信方式」は通信可能な距離が異なる。かつ、「第１の通信方式」と「第３の通信方式」は通信可能な距離が異なる。かつ、「第２の通信方式」と「第３の通信方式」は通信可能な距離が異なる。
【０２０９】
例７：
「第１の通信方式」と「第２の通信方式」は異なる通信用の回路を用いて行われる。かつ、「第１の通信方式」と「第３の通信方式」は異なる通信用の回路を用いて行われる。かつ、「第２の通信方式」と「第３の通信方式」は異なる通信用の回路を用いて行われる。ここで、通信用の回路とは、例えば対応する通信方式に応じた送信データから変調信号の生成するための処理または／および受信信号から受信データを取得するための処理を行う回路である。異なる通信用の回路と説明したが、一つの集積回路の異なる領域であってもよい。
【０２１０】
例８：
「第１の通信方式」と「第２の通信方式」は異なるアンテナを用いて通信する。かつ、「第１の通信方式」と「第３の通信方式」は異なるアンテナを用いて通信する。かつ、「第２の通信方式」と「第３の通信方式」は異なるアンテナを用いて通信する。ここで、異なるアンテナと説明したが、「第１の通信方式」、「第２の通信方式」、「第３の通信方式」のいずれかが有線通信や光通信であってもよく、その場合、アンテナの代わりに接続端子、ＬＥＤ（ｌｉｇｈｔ  ｅｍｉｔｔｉｎｇ  ｄｉｏｄｅ）、フォトダイオードなどを用いて通信が行われる。すなわち、通信方式間で異なる素子を用いて通信が行われる。
【０２１１】
図４、図５、図６における「図１の通信装置１０３、１０１の端末＃１の時間軸における通信の流れ」において、「起動（wake up）」後の動作の例について、再度説明する。
【０２１２】
例えば、図４において、１０１の端末＃１の第１の送受信装置２０５が、「起動フレーム」４０１を受信後、１０１の端末＃１の第２の送受信装置２１５が起動する。以下では、その後の動作例を説明する。
【０２１３】
通信装置１０３が、「起動用フレーム」４０１を送信するが、このとき、「起動用フレーム」４０１には、「１００＿１の基地局＃Ａの変調信号を用いて、「機器動作機能２１０の動作を実行するためのソフトウェア」のデータ、または、「機器動作機能２１０の動作を実行するための更新ソフトウェア」のデータを送信する」、という情報が含まれているものとする。
【０２１４】
したがって、１０１の端末＃１の第１の送受信装置２０５が、「起動フレーム」４０１を受信後、１０１の端末＃１の第２の送受信装置２１５が起動するが、このとき、１０１の端末＃１の第２の送受信装置２１５の通信相手である図１の１００＿１の基地局＃Ａが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」４０１に、「機器動作機能２１０の起動（wake up）」の情報が含まれていてもよい。そして、この情報により、機器動作機能２１０を起動させてもよい。また、１０１の端末＃１は、「起動用フレーム」４０１を受信できたことを、通信装置１０３、または、１００＿１の基地局＃Ａに対し通知するための変調信号を送信してもよい。
【０２１５】
よって、１０１の端末＃１の第２の送受信装置２１５は起動（wake up）が完了後、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第２の送受信装置２１５は、この変調信号を復調することで、「ソフトウェア」または「更新ソフトウェア」を得ることになる。
【０２１６】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第２の送受信装置２１５の起動」と「機器動作機能２１０のソフトウェアの更新」をあわせて実施することで、より確実に「機器動作機能２１０のソフトウェアの更新」を実施することができるという利点がある。
【０２１７】
また、「機器動作機能２１０の起動」、及び、「第２の送受信装置２１５の起動」、及び、「機器動作機能２１０のソフトウェアの更新」をあわせて実施することで、より確実に「機器動作機能２１０のソフトウェアの更新」を実施することができるという利点がある。
【０２１８】
図２、図３において、機器動作機能２１０が、データ２１６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０２１９】
なお、「起動用フレーム」４０１に、「機器動作機能２１０の動作を実行するためのソフトウェア」のデータ、または、「機器動作機能２１０の動作を実行するための更新ソフトウェア」のデータを送信する通信機器（ここでは、１００＿１の基地局＃Ａ、１００＿２の基地局＃Ｂ、通信装置１０３）の情報が含まれていてもよく、この情報に基づくことで、端末＃１は、ソフトウェアの更新を容易に行うことができることになる。
【０２２０】
例えば、図５において、１０１の端末＃１の第１の送受信装置２０５が、「起動フレーム」４０１を受信後、１０１の端末＃１の第３の送受信装置２２５が起動する。以下では、その後の動作例について説明する。
【０２２１】
通信装置１０３が「起動用フレーム４０１」を送信するが、このとき、「起動用フレーム」４０１には、「１００＿２の基地局＃Ｂの変調信号を用いて、「機器動作機能２１０の動作を実行するためのソフトウェア」のデータ、または、「機器動作機能２１０の動作を実行するための更新ソフトウェア」のデータを送信する」、という情報が含まれているものとする。
【０２２２】
したがって、１０１の端末＃１の第１の送受信装置２０５が、「起動フレーム」４０１を受信後、１０１の端末＃１の第３の送受信装置２２５が起動するが、このとき、１０１の端末＃１の第３の送受信装置２２５の通信相手である図１の１００＿２の基地局＃Ｂが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」４０１に、「機器動作機能２１０の起動（wake up）」の情報が含まれていてもよい。そして、この情報により、機器動作機能２１０を起動させてもよい。また、１０１の端末＃１は、「起動用フレーム」４０１を受信できたことを、通信装置１０３、または、１００＿２の基地局＃Ｂに対し通知するための変調信号を送信してもよい。
【０２２３】
よって、１０１の端末＃１の第３の送受信装置２２５は起動（wake up）が完了後、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第３の送受信装置２２５は、この変調信号を復調することで、「ソフトウェア」または「更新ソフトウェア」を得ることになる。
【０２２４】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第３の送受信装置２２５の起動」と「機器動作機能２１０のソフトウェアの更新」をあわせて実施することで、より確実に「機器動作機能２１０のソフトウェアの更新」を実施することができるという利点がある。
【０２２５】
また、「機器動作機能２１０の起動」、及び、「第３の送受信装置２２５の起動」、及び、「機器動作機能２１０のソフトウェアの更新」をあわせて実施することで、より確実に「機器動作機能２１０のソフトウェアの更新」を実施することができるという利点がある。
【０２２６】
図２、図３において、機器動作機能２１０が、データ２２６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０２２７】
なお、「起動用フレーム」４０１に、「機器動作機能２１０の動作を実行するためのソフトウェア」のデータ、または、「機器動作機能２１０の動作を実行するための更新ソフトウェア」のデータを送信する通信機器（ここでは、１００＿１の基地局＃Ａ、１００＿２の基地局＃Ｂ、通信装置１０３）の情報が含まれていてもよく、この情報に基づくことで、端末＃１は、ソフトウェアの更新を容易に行うことができることになる。
【０２２８】
別の例を説明する。図５において、１０１の端末＃１の第１の送受信装置２０５が、「起動フレーム」４０２を受信後、１０１の端末＃１の第２の送受信装置２１５が起動する。以下では、その後の動作例を説明する。
【０２２９】
通信装置１０３が、「起動用フレーム」４０２を送信するが、このとき、「起動用フレーム」４０２には、「１００＿１の基地局＃Ａの変調信号を用いて、「機器動作機能２１０の動作を実行するためのソフトウェア」のデータ、または、「機器動作機能２１０の動作を実行するための更新ソフトウェア」のデータを送信する」、という情報が含まれているものとする。
【０２３０】
したがって、１０１の端末＃１の第１の送受信装置２０５が、「起動フレーム」４０２を受信後、１０１の端末＃１の第２の送受信装置２１５が起動するが、このとき、１０１の端末＃１の第２の送受信装置２１５の通信相手である図１の１００＿１の基地局＃Ａが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」４０２に、「機器動作機能２１０の起動（wake up）」の情報が含まれていてもよい。そして、この情報により、機器動作機能２１０を起動させてもよい。また、１０１の端末＃１は、「起動用フレーム」４０２を受信できたことを、通信装置１０３、または、１００＿１の基地局＃Ａに対し通知するための変調信号を送信してもよい。
【０２３１】
よって、１０１の端末＃１の第２の送受信装置２１５は起動（wake up）が完了後、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第２の送受信装置２１５は、この変調信号を復調することで、「ソフトウェア」または「更新ソフトウェア」を得ることになる。
【０２３２】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第２の送受信装置２１５の起動」と「機器動作機能２１０のソフトウェアの更新」をあわせて実施することで、より確実に「機器動作機能２１０のソフトウェアの更新」を実施することができるという利点がある。
【０２３３】
また、「機器動作機能２１０の起動」、及び、「第２の送受信装置２１５の起動」、及び、「機器動作機能２１０のソフトウェアの更新」をあわせて実施することで、より確実に「機器動作機能２１０のソフトウェアの更新」を実施することができるという利点がある。
【０２３４】
図２、図３において、機器動作機能２１０が、データ２１６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０２３５】
なお、「起動用フレーム」４０２に、「機器動作機能２１０の動作を実行するためのソフトウェア」のデータ、または、「機器動作機能２１０の動作を実行するための更新ソフトウェア」のデータを送信する通信機器（ここでは、１００＿１の基地局＃Ａ、１００＿２の基地局＃Ｂ、通信装置１０３）の情報が含まれていてもよく、この情報に基づくことで、端末＃１は、ソフトウェアの更新を容易に行うことができることになる。
【０２３６】
以上の説明のように、本実施の形態を実施することにより、好適に機器の起動を制御することで、機器の消費電力を低減することができるという効果を得ることができる。
【０２３７】
なお、本実施の形態において、情報、シンボルの構成方法は、図７、図８、図９に限ったものではなく、情報、シンボルの構成方法、情報、シンボルの送信する順番は、図７、図８、図９に限ったものではない。また、図７、図８、図９の情報、シンボルに加え、他の情報、制御情報シンボル、パイロットシンボル、リファレンスシンボルなどをあわせて送信してもよい。
【０２３８】
また、図１、図１０において、各機器に対し、通信装置、端末、基地局と名づけて説明しているが、呼び方は、これに限ったものではない。
【０２３９】
さらに、本実施の形態では、第１の通信方式を用いて起動するための通信方式として、第２の通信方式、第３の通信方式の２つがある場合について説明したが、第１の通信方式を用いて起動するための通信方式の数は、２つに限ったものではなく、２つであってもよいし、３つ以上存在していてもよい。
【０２４０】
（実施の形態２）
本実施の形態では、実施の形態１の変形例として、例えば、衛星通信装置を用いたときの実施例について説明する。
【０２４１】
図１１は、本実施の形態における通信システムの構成の一例を示している。なお、図１１において、図１と同様に動作するものについては、同一番号を付している。
【０２４２】
１０１の端末＃１は、第１の通信方式を用いて、１１０１＿１のゲートウェイ＃１、または１１０１＿２のゲートウェイ＃２、または、１１０１＿３のゲートウェイ＃３と通信を行う。なお、以降では、例として、１０１の端末＃１は、第１の通信方式を用いて１１０１＿１のゲートウェイ＃１と通信を行っている場合について説明を行う。
【０２４３】
例えば、１０１の端末＃１は、第１のデータを含む第１の通信方式の変調信号を生成し、１１０１＿１のゲートウェイ＃１に送信する。そして、１１０１＿１のゲートウェイ＃１は、この変調信号を受信し、復調、誤り訂正復号などの処理を行う、第１のデータを得ることになる。そして、第１のデータを含むデータをコントローラ１１０２に伝送し、さらに、第１のデータを含むデータを通信装置１１０３に伝送することになる。なお、通信装置１１０３の一例として、衛星通信装置があげられるが、これに限ったものではない。
【０２４４】
また、１１０１＿１のゲートウェイ＃１は第２のデータを含む第１の通信方式の変調信号を生成し、１０１の端末＃１に送信する。そして、１０１の端末＃１は、この変調信号を受信し、復調、誤り訂正復号などの処理を行い、第２のデータを得ることになる。
【０２４５】
なお、通信装置１１０３は、第２のデータを含むデータをコントローラ１１０２に伝送し、コントローラ１１０２は、第２のデータを含むデータを１１０１＿１のゲートウェイ＃１に伝送することになる。
【０２４６】
ここで、１１０１＿１のゲートウェイ＃１（または、１１０１＿２のゲートウェイ＃２、１１０１＿３のゲートウェイ＃３）とコントローラ１１０２の通信（送信・受信）は、無線通信であってもよいし、有線通信であってもよい。したがって、１１０１＿１のゲートウェイ＃１（または、１１０１＿２のゲートウェイ＃２、１１０１＿３のゲートウェイ＃３）が、コントローラ１１０２に対し、データを送信する場合、データ自身を送信してもよいし、データから変調信号を生成し、変調信号をコントローラ１１０２に送信してもよい。同様に、コントローラ１１０２が、１１０１＿１のゲートウェイ＃１（または、１１０１＿２のゲートウェイ＃２、１１０１＿３のゲートウェイ＃３）に対し、データを送信する場合、データ自身を送信してもよいし、データから変調信号を生成し、変調信号をゲートウェイ＃１（または、１１０１＿２のゲートウェイ＃２、１１０１＿３のゲートウェイ＃３）に送信してもよい。
【０２４７】
同様に、通信装置１１０３とコントローラの通信（送信・受信）は、無線通信であってもよいし、有線通信であってもよい。したがって、通信装置１１０３が、コントローラ１１０２に対し、データを伝送する場合、データ自身を送信してもよいし、データから変調信号を生成し、変調信号をコントローラ１１０２に送信してもよい。同様に、コントローラ１１０２が、通信装置１１０３に対し、データを伝送する場合、データ自身を送信してもよいし、データから変調信号を生成し、変調信号を通信装置１１０３に送信してもよい。なお、通信装置１１０３が衛星通信装置の場合、コントローラとの通信は無線通信であることが想定される。
【０２４８】
通信装置１１０３は、コントローラ１１０２から得たデータを、例えば、ネットワーク１１０４を開始、例えば、サーバーなどの装置に伝送することになる。
【０２４９】
また、通信装置１０３は、ネットワーク１１０４を介し、他の装置からデータを得ることになる。
【０２５０】
なお、通信装置１１０３が、衛星通信装置の場合、ネットワーク１１０４には、他の衛星通信装置、地球にある通信装置が含まれることになる。なお、地球にある通信装置は、衛星通信装置に対し、データを含む変調信号を送信する。また、衛星通信装置は、地球にある通信装置に対し、データを含む変調信号を送信する。
【０２５１】
１０１の端末＃１は、第２の通信方式を用いて、１００＿１の基地局＃Ａと通信を行う。例えば、１０１の端末＃１は、データを含む第２の通信方式の変調信号を生成し、１００＿１の基地局＃Ａに送信する。そして、１００＿１の基地局＃Ａは、この変調信号を受信し、復調、誤り訂正復号などの処理を行い、データを得ることになる。
【０２５２】
また、１００＿１の基地局＃Ａはデータを含む第２の通信方式の変調信号を生成し、１０１の端末＃１に送信する。そして、１０１の端末＃１は、この変調信号を受信し、復調、誤り訂正復号などの処理を行い、データを得ることになる。
【０２５３】
１０１の端末＃１は、第３の通信方式を用いて、１００＿２の基地局＃Ｂと通信を行う。例えば、１０１の端末＃１は、データを含む第３の通信方式の変調信号を生成し、１００＿２の基地局＃Ｂに送信する。そして、１００＿２の基地局＃Ｂは、この変調信号を受信し、復調、誤り訂正復号などの処理を行い、データを得ることになる。
【０２５４】
図２は、図１の１０１の端末＃１の構成の一例を示している。図２の送受信装置２０５は、第１の通信方式の送信のための処理、および、受信のための処理を行う部分となる。
【０２５５】
第１の送受信装置２０５は、データ２０７を入力とし、第１の通信方式のための、誤り訂正符号化、変調、周波数変換等の処理を施し、第１の通信方式の変調信号２０４を生成し、出力する。そして、第１の通信方式の変調信号２０４は、アンテナ２０３から、電波として出力される。
【０２５６】
また、第１の送受信装置２０５は、アンテナ２０１で受信した、第１の通信方式の変調信号２０２を入力とし、復調、誤り訂正復号などの処理を行い、データ２０６を得る。
【０２５７】
制御判断部２０８は、データ２０６を入力とし、「第２の送受信装置２１５を起動する（wake up）かどうか」の判断、および、「第３の送受信装置２２５を起動する（wake up）かどうか」の判断、および、「機器動作機能２１０を起動する（wake up）かどうか」の判断を行い、これらの判断の情報を含む制御信号２０９を出力する。
【０２５８】
第２の送受信装置２１５は、制御信号２０９を入力とし、「第２の送受信装置２１５を起動する（wake up）かどうか」の判断の情報を得る。
【０２５９】
このとき、「第２の送受信装置２１５を起動する（wake up）」という判断であった場合、第２の送受信装置２１５は装置自身の動作がスリープ状態であった場合、第２の送受信装置２１５は起動（wake up）し、通信を開始することになる。
【０２６０】
「第２の送受信装置２１５を起動（wake up）しない」という判断であった場合、第２の送受信装置２１５は、装置自身の動作がスリープ状態であった場合、そのまま、第２の送受信装置２１５はスリープ状態を維持することになる。なお、第２の送受信装置２１５が、動作している場合、第２の送受信装置２１５はスリープ状態となってもよい。
【０２６１】
そして、第２の送受信装置２１５、第３の送受信装置２２５、および、機器動作機能２１０は、動作制御信号２５０を入力としている。第２の送受信装置２１５は、動作制御信号２５０に含まれる第２の送受信装置の動作に関する制御情報により制御されることになる。例えば、第２の送受信装置の動作に関する制御情報が、「第２の送受信装置２１５の動作を停止し、スタンバイの状態に移行」という情報であった場合、第２の送受信装置２１５は動作を停止し、スタンバイ状態に移行する。これにより、第２の送受信装置２１５は、消費電力を低減することができる。
【０２６２】
以上のように、第２の送受信装置２１５は、制御信号２０９、動作制御信号２５０により、必要となるときだけ、通信の機能を動作させることにより、消費電力を低減することができるという効果を得ることができる。
【０２６３】
また、制御信号２０９に「第２の送受信装置２１５を起動する（wake up）かどうか」の判断の情報以外に、「第２の送受信装置２１５をスリープ状態にするための制御情報」が含まれていてもよい。この点については、実施の形態１で説明したとおりである。
【０２６４】
同様に、第３の送受信装置２２５は、制御信号２０９を入力とし、「第３の送受信装置２２５を起動する（wake up）かどうか」の判断の情報を得る。
【０２６５】
このとき、「第３の送受信装置２２５を起動する（wake up）」という判断であった場合、第３の送受信装置２２５は装置自身の動作がスリープ状態であった場合、第３の送受信装置２２５は起動（wake up）し、通信を開始することになる。
【０２６６】
「第３の送受信装置２２５を起動（wake up）しない」という判断であった場合、第３の送受信装置２２５は、装置自身の動作がスリープ状態であった場合、そのまま、第３の送受信装置２２５はスリープ状態を維持することになる。なお、第３の送受信装置２２５が、動作している場合、第３の送受信装置２２５はスリープ状態となってもよい。
【０２６７】
そして、第２の送受信装置２１５、第３の送受信装置２２５、および、機器動作機能２１０は、動作制御信号２５０を入力としている。第３の送受信装置２２５は、動作制御信号２５０に含まれる第３の送受信装置の動作に関する制御情報により制御されることになる。例えば、第３の送受信装置の動作に関する制御情報が、「第３の送受信装置２２５の動作を停止し、スタンバイの状態に移行」という情報であった場合、第３の送受信装置２２５は動作を停止し、スタンバイ状態に移行する。これにより、第３の送受信装置２２５は、消費電力を低減することができる。
【０２６８】
以上のように、第３の送受信装置２２５は、制御信号２０９、動作制御信号２５０により、必要となるときだけ、通信の機能を動作させることにより、消費電力を低減することができるという効果を得ることができる。
【０２６９】
また、制御信号２０９に「第３の送受信装置２２５を起動する（wake up）かどうか」の判断の情報以外に、「第３の送受信装置２２５をスリープ状態にするための制御情報」が含まれていてもよい。この点については、実施の形態１で説明したとおりである。
【０２７０】
機器動作機能２１０は、制御信号２０９を入力とし、「機器動作機能２１０を起動する（wake up）かどうか」の判断の情報を得る。
【０２７１】
このとき、「機器動作機能２１０を起動する（wake up）」という判断であった場合、機器動作機能２１０は、装置自身の動作がスリープ状態であった場合、機器動作機能２１０は起動（wake up）することになる。
【０２７２】
「機器動作機能２１０を起動（wake up）しない」という判断であった場合、機器動作機能２１０は、装置自身の動作がスリープ状態であった場合、そのまま、機器動作機能２１０はスリープ状態を維持することになる。なお、機器動作機能２１０が、動作している場合、機器動作機能２１０はスリープ状態となってもよい。
【０２７３】
そして、第２の送受信装置２１５、第３の送受信装置２２５、および、機器動作機能２１０は、動作制御信号２５０を入力としている。機器動作機能２１０は、動作制御信号２５０に含まれる機器動作機能の動作に関する制御情報により制御されることになる。例えば、機器動作機能２１０の動作に関する制御情報が、「機器動作機能２１０の動作を停止し、スタンバイの状態に移行」という情報であった場合、機器動作機能２１０は動作を停止し、スタンバイ状態に移行する。これにより、機器動作機能２１０は、消費電力を低減することができる。
【０２７４】
以上のように、機器動作機能２１０は、制御信号２０９、動作制御信号２５０により、必要となるときだけ、機器動作の機能を動作させることにより、消費電力を低減することができるという効果を得ることができる。
【０２７５】
また、制御信号２０９に「機器動作機能２１０を起動する（wake up）かどうか」の判断の情報以外に、「機器動作機能２１０をスリープ状態にするための制御情報」が含まれていてもよい。この点については、実施の形態１で説明したとおりである。
【０２７６】
なお、「機器動作機能」とは、通信以外の装置の動作の機能であるものとする。一例として、図２の装置が車に搭載されている場合、「機器動作機能」は車に関連する動作の機能となる。
【０２７７】
また、別の例として、図２の装置が家庭用電気機械器具（家電）に搭載されている場合、「機器動作機能」は家庭用電気機械器具（家電）に関連する動作の機能となる。例えば、図２の装置がコンピュータに搭載されている場合、「機器動作機能」はコンピュータに関連する動作の機能となる。また、図２の装置がテレビに搭載されている場合、「機器動作機能」はテレビに関連する動作の機能となる。なお、例として、車、家庭用電気機械器具（家電）をあげて説明しているが、通信以外の装置はこれに限ったものではない。
【０２７８】
図３は、図１の１０１の端末＃１の構成の図２とは異なる例を示している。図３が図２と異なる点は、第１の送受信装置２０５が制御信号２０９を入力としている点である。なお、図３において、図２と同様に動作するものについては、同一符号を付しており、説明を省略する。
【０２７９】
制御判断部２０８は、データ２０６を入力とし、「第１の送受信装置２０５の送信機能を起動する（wake up）かどうか」の判断、および、「第２の送受信装置２１５を起動する（wake up）かどうか」の判断、および、「第３の送受信装置２２５を起動する（wake up）かどうか」の判断、および、「機器動作機能２１０を起動する（wake up）かどうか」の判断を行い、これらの判断の情報を含む制御信号２０９を出力する。
【０２８０】
第１の送受信装置２０５は、制御信号２０９を入力とし、「第１の送受信装置２０５の送信機能を起動する（wake up）かどうか」の判断の情報を得る。
【０２８１】
このとき、「第１の送受信装置２０５の送信機能を起動する（wake up）」という判断であった場合、第１の送受信装置２０５の送信機能がスリープ状態であった場合、第１の送受信装置２０５の送信機能は起動されることになる。
【０２８２】
「第１の送受信装置２０５の送信機能を起動（wake up）しない」という判断であった場合、第１の送受信装置２０５の送信機能がスリープ状態であった場合、そのまま、第１の送受信装置２０５の送信機能はスリープ状態を維持することになる。なお、第１の送受信装置２０５の送信機能は動作している場合、第１の送受信装置２０５の送信機能はスロープ状態となってもよい。
【０２８３】
そして、第１の送受信装置２０５は、第２の送受信装置２１５、第３の送受信装置２２５、および、機器動作機能２１０は、動作制御信号２５０を入力としている。第１の送受信装置２０５は、動作制御信号２５０に含まれる第１の送信装置の送信機能の動作に関する制御情報により制御されることになる。例えば、第１の送信装置の送信機能の動作に関する制御情報が、「第１の送受信装置２０５の送信機能の動作を停止し、スタンバイの状態に移行」という情報であった場合、第１の送受信装置２０５の送信機能の動作を停止し、スタンバイ状態に移行する。これにより、第１の送受信装置２０５は、消費電力を低減することができる。
【０２８４】
以上のように、第１の送受信装置２０５は、制御信号２０９、動作制御信号２５０により、必要となるときだけ、通信の機能を動作させることにより、消費電力を低減することができるという効果を得ることができる。
【０２８５】
また、制御信号２０９に「第１の送受信装置２０５の送信機能を起動する（wake up）かどうか」の判断の情報以外に、「第１の送受信装置２０５の送信機能をスリープ状態にするための制御情報」が含まれていてもよい。この点については、実施の形態１で説明したとおりである。
【０２８６】
図１２は、図１１の通信装置１１０３、コントローラ１１０２、１１０１＿１のゲートウェイ＃１の時間軸における通信の流れを示している。
【０２８７】
図１３は、図１２の通信後の、１１０１＿１のゲートウェイ＃１と１０１の端末＃１の時間軸における通信の流れの一例を示している。
【０２８８】
図１２の１２００は通信装置１１０３の時間軸における通信の例が示されている。
【０２８９】
そして、１２５１はコントローラ１１０２の時間軸における通信の例が示されており、１２５２は１１０１＿１のゲートウェイ＃１の時間軸における通信の例が示されている。
【０２９０】
図１３の１３００は、１１０１＿１のゲートウェイ＃１の時間軸における通信の例が示されている。
【０２９１】
そして、図１３の１３５１は、１０１の第１の送受信装置２０５の時間軸における通信の例が示されている。
【０２９２】
図１３の１３５２は、１０１の端末＃１の第２の送受信装置２１５の時間軸における通信の例が示されている。
【０２９３】
図１３の１３５３は、１０１の端末＃１の第３の送受信装置２２５の時間軸における通信の例が示されている。
【０２９４】
図１２に示すように、まず、通信装置１１０３は、「起動用フレーム送信」を行う（１２０１）。なお、ここでの例では、「起動用フレーム送信」（１２０１）は、「１０１の端末＃１の第２の送受信装置２１５を起動する（wake up）」という情報が含まれているものとする。また、「起動用フレーム送信」（１２０１）は、通信装置１１０３が送信するものであり、コントローラ１１０２が受信するものであるものとする。
【０２９５】
すると、コントローラ１１０２は、「起動用フレーム」１２０１を受信することになる。そして、コントローラ１１０２は、「起動用フレーム」１２０１の復調などの処理を行い、「１０１の端末＃１の第２の送受信装置２１５を起動する（wake up）」という情報を得ることになる。
【０２９６】
また、コントローラ１１０２は、「起動用フレーム」１２０１を受信し、復調などの処理をすることにより、「起動用フレーム」１２０１は、１０１の端末＃１宛の情報であり、１１０１＿１のゲートウェイ＃１に送信する必要がある、と判断する。したがって、コントローラ１１０２は、「起動用フレーム１２０２」を送信する。このとき、「起動用フレーム１２０２」は、「１０１の端末＃１の第２の送受信装置２１５を起動する（wake up）」という情報が含まれているものとする。
【０２９７】
そして、１１０１＿１のゲートウェイ＃１は、「起動用フレーム」１２０２を受信することになる。つづいて、図１３に示すように、１１０１＿１のゲートウェイ＃１は、「起動用フレーム」１３０１を送信する。なお、「起動用フレーム」１３０１は、「１０１の端末＃１の第２の送受信装置２１５を起動する（wake up）」という情報が含まれているものとする。また、「起動用フレーム送信」（１３０１）は、１１０１＿１のゲートウェイ＃１が送信するものであり、１０１の端末＃１が受信するものであるものとし、また、第１の通信方式に基づいた変調信号で構成されているものとする。
【０２９８】
すると、１０１の端末＃１の第１の送受信装置２０５は、「起動用フレーム」１３０１を受信することになる。そして、１０１の端末＃１の第１の送受信装置２０５は、「起動用フレーム」１３０１の復調などの処理を行い、「１０１の端末＃１の第２の送受信装置２１５を起動（wake up）」という情報を得ることになる。
【０２９９】
よって、図１３に示すように、１０１の端末＃１の第２の送受信装置２１５は起動する（wake up）ことになる。そして、図１１の１００＿１の基地局＃Ａと１０１の端末＃１（の第２の送受信装置２１５）は、通信を開始することになる。
【０３００】
図１３では、例として、通信開始後、１０１の端末＃１の第２の送受信装置２１５が「フレーム」を送信（１３１１）することを示している。
【０３０１】
なお、図１２、図１３の「起動用フレーム１２０１」、「起動用フレーム１２０２」、「起動用フレーム１３０１」は、「１０１の端末＃１の機器動作機能２１０を起動する（wake up）」という情報が含まれていてもよい。このとき、１０１の端末＃１は、「起動用フレーム１２０１」、「起動用フレーム１２０２」、「起動用フレーム１３０１」に基づき、機器動作機能２１０を起動させることになる。
【０３０２】
また、図１２、図１３の「起動用フレーム１２０１」、「起動用フレーム１２０２」、「起動用フレーム１３０１」は、「１０１の端末の第１の送受信装置２０５の送信機能を起動する（wake up）」という情報が含まれていてもよい。このとき、１０１の端末＃１は、「起動用フレーム１２０１」、「起動用フレーム１２０２」、「起動用フレーム１３０１」に基づき、１０１の端末の第１の送受信装置２０５の送信機能を起動させることになる。
【０３０３】
この場合、「起動用フレーム送信」により、同時に複数の装置の起動（wake up）を行っており、これにより、複数回「起動用フレーム」を送信しなくてもよいため、データの伝送速度の高速化を図ることができるという利点がある。
【０３０４】
そして、図１２、図１３の通信後、図１４、図１５のような通信を行ってもよい。この点について、説明する。
【０３０５】
図１４は、図１１の通信装置１１０３、コントローラ１１０２、１１０１＿１のゲートウェイ＃１の時間軸における通信の流れを示している。
【０３０６】
図１５は、図１４の通信後の、１１０１＿１のゲートウェイ＃１と１０１の端末＃１の時間軸における通信の流れの一例を示している。
【０３０７】
図１４の１４００は、１１０１＿１のゲートウェイ＃１の時間軸における通信の例が示されている。
【０３０８】
そして、図１４の１４５１はコントローラ１１０２の時間軸における通信の例が示されており、１４５２は１１０１＿１のゲートウェイ＃１の時間軸における通信の例が示されている。
【０３０９】
図１５の１５００は、１１０１＿１のゲートウェイ＃１の時間軸における通信の例が示されている。
【０３１０】
そして、図１５の１５５１は、１０１の第１の送受信装置２０５の時間軸における通信の例が示されている。
【０３１１】
図１５の１５５２は、１０１の端末＃１の第２の送受信装置２１５の時間軸における通信の例が示されている。
【０３１２】
図１５の１５５３は、１０１の端末＃１の第３の送受信装置２２５の時間軸における通信の例が示されている。
【０３１３】
図１４に示すように、まず、通信装置１１０３は、「起動用フレーム送信」を行う（１４０１）。なお、ここでの例では、「起動用フレーム送信」（１４０１）は、「１０１の端末＃１の第３の送受信装置２２５を起動する（wake up）」という情報が含まれているものとする。また、「起動用フレーム送信」（１４０１）は、通信装置１１０３が送信するものであり、コントローラ１１０２が受信するものであるものとする。
【０３１４】
すると、コントローラ１１０２は、「起動用フレーム」１４０１を受信することになる。そして、コントローラ１１０２は、「起動用フレーム」１４０１の復調などの処理を行い、「１０１の端末＃１の第３の送受信装置２２５を起動する（wake up）」という情報を得ることになる。
【０３１５】
また、コントローラ１１０２は、「起動用フレーム」１４０１を受信し、復調などの処理をすることにより、「起動用フレーム」１４０１は、１０１の端末＃１宛の情報であり、１１０１＿１のゲートウェイ＃１に送信する必要がある、と判断する。したがって、コントローラ１１０２は、「起動用フレーム１４０２」を送信する。このとき、「起動用フレーム１４０２」は、「１０１の端末＃１の第３の送受信装置２２５を起動する（wake up）」という情報が含まれているものとする。
【０３１６】
そして、１１０１＿１のゲートウェイ＃１は、「起動用フレーム」１４０２を受信することになる。つづいて、図１５に示すように、１１０１＿１のゲートウェイ＃１は、「起動用フレーム」１５０１を送信する。なお、「起動用フレーム」１５０１は、「１０１の端末＃１の第３の送受信装置２２５を起動する（wake up）」という情報が含まれているものとする。また、「起動用フレーム送信」（１５０１）は、１１０１＿１のゲートウェイ＃１が送信するものであり、１０１の端末＃１が受信するものであるものとし、また、第１の通信方式に基づいた変調方式で構成されているものとする。
【０３１７】
すると、１０１の端末＃１の第１の送受信装置２０５は、「起動用フレーム」１５０１を受信することになる。そして、１０１の端末＃１の第１の送受信装置２０５は、「起動用フレーム」１５０１の復調などの処理を行い、「１０１の端末＃１の第３の送受信装置２２５を起動（wake up）」という情報を得ることになる。
【０３１８】
よって、図１５に示すように、１０１の端末＃１の第３の送受信装置２２５は起動する（wake up）ことになる。そして、図１１の１００＿２の基地局＃Ｂと１０１の端末＃１（の第３の送受信装置２２５）は、通信を開始することになる。
【０３１９】
図１５では、例として、通信開始後、１０１の端末＃１の第３の送受信装置２２５が「フレーム」を送信（１５１１）することを示している。
【０３２０】
なお、図１４、図１５の「起動用フレーム１４０１」、「起動用フレーム１４０２」、「起動用フレーム１５０１」は、「１０１の端末＃１の機器動作機能２１０を起動する（wake up）」という情報が含まれていてもよい。このとき、１０１の端末＃１は、「起動用フレーム１４０１」、「起動用フレーム１４０２」、「起動用フレーム１５０１」に基づき、機器動作機能２１０を起動させることになる。
【０３２１】
また、図１４、図１５の「起動用フレーム１４０１」、「起動用フレーム１４０２」、「起動用フレーム１５０１」は、「１０１の端末の第１の送受信装置２０５の送信機能を起動する（wake up）」という情報が含まれていてもよい。このとき、１０１の端末＃１は、「起動用フレーム１４０１」、「起動用フレーム１４０２」、「起動用フレーム１５０１」に基づき、１０１の端末の第１の送受信装置２０５の送信機能を起動させることになる。
【０３２２】
この場合、「起動用フレーム送信」により、同時に複数の装置の起動（wake up）を行っており、これにより、複数回「起動用フレーム」を送信しなくてもよいため、データの伝送速度の高速化を図ることができるという利点がある。
【０３２３】
別の通信の例を説明する。
【０３２４】
図１６は、図１１の通信装置１１０３、コントローラ１１０２、１１０１＿１のゲートウェイ＃１の時間軸における通信の流れを示している。
【０３２５】
図１７は、１１０１＿１のゲートウェイ＃１と１０１の端末＃１の時間軸における通信の流れの一例を示している。
【０３２６】
図１６の１６００は、１１０１＿１のゲートウェイ＃１の時間軸における通信の例が示されている。
【０３２７】
そして、図１６の１６５１はコントローラ１１０２の時間軸における通信の例が示されており、１６５２は、１１０１＿１のゲートウェイ＃１の時間軸における通信の例が示されている。
【０３２８】
図１７の１７００は、１１０１＿１のゲートウェイ＃１の時間軸における通信の例が示されている。
【０３２９】
そして、図１７の１７５１は、１０１の第１の送受信装置２０５の時間軸における通信の例が示されている。
【０３３０】
図１７の１７５２は、１０１の端末＃１の第２の送受信装置２１５の時間軸における通信の例が示されている。
【０３３１】
図１７の１７５３は、１０１の端末＃１の第３の送受信装置２２５の時間軸における通信の例が示されている。
【０３３２】
図１６に示すように、まず、通信装置１１０３は、「起動用フレーム送信」を行う（１６０１）。なお、ここでの例では、「起動用フレーム送信」（１６０１）は、「１０１の端末＃１の第２の送受信装置２１５を起動する（wake up）」という情報と「１０１の端末＃１の第３の送受信装置２２５を起動する（wake up）」という情報が含まれているものとする。また、「起動用フレーム送信」（１６０１）は、通信装置１１０３が送信するものであり、コントローラ１１０２が受信するものであるものとする。
【０３３３】
すると、コントローラ１１０２は、「起動用フレーム」１６０１を受信することになる。そして、コントローラ１１０２は、「起動用フレーム」１６０１の復調などの処理を行い、「１０１の端末＃１の第２の送受信装置２１５を起動する（wake up）」という情報と「１０１の端末＃１の第３の送受信装置２２５を起動する（wake up）」という情報を得ることになる。
【０３３４】
また、コントローラ１１０２は、「起動用フレーム」１６０１を受信し、復調などの処理をすることにより、「起動用フレーム」１６０１は、１０１の端末＃１宛の情報であり、１１０１＿１のゲートウェイ＃１に送信する必要がある、と判断する。したがって、コントローラ１１０２は、「起動用フレーム１６０２」を送信する。このとき、「起動用フレーム１６０２」は、「１０１の端末＃１の第２の送受信装置２１５を起動する（wake up）」という情報と「１０１の端末＃１の第３の送受信装置２２５を起動する（wake up）」という情報が含まれているものとする。
【０３３５】
そして、１１０１＿１のゲートウェイ＃１は、「起動用フレーム」１６０２を受信することになる。つづいて、図１７に示すように、１１０１＿１のゲートウェイ＃１は、「起動用フレーム１７０１」を送信する。なお、「起動用フレーム」１７０１は、「１０１の端末＃１の第２の送受信装置２１５を起動する（wake up）」という情報と「１０１の端末＃１の第３の送受信装置２２５を起動する（wake up）」という情報を含んでいるものとする。また、「起動用フレーム送信」（１７０１）は、１１０１＿１のゲートウェイ＃１が送信するものであり、１０１の端末＃１が受信するものであるものとし、また、第１の通信方式に基づいた変調方式で構成されているものとする。
【０３３６】
すると、１０１の端末＃１の第１の送受信装置２０５は、「起動用フレーム」１７０１を受信することになる。そして、１０１の端末＃１の第１の送受信装置２０５は、「起動用フレーム」１７０１の復調などの処理を行い、「１０１の端末＃１の第２の送受信装置２１５を起動する（wake up）」という情報と「１０１の端末＃１の第３の送受信装置２２５を起動する（wake up）」という情報を得ることになる。
【０３３７】
よって、図１７に示すように、１０１の端末＃１の第２の送受信装置２１５は起動する（wake up）ことになる。そして、図１１の１００＿１の基地局＃Ａと１０１の端末＃１（の第２の送受信装置２１５）は、通信を開始することになる。
【０３３８】
図１７では、例として、通信開始後、１０１の端末＃１の第２の送受信装置２１５が「フレーム」を送信（１７１１）することを示している。
【０３３９】
さらに、図１７に示すように、１０１の端末＃１の第３の送受信装置２２５は起動する（wake up）ことになる。そして、図１１の１００＿２の基地局＃Ｂと１０１の端末＃１（の第３の送受信装置２２５）は、通信を開始することになる。
【０３４０】
図１７では、例として、通信開始後、１０１の端末＃１の第３の送受信装置２２５が「フレーム」を送信（１７１２）することを示している。
【０３４１】
なお、図１６、図１７の「起動用フレーム１６０１」、「起動用フレーム１６０２」、「起動用フレーム１７０１」は、「１０１の端末＃１の機器動作機能２１０を起動する（wake up）」という情報が含まれていてもよい。このとき、１０１の端末＃１は、「起動用フレーム１６０１」、「起動用フレーム１６０２」、「起動用フレーム１７０１」に基づき、機器動作機能２１０を起動させることになる。
【０３４２】
また、図１６、図１７の「起動用フレーム１６０１」、「起動用フレーム１６０２」、「起動用フレーム１７０１」は、「１０１の端末の第１の送受信装置２０５の送信機能を起動する（wake up）」という情報が含まれていてもよい。このとき、１０１の端末＃１は、「起動用フレーム１６０１」、「起動用フレーム１６０２」、「起動用フレーム１７０１」に基づき、１０１の端末の第１の送受信装置２０５の送信機能を起動させることになる。
【０３４３】
この場合、「起動用フレーム送信」により、同時に複数の装置の起動（wake up）を行っており、これにより、複数回「起動用フレーム」を送信しなくてもよいため、データの伝送速度の高速化を図ることができるという利点がある。
【０３４４】
次に、図１２、図１３、図１４、図１５、図１６におけるにおいて、「起動（wake up）」後の動作の例について説明する。
【０３４５】
例えば、図１３において、１０１の端末＃１の第１の送受信装置２０５が、「起動フレーム」１３０１を受信後、１０１の端末＃１の第２の送受信装置２１５が起動する。以下では、その後の動作例を説明する。
【０３４６】
１０１の端末＃１の第１の送受信装置２０５が、「起動フレーム」１３０１を受信後、１０１の端末＃１の第２の送受信装置２１５が起動するが、このとき、１０１の端末＃１の第２の送受信装置２１５の通信相手である図１の１００＿１の基地局＃Ａが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」１３０１に、「機器動作機能２１０の起動（wake up）」の情報が含まれていてもよい。そして、この情報により、機器動作機能２１０を起動させてもよい。
【０３４７】
この場合、１０１の端末＃１の第２の送受信装置２１５は起動（wake up）が完了しているため、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第２の送受信装置２１５は、この変調信号を復調することで、「ソフトウェア」または「更新ソフトウェア」を得ることになる。
【０３４８】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第２の送受信装置２１５の起動」と「機器動作機能２１０のソフトウェアの更新」をあわせて実施することで、より確実に「機器動作機能２１０のソフトウェアの更新」を実施することができるという利点がある。
【０３４９】
また、「機器動作機能２１０の起動」、及び、「第２の送受信装置２１５の起動」、及び、「機器動作機能２１０のソフトウェアの更新」をあわせて実施することで、より確実に「機器動作機能２１０のソフトウェアの更新」を実施することができるという利点がある。
【０３５０】
図２、図３において、機器動作機能２１０が、データ２１６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０３５１】
例えば、図１５において、１０１の端末＃１の第１の送受信装置２０５が、「起動フレーム」１５０１を受信後、１０１の端末＃１の第３の送受信装置２２５が起動する。以下では、その後の動作例について説明する。
【０３５２】
１０１の端末＃１の第１の送受信装置２０５が、「起動フレーム」１５０１を受信後、１０１の端末＃１の第３の送受信装置２２５が起動するが、このとき、１０１の端末＃１の第３の送受信装置２２５の通信相手である図１の１００＿２の基地局＃Ｂが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」１５０１に、「機器動作機能２１０の起動（wake up）」の情報が含まれていてもよい。そして、この情報により、機器動作機能２１０を起動させてもよい。
【０３５３】
この場合、１０１の端末＃１の第３の送受信装置２２５は起動（wake up）が完了しているため、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第３の送受信装置２２５は、この変調信号を復調することで、「ソフトウェア」または「更新ソフトウェア」を得ることになる。
【０３５４】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第３の送受信装置２２５の起動」と「機器動作機能２１０のソフトウェアの更新」をあわせて実施することで、より確実に「機器動作機能２１０のソフトウェアの更新」を実施することができるという利点がある。
【０３５５】
また、「機器動作機能２１０の起動」、及び、「第３の送受信装置２２５の起動」、及び、「機器動作機能２１０のソフトウェアの更新」をあわせて実施することで、より確実に「機器動作機能２１０のソフトウェアの更新」を実施することができるという利点がある。
【０３５６】
図２、図３において、機器動作機能２１０が、データ２２６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０３５７】
図７は、図１２、図１４、図１６において、通信装置１１０３が送信する「起動用フレーム」１２０１、１４０１、１６０１の構成の一例と考えることができる。なお、図７において、横軸は時間である。
【０３５８】
プリアンブル７０１は、通信相手が、時間同期、周波数同期、フレーム同期、チャネル推定などを行うためのシンボルである。
【０３５９】
制御情報シンボル７０２は、通信の決まりごとなどを通信相手に通知するためのシンボルであり、例えば、変調信号の通信方式、変調方式、誤り訂正符号化方式などの通知、データ長、パケット長などの通知のために使用する。
【０３６０】
起動関連データシンボル７０３は、通信相手に起動関連のデータを通知するためのシンボルである。
【０３６１】
データシンボル７０４は、通信相手にデータを伝送するためのシンボルである。
【０３６２】
なお、図７のフレーム構成は、あくまでも一例であり、この構成に限ったものではない。また、フレームに図７に示していないシンボルが含まれていてもよい。
【０３６３】
さらに、図７では「プリアンブル」「制御情報シンボル」「起動関連データシンボル」「データシンボル」と名づけているが、呼び名はこれに限ったものではない。例えば、「起動関連データシンボル」を他の呼び方をしてもよい。
【０３６４】
以下では、本実施の形態で重要となる、「起動関連データシンボル７０３」の構成について、詳しく説明する。
【０３６５】
構成例：
例えば、「起動関連データシンボル７０３」の構成として、図８を示す。
【０３６６】
図８に示すように、例えば、「起動関連データシンボル７０３」は、「起動する通信方式の情報８０１」、「起動する通信方式」の通信方式に関する情報８０２、「機器動作機能の起動に関する情報８０３」のいずれかを含むものとする。
【０３６７】
起動する通信方式の情報８０１の構成に関する例を説明する。
【０３６８】
例えば、図１２のように、通信装置１１０３が「起動用フレーム」１２０１を送信し、コントローラ１１０２、１１０１＿１のゲートウェイ＃１を介し、１０１の端末＃１の第２の送受信装置２１５を起動する（wake up）、つまり、第２の通信方式の通信を起動する（wake up）ものとする場合を考える。
【０３６９】
この場合、「起動する通信方式の情報８０１」は、「第２の通信方式の通信を起動する（wake up）する」という情報を含むという構成方法がある。
【０３７０】
例えば、「起動する通信方式の情報８０１」を、２ビットａ０、ａ１で構成するものとし、ａ０、ａ１を通信装置１１０３が送信する。そして、以下のように定義する。
【０３７１】
・ａ０＝０、ａ１＝０のとき、第２の通信方式の通信を起動しない、第３の通信方式の通信を起動しない、とする。
【０３７２】
・ａ０＝１、ａ１＝０のとき、第２の通信方式の通信を起動する、第３の通信方式の通信を起動しない、とする。
【０３７３】
・ａ０＝０、ａ１＝１のとき、第２の通信方式の通信を起動しない、第３の通信方式の通信を起動する、とする。
【０３７４】
・ａ０＝１、ａ１＝１のとき、第２の通信方式の通信を起動する、第３の通信方式の通信を起動する、とする。
【０３７５】
当然であるが、２ビットａ０、ａ１を含む「起動する通信方式の情報８０１」に相当する情報を、コントローラ１１０２が送信する「起動用フレーム１２０２」、１１０１＿１のゲートウェイ＃１が送信する「起動用フレーム１３０１」が含んでいることになる。
【０３７６】
別の例について説明する。図１２の場合、通信装置１１０３が「起動用フレーム」１２０１を送信し、コントローラ１１０２、１１０１＿１のゲートウェイ＃１を介し、１０１の端末＃１の第２の送受信装置２１５を起動する（wake up）、つまり、第２の通信方式の通信を起動（wake up）している。そして、１０１の端末＃１の第３の送受信装置２２５を起動（wake up）しない、つまり、第３の通信方式の通信を起動（wake up）しないものとしている。
【０３７７】
よって、「起動する通信方式の情報８０１」は、通信方式ごとに、「起動する」、「起動しない」という情報を含むというような構成であってもよい。
【０３７８】
１０１の端末＃１が、図２、図３のような構成の場合、通信可能な通信方式は、第２の通信方式、第３の通信方式がある。したがって、図１２の場合、
・「第２の通信方式の通信を起動（wake up）する」
・「第３の通信方式の通信を起動（wake up）しない」
という情報を「起動する通信方式の情報８０１」とする。
【０３７９】
例えば、「起動する通信方式の情報８０１」を、ｂ０、ｂ１の２ビットで構成するものとし、通信装置１０３が送信する。そして、以下のように定義する。
【０３８０】
・ｂ０を第２の通信方式の通信に関するビットとし、ｂ０＝０のとき「第２の通信方式の通信を起動しない」と定義し、ｂ０＝１のとき「第２の通信方式の通信を起動する」と定義する。
【０３８１】
・ｂ１を第３の通信方式の通信に関するビットとし、ｂ１＝０のとき「第３の通信方式の通信を起動しない」と定義し、ｂ１＝１のとき「第３の通信方式の通信を起動する」と定義する。
【０３８２】
当然であるが、２ビットｂ０、ｂ１を含む「起動する通信方式の情報８０１」に相当する情報を、コントローラ１１０２が送信する「起動用フレーム１２０２」、１１０１＿１のゲートウェイ＃１が送信する「起動用フレーム１３０１」が含んでいることになる。
【０３８３】
「起動する通信方式の情報８０１」の情報にあわせて、「起動する通信方式」の通信方式に関する情報を、通信装置１１０３が送信してもよい。
【０３８４】
例えば、第２の通信方式が、「２５ＭＨｚ帯域の変調信号による通信、５０ＭＨｚ帯域の変調信号による通信」をサポートしているものとする。また、第２の通信方式が、「シングルキャリア方式の通信、ＯＦＤＭ（Orthogonal Frequency Division Multiplexing）方式の通信」をサポートしているものとする。
【０３８５】
「起動する通信方式の情報８０１」において、少なくとも「第２通信方式の通信を起動する」という情報を、通信装置１１０３が送信するものとする。このとき、例えば、「起動する通信方式の情報８０１」として、ｃ０、ｃ１を、通信装置１１０３が送信するものとする。なお、ｃ０、ｃ１の定義は以下とする。
【０３８６】
・ｃ０＝０のとき、第２の通信方式において、２５ＭＨｚ帯域の変調信号による通信を行う、と定義し、ｃ０＝１のとき、第２の通信方式において、５０ＭＨｚ帯域の変調信号のよる通信を行う、と定義する。
【０３８７】
・ｃ１＝０のとき、第２の通信方式において、シングルキャリア方式による通信を行う、と定義し、ｃ１＝１のとき、第２の通信方式において、ＯＦＤＭ方式による通信を行う、と定義する。
【０３８８】
また、通信装置１１０３は、「機器動作機能の起動に関する情報８０３」を送信してもよい。例えば、「機器動作機能の起動に関する情報８０３」をｄ０で構成するものとし、通信装置１１０３がｄ０を送信するものとする。このとき、ｄ０を以下のように定義する。
【０３８９】
・ｄ０＝０のとき、機器動作機能２１０を起動しない、と定義し、ｄ０＝１のとき、機器動作機能２１０を起動する、と定義する。
【０３９０】
当然であるが、ｃ０、ｃ１、及び、ｄ０を含む「起動する通信方式の情報８０１」に相当する情報を、コントローラ１１０２が送信する「起動用フレーム１２０２」、１１０１＿１のゲートウェイ＃１が送信する「起動用フレーム１３０１」が含んでいることになる。
【０３９１】
このように、起動関連データシンボル７０３を構成することで、１０１の端末＃１は、起動フレームの情報を得ることができ、好適な装置の起動を行うことが可能となり、１０１の端末＃１の消費電力を低減することができるという効果を得ることができる。
【０３９２】
さらに別の例を説明する。「起動する通信方式の情報８０１」は、通信方式ごとに、例えば、「起動する」、「スリープする」、「状態維持」、「未定義（リザーブ）」という情報を含む構成とする。例えば、「起動する通信方式の情報８０１」を４ビットｅ０、ｅ１、ｅ２、ｅ３で構成するものとし、通信装置１１０３が送信する。そして、以下のように定義する。
【０３９３】
・ｅ０＝０、ｅ１＝０のとき、「第２の通信方式の通信を起動する」と定義する。
【０３９４】
・ｅ０＝１、ｅ１＝０のとき、「第２の通信方式の通信をスリープする」と定義する。例えば、この情報を受信した、１０１の端末＃１は、第２の送受信装置２１５をスリープの状態にするものとする。したがって、１０１の端末＃１は、消費電力をさらに低減することができるという効果を得ることができる。
【０３９５】
・ｅ０＝０、ｅ１＝１のとき、「第２の通信方式の通信状態を現状維持」と定義する。
【０３９６】
・ｅ０＝１、ｅ１＝１のとき、「未定義（または、リザーブ）」とする。（例えば、この情報を得たとき、１０１の端末＃１は無視する。（有効な情報ではないと判断する。）ただし、後に、使用してもよい。）
【０３９７】
・ｅ２＝０、ｅ３＝０のとき、「第３の通信方式の通信を起動する」と定義する。
【０３９８】
・ｅ２＝１、ｅ３＝０のとき、「第３の通信方式の通信をスリープする」と定義する。例えば、この情報を受信した、１０１の端末＃１は、第３の送受信装置２２５をスリープの状態にするものとする。したがって、１０１の端末＃１は、消費電力をさらに低減することができるという効果を得ることができる。
【０３９９】
・ｅ２＝０、ｅ３＝１のとき、「第３の通信方式の通信状態を現状維持」と定義する。
【０４００】
・ｅ２＝１、ｅ３＝１のとき、「未定義（または、リザーブ）」とする。（例えば、この情報を得たとき、１０１の端末＃１は無視する。（有効な情報ではないと判断する。）ただし、後に、使用してもよい。）
【０４０１】
当然であるが、ｅ０、ｅ１、ｅ２、ｅ３を含む「起動する通信方式の情報８０１」に相当する情報を、コントローラ１１０２が送信する「起動用フレーム１２０２」、１１０１＿１のゲートウェイ＃１が送信する「起動用フレーム１３０１」が含んでいることになる。
【０４０２】
このように、起動関連データシンボル７０３を構成することで、１０１の端末＃１は、通信装置１０３の指示により、各通信方式の通信状態を好適に制御されることになり、これにより、端末＃１の消費電力をさらに低減することができるという効果を得ることができる。なお、上述では、「起動する」、「スリープする」、「状態維持」、「未定義（リザーブ）」のモードが存在する例で説明したが、これに限ったものではない。「起動する」、「スリープする」、「状態維持」、「未定義（リザーブ）」のモードのいずれか一つ以上のモードが存在していればよい。
【０４０３】
さらに別の例を説明する。
【０４０４】
通信装置１１０３は、「機器動作機能の起動に関する情報８０３」を送信してもよい。例えば、「機器動作機能の起動に関する情報８０３」をｆ０、ｆ１の２ビットで構成するものとし、通信装置１１０３がｆ０、ｆ１を送信するものとする。このとき、ｆ０を以下のように定義する。
【０４０５】
・ｆ０＝０のとき、機器動作機能２１０を起動しない、と定義し、ｆ０＝１のとき、機器動作機能２１０を起動する、と定義する。
【０４０６】
また、ｆ１を緊急用のデータと定義する。例えば、ｆ１を「機器動作機能に重要な欠陥があることを知らせる」、また、「機器動作機能に重要な欠陥があるため、機器動作機能の動作を停止する」ための情報とする。このとき、例えば、ｆ１を以下のように定義する。
【０４０７】
・ｆ１＝０のとき、「機器動作機能に重要な欠陥がある」、と定義し、ｆ１＝１のとき、「機器動作機能に重要な欠陥があるため、機器動作機能の動作を停止する」、と定義する。
【０４０８】
当然であるが、ｆ０、ｆ１を含む「機器動作機能の起動に関する情報８０３」に相当する情報を、コントローラ１１０２が送信する「起動用フレーム１２０２」、１１０１＿１のゲートウェイ＃１が送信する「起動用フレーム１３０１」が含んでいることになる。
【０４０９】
このようにすることで、１０１の端末＃１の安全性が確保できるという効果を得ることができる。なお、上述において、「機器動作機能に重要な欠陥があるため、機器動作機能の動作を停止する」という指示があることが常用となる。
【０４１０】
次に、「起動関連データシンボル７０３」の、図８とは異なる構成例を図９に示す。なお、図９において、横軸は時間であり、図８と同様に動作するものについては、同一番号を付しており、説明を省略する。図９において、図８と異なる点は、「起動する通信方式の情報」の対象となる端末の情報９０１、「機器動作機能の起動に関する情報」の対象となる端末の情報９０２が存在している点である。
【０４１１】
例えば、「起動する通信方式の情報」の対象となる端末の情報９０１は、通信方式ごとに、「マルチキャスト伝送である」、または、「ユニキャスト伝送である」という情報を含む構成であってもよい。
【０４１２】
１０１の端末＃１が、図２、図３のような構成の場合、「起動する通信方式の情報８０１」として、「第２の通信方式の通信の起動に関する情報」、および、「第３の通信方式の通信の起動に関する情報」があることになる。
【０４１３】
そして、「起動する通信方式の情報」の対象となる端末の情報９０１を、ｇ０、ｇ１の２ビットで構成するものとし、通信装置１１０３がｇ０、ｇ１を送信する。そして、以下のように定義する。
【０４１４】
・コントローラ１１０２、１１０１＿１、１１０１＿２、１１０１＿３のゲートウェイが、「第２の通信方式の通信の起動に関する情報」をマルチキャスト伝送する場合、ｇ０＝０と設定し、コントローラ１１０２、１１０１＿１、１１０１＿２、１１０１＿３のゲートウェイが、「第２の通信方式の通信の起動に関する情報」をユニキャスト伝送する場合、ｇ０＝１と設定する。
【０４１５】
・コントローラ１１０２、１１０１＿１、１１０１＿２、１１０１＿３のゲートウェイが、「第３の通信方式の通信の起動に関する情報」をマルチキャスト伝送する場合、ｇ１＝０と設定し、コントローラ１１０２、１１０１＿１、１１０１＿２、１１０１＿３のゲートウェイが、「第３の通信方法の通信の起動に関する情報」をユニキャスト伝送する場合、ｇ１＝１と設定する。
【０４１６】
また、ｇ０＝１を設定し、「第２の通信方式の通信の起動に関する情報」をユニキャスト伝送する場合、「第２の通信方式の通信の起動に関する情報」の対象となる「端末の種類の情報」、および／または、「端末の固有番号（例えば、端末のＩＤ（identification）、端末のシリアル番号）」をあわせて、通信装置１１０３は送信してもよい。このとき、端末は、「端末の種類の情報」、および／または、「端末の固有番号（例えば、端末のＩＤ（identification）、端末のシリアル番号）」の情報を得ることで、「第２の通信方式の通信の起動に関する情報」が有効であるか、または、無効であるかを判断することになる。
【０４１７】
これにより、端末は、「第２の通信方式の通信の起動に関する情報」の有効・無効の判断を行い、これに伴い制御を行うことで、適切な制御を行うことができるという効果を得ることができる。
【０４１８】
なお、マルチキャストとは、例えば、図１８のように、コントローラ１１０２、１１０１＿１、１１０１＿２、１１０１＿３のゲートウェイが、例えば、１０１の端末＃１、１００２の端末＃２、１００３の端末＃３のように複数の端末に対し、同一情報を含む変調信号を送信することである。
【０４１９】
そして、ｇ０＝０を設定し、「第２の通信方式の通信の起動に関する情報」をマルチキャスト伝送する場合、「第２の通信方式の通信の起動に関する情報」の対象となる「端末の種類の情報」、および／または、「端末の固有番号（例えば、端末のＩＤ（identification）、端末のシリアル番号）」をあわせて、通信装置１１０３は送信してもよい。このとき、端末は、「端末の種類の情報」、および／または、「端末の固有番号（例えば、端末のＩＤ（identification）、端末のシリアル番号）」の情報を得ることで、「第２の通信方式の通信の起動に関する情報」が有効であるか、または、無効であるかを判断することになる。
【０４２０】
これにより、端末は、「第２の通信方式の通信の起動に関する情報」の有効・無効の判断を行い、これに伴い制御を行うことで、適切な制御を行うことができるという効果を得ることができる。
【０４２１】
また、ｇ１＝１を設定し、「第３の通信方式の通信の起動に関する情報」をユニキャスト伝送する場合、「第３の通信方式の通信の起動に関する情報」の対象となる「端末の種類の情報」、および／または、「端末の固有番号（例えば、端末のＩＤ（identification）、端末のシリアル番号）」をあわせて、通信装置１１０３は送信してもよい。このとき、端末は、「端末の種類の情報」、および／または、「端末の固有番号（例えば、端末のＩＤ（identification）、端末のシリアル番号）」の情報を得ることで、「第３の通信方式の通信の起動に関する情報」が有効であるか、または、無効であるかを判断することになる。
【０４２２】
これにより、端末は、「第３の通信方式の通信の起動に関する情報」の有効・無効の判断を行い、これに伴い制御を行うことで、適切な制御を行うことができるという効果を得ることができる。
【０４２３】
そして、ｇ１＝０を設定し、「第３の通信方式の通信の起動に関する情報」をマルチキャスト伝送する場合、「第３の通信方式の通信の起動に関する情報」の対象となる「端末の種類の情報」、および／または、「端末の固有番号（例えば、端末のＩＤ（identification）、端末のシリアル番号）」をあわせて、通信装置１１０３は送信してもよい。このとき、端末は、「端末の種類の情報」、および／または、「端末の固有番号（例えば、端末のＩＤ（identification）、端末のシリアル番号）」の情報を得ることで、「第３の通信方式の通信の起動に関する情報」が有効であるか、または、無効であるかを判断することになる。
【０４２４】
これにより、端末は、「第３の通信方式の通信の起動に関する情報」の有効・無効の判断を行い、これに伴い制御を行うことで、適切な制御を行うことができるという効果を得ることができる。
【０４２５】
当然であるが、これらの情報に相当する情報を、コントローラ１１０２が送信する「起動用フレーム１２０２」、１１０１＿１のゲートウェイ＃１が送信する「起動用フレーム１３０１」が含んでいることになる。
【０４２６】
以上のようにすることで、適切な端末に対し、適切な情報を伝送し、動作を制御することで、端末の消費電力を低減することができるという効果を得ることができる。
【０４２７】
「機器動作機能の起動に関する情報」の対象となる端末の情報９０２は、「マルチキャスト伝送である」、または、「ユニキャスト伝送である」という情報を含む構成であってもよい。
【０４２８】
「機器動作機能の起動に関する情報」の対象となる端末の情報９０２を、ｈ０で構成するものとし、通信装置１１０３がｈ０を送信する。そして、以下のように定義する。
【０４２９】
・コントローラ１１０２、１１０１＿１、１１０１＿２、１１０１＿３のゲートウェイが、「機器動作機能の起動に関する情報」をマルチキャスト伝送する場合、ｈ０＝０と設定し、コントローラ１１０２、１１０１＿１、１１０１＿２、１１０１＿３のゲートウェイが、「機器動作機能の起動に関する情報」をユニキャスト伝送する場合、ｈ０＝１と設定する。
【０４３０】
また、ｈ０＝１を設定し、「機器動作機能の起動に関する情報」をユニキャスト伝送する場合、「機器動作機能の起動に関する情報」の対象となる「端末の種類の情報」、および／または、「端末の固有番号（例えば、端末のＩＤ（identification）、端末のシリアル番号）」をあわせて、通信装置１１０３は送信してもよい。このとき、端末は、「端末の種類の情報」、および／または、「端末の固有番号（例えば、端末のＩＤ（identification）、端末のシリアル番号）」の情報を得ることで「機器動作機能の起動に関する情報」が有効であるか、または、無効であるかを判断することになる。
【０４３１】
これにより、端末は、「機器動作機能の起動に関する情報」の有効・無効の判断を行い、これに伴い制御を行うことで、適切な制御を行うことができるという効果を得ることができる。
【０４３２】
そして、ｈ０＝０を設定し、「機器動作機能の起動に関する情報」をマルチキャスト伝送する場合、「機器動作機能の起動に関する情報」の対象となる「端末の種類の情報」、および／または、「端末の固有番号（例えば、端末のＩＤ（identification）、端末のシリアル番号）」をあわせて、通信装置１１０３は送信してもよい。このとき、端末は、「端末の種類の情報」、および／または、「端末の固有番号（例えば、端末のＩＤ（identification）、端末のシリアル番号）」の情報を得ることで「機器動作機能の起動に関する情報」が有効であるか、または、無効であるかを判断することになる。
【０４３３】
これにより、端末は、「機器動作機能の起動に関する情報」の有効・無効の判断を行い、これに伴い制御を行うことで、適切な制御を行うことができるという効果を得ることができる。
【０４３４】
当然であるが、これらの情報に相当する情報を、コントローラ１１０２が送信する「起動用フレーム１２０２」、１１０１＿１のゲートウェイ＃１が送信する「起動用フレーム１３０１」が含んでいることになる。
【０４３５】
以上ようにすることで、適切な端末に対し、適切な情報を伝送し、動作を制御することで、端末の消費電力を低減することができるという効果を得ることができる。
【０４３６】
上述において、通信装置１１０３、コントローラ１１０２、ゲートウェイが送信する、「起動する通信方式の情報８０１」、「起動する通信方式」の通信方式に関する情報８０２、「機器動作機能の起動に関する情報８０３」、「起動する通信方式の情報」の対象となる端末の情報９０１、「機器動作機能の起動に関する情報」の対象となる端末の情報９０２、それぞれの情報の指示にしたがって、１０１の端末＃１は、例えば、各部分の「起動」、「スリープ」、「状態維持」などの動作を行うことになる。これにより、１０１の端末＃１は、好適の制御が行われ、消費電力が低減するという効果を得ることができる。
【０４３７】
上述の「第１の通信方式」、「第２の通信方式」、「第３の通信方式」の関係については、実施の形態１で説明したとおりである。
【０４３８】
図１２と図１３による通信、図１４と図１５による通信、図１６と図１７による通信において、「起動（wake up）」後の動作の例について、再度説明する。
【０４３９】
例えば、図１３において、１０１の端末＃１の第１の送受信装置２０５が、「起動フレーム」１３０１を受信後、１０１の端末＃１の第２の送受信装置２１５が起動する。以下では、その後の動作例を説明する。
【０４４０】
通信装置１１０３が、「起動用フレーム」１３０１を送信するが、このとき、「起動用フレーム」１３０１には、「１００＿１の基地局＃Ａの変調信号を用いて、「機器動作機能２１０の動作を実行するためのソフトウェア」のデータ、または、「機器動作機能２１０の動作を実行するための更新ソフトウェア」のデータを送信する」、という情報が含まれているものとする。
【０４４１】
なお、この情報は、「起動用フレーム１２０１」、「起動用フレーム１２０２」に含まれていてもよい。
【０４４２】
したがって、１０１の端末＃１の第１の送受信装置２０５が、「起動フレーム」１３０１を受信後、１０１の端末＃１の第２の送受信装置２１５が起動するが、このとき、１０１の端末＃１の第２の送受信装置２１５の通信相手である図１の１００＿１の基地局＃Ａが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」１３０１に、「機器動作機能２１０の起動（wake up）」の情報が含まれていてもよい。そして、この情報により、機器動作機能２１０を起動させてもよい。また、１０１の端末＃１は、「起動用フレーム」４０１を受信できたことを、通信装置１０３、または、１００＿１の基地局＃Ａに対し通知するための変調信号を送信してもよい。
【０４４３】
よって、１０１の端末＃１の第２の送受信装置２１５は起動（wake up）が完了後、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第２の送受信装置２１５は、この変調信号を復調することで、「ソフトウェア」または「更新ソフトウェア」を得ることになる。
【０４４４】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第２の送受信装置２１５の起動」と「機器動作機能２１０のソフトウェアの更新」をあわせて実施することで、より確実に「機器動作機能２１０のソフトウェアの更新」を実施することができるという利点がある。
【０４４５】
また、「機器動作機能２１０の起動」、及び、「第２の送受信装置２１５の起動」、及び、「機器動作機能２１０のソフトウェアの更新」をあわせて実施することで、より確実に「機器動作機能２１０のソフトウェアの更新」を実施することができるという利点がある。
【０４４６】
図２、図３において、機器動作機能２１０が、データ２１６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０４４７】
なお、「起動用フレーム」１３０１に、「機器動作機能２１０の動作を実行するためのソフトウェア」のデータ、または、「機器動作機能２１０の動作を実行するための更新ソフトウェア」のデータを送信する通信機器（ここでは、１００＿１の基地局＃Ａ、１００＿２の基地局＃Ｂ、通信装置１０３）の情報が含まれていてもよく、この情報に基づくことで、端末＃１は、ソフトウェアの更新を容易に行うことができることになる。
【０４４８】
例えば、図１５において、１０１の端末＃１の第１の送受信装置２０５が、「起動フレーム」１５０１を受信後、１０１の端末＃１の第３の送受信装置２２５が起動する。以下では、その後の動作例について説明する。
【０４４９】
通信装置１１０３が「起動用フレーム１５０１」を送信するが、このとき、「起動用フレーム」１５０１には、「１００＿２の基地局＃Ｂの変調信号を用いて、「機器動作機能２１０の動作を実行するためのソフトウェア」のデータ、または、「機器動作機能２１０の動作を実行するための更新ソフトウェア」のデータを送信する」、という情報が含まれているものとする。
【０４５０】
なお、この情報は、「起動用フレーム１４０１」、「起動用フレーム１４０２」に含まれていてもよい。
【０４５１】
したがって、１０１の端末＃１の第１の送受信装置２０５が、「起動フレーム」１５０１を受信後、１０１の端末＃１の第３の送受信装置２２５が起動するが、このとき、１０１の端末＃１の第３の送受信装置２２５の通信相手である図１の１００＿２の基地局＃Ｂが、「機器動作機能２１０の動作を実行するためのソフトウェア」のデータを含む変調信号、または、「機器動作機能２１０の動作を実行するための更新ソフトウェア」のデータを含む変調信号を送信するものとする。なお、「起動フレーム」１５０１に、「機器動作機能２１０の起動（wake up）」の情報が含まれていてもよい。そして、この情報により、機器動作機能２１０を起動させてもよい。また、１０１の端末＃１は、「起動用フレーム」１５０１を受信できたことを、通信装置１０３、または、１００＿２の基地局＃Ｂに対し通知するための変調信号を送信してもよい。
【０４５２】
よって、１０１の端末＃１の第３の送受信装置２２５は起動（wake up）が完了後、「機器動作機能２１０の動作を実行するためのソフトウェア」のデータを含む変調信号、または、「機器動作機能２１０の動作を実行するための更新ソフトウェア」のデータを含む変調信号を受信することが可能となる。そして、１０１の端末＃１の第３の送受信装置２２５は、この変調信号を復調することで、「ソフトウェア」または「更新ソフトウェア」を得ることになる。
【０４５３】
機器動作機能２１０は、この「「ソフトウェア」または「更新ソフトウェア」」を得、ソフトウェアを更新することで、機器動作が「より正常」に動作する、または、「新しい機能の追加」を行うことができるという効果を得ることができる。なお、「第３の送受信装置２２５の起動」と「機器動作機能２１０のソフトウェアの更新」をあわせて実施することで、より確実に「機器動作機能２１０のソフトウェアの更新」を実施することができるという利点がある。
【０４５４】
また、「機器動作機能２１０の起動」、及び、「第３の送受信装置２２５の起動」、及び、「機器動作機能２１０のソフトウェアの更新」をあわせて実施することで、より確実に「機器動作機能２１０のソフトウェアの更新」を実施することができるという利点がある。
【０４５５】
図２、図３において、機器動作機能２１０が、データ２２６を入力としている（点線で記述している）が、これは、「ソフトウェア」のデータを得るためである。なお、機器動作機能２１０が、「ソフトウェア」を得ると、好適な時期にソフトウェアのインストールを行うことになる。
【０４５６】
なお、「起動用フレーム」１５０１に、「機器動作機能２１０の動作を実行するためのソフトウェア」のデータ、または、「機器動作機能２１０の動作を実行するための更新ソフトウェア」のデータを送信する通信機器（ここでは、１００＿１の基地局＃Ａ、１００＿２の基地局＃Ｂ、通信装置１０３）の情報が含まれていてもよく、この情報に基づくことで、端末＃１は、ソフトウェアの更新を容易に行うことができることになる。
【０４５７】
以上の説明のように、本実施の形態を実施することにより、好適に機器の起動を制御することで、機器の消費電力を低減することができるという効果を得ることができる。
【０４５８】
なお、本実施の形態において、情報、シンボルの構成方法は、図７、図８、図９に限ったものではなく、情報、シンボルの構成方法、情報、シンボルの送信する順番は、図７、図８、図９に限ったものではない。また、図７、図８、図９の情報、シンボルに加え、他の情報、制御情報シンボル、パイロットシンボル、リファレンスシンボルなどをあわせて送信してもよい。
【０４５９】
また、図１１、図１８において、各機器に対し、通信装置、コントローラ、ゲートウェイ、端末、基地局と名づけて説明しているが、呼び方は、これに限ったものではない。
【０４６０】
さらに、本実施の形態では、第１の通信方式を用いて起動するための通信方式として、第２の通信方式、第３の通信方式の２つがある場合について説明したが、第１の通信方式を用いて起動するための通信方式の数は、２つに限ったものではなく、２つであってもよいし、３つ以上存在していてもよい。
【０４６１】
（実施の形態３）
本実施の形態では、実施の形態１、実施の形態２などで説明した「起動（wake up）」を利用した実施例にについて説明する。
【０４６２】
図１９は、本実施の形態における通信システムの構成の一例を示している。なお、図１９において、図１、図１０と同様に動作するものについては、同一番号を付している。
【０４６３】
１００１の端末＃１は、第１の通信方式を用いて、通信装置１０３と通信を行う。例えば、１００１の端末＃１は、データを含む第１の通信方式の変調信号を生成し、通信装置１０３に送信する。そして、通信装置１０３は、この変調信号を受信し、復調、誤り訂正復号などの処理を行い、データを得ることになる。
【０４６４】
また、通信装置１０３は、データを含む第１の通信方式の変調信号を生成し、１００１の端末＃１に送信する。そして、１００１の端末＃１は、この変調信号を受信し、復調、誤り訂正復号などの処理を行い、データを得ることになる。
【０４６５】
同様に、１００２の端末＃２は、第１の通信方式を用いて、通信装置１０３と通信を行う。例えば、１００２の端末＃２は、データを含む第１の通信方式の変調信号を生成し、通信装置１０３に送信する。そして、通信装置１０３は、この変調信号を受信し、復調、誤り訂正復号などの処理を行い、データを得ることになる。
【０４６６】
また、通信装置１０３は、データを含む第１の通信方式の変調信号を生成し、１００２の端末＃２に送信する。そして、１００２の端末＃２は、この変調信号を受信し、復調、誤り訂正復号などの処理を行い、データを得ることになる。
【０４６７】
１００３の端末＃３は、第１の通信方式を用いて、通信装置１０３と通信を行う。例えば、１００３の端末＃３は、データを含む第１の通信方式の変調信号を生成し、通信装置１０３に送信する。そして、通信装置１０３は、この変調信号を受信し、復調、誤り訂正復号などの処理を行い、データを得ることになる。
【０４６８】
また、通信装置１０３は、データを含む第１の通信方式の変調信号を生成し、１００３の端末＃３に送信する。そして、１００３の端末＃３は、この変調信号を受信し、復調、誤り訂正復号などの処理を行い、データを得ることになる。
【０４６９】
１００４の端末＃４は、第１の通信方式を用いて、通信装置１０３と通信を行う。例えば、１００４の端末＃４は、データを含む第１の通信方式の変調信号を生成し、通信装置１０３に送信する。そして、通信装置１０３は、この変調信号を受信し、復調、誤り訂正復号などの処理を行い、データを得ることになる。
【０４７０】
また、通信装置１０３は、データを含む第１の通信方式の変調信号を生成し、１００４の端末＃４に送信する。そして、１００４の端末＃４は、この変調信号を受信し、復調、誤り訂正復号などの処理を行い、データを得ることになる。
【０４７１】
１００５の端末＃５は、第１の通信方式を用いて、通信装置１０３と通信を行う。例えば、１００５の端末＃５は、データを含む第１の通信方式の変調信号を生成し、通信装置１０３に送信する。そして、通信装置１０３は、この変調信号を受信し、復調、誤り訂正復号などの処理を行い、データを得ることになる。
【０４７２】
また、通信装置１０３は、データを含む第１の通信方式の変調信号を生成し、１００５の端末＃５に送信する。そして、１００５の端末＃５は、この変調信号を受信し、復調、誤り訂正復号などの処理を行い、データを得ることになる。
【０４７３】
１００６の端末＃６は、第１の通信方式を用いて、通信装置１０３と通信を行う。例えば、１００６の端末＃６は、データを含む第１の通信方式の変調信号を生成し、通信装置１０３に送信する。そして、通信装置１０３は、この変調信号を受信し、復調、誤り訂正復号などの処理を行い、データを得ることになる。
【０４７４】
また、通信装置１０３は、データを含む第１の通信方式の変調信号を生成し、１００６の端末＃６に送信する。そして、１００６の端末＃６は、この変調信号を受信し、復調、誤り訂正復号などの処理を行い、データを得ることになる。
【０４７５】
通信装置１０３は、例えば、他の装置から得たデータを、例えば、ネットワーク１０６を介し、例えば、サーバーなどに伝送することになる。なお、データの流れは１０８、１０５の順となる。
【０４７６】
また、通信装置１０３は、他の装置から得たデータを、ネットワーク１０６を介し、例えば、サーバーなどの装置に伝送することになる。なお、データの流れは１０４、１０７の順となる。
【０４７７】
図２は、図１９の１００１の端末＃１、１００２の端末＃２、１００３の端末＃３、１００４の端末＃４、１００５の端末＃５、１００６の端末＃６の構成の一例を示している。詳細の動作については、実施の形態１、実施の形態２などで説明を行っているため、説明を省略する。なお、１００１の端末＃１、１００２の端末＃２、１００３の端末＃３、１００４の端末＃４、１００５の端末＃５、１００６の端末＃６は、第１の通信方式の送受信に対応していない場合、第１の送受信装置２０５に関連する部分を具備していないことになる。また、１００１の端末＃１、１００２の端末＃２、１００３の端末＃３、１００４の端末＃４、１００５の端末＃５、１００６の端末＃６は、第２の通信方式の送受信に対応していない場合、第２の送受信装置２１５に関連する部分を具備していないことになる。そして、１００１の端末＃１、１００２の端末＃２、１００３の端末＃３、１００４の端末＃４、１００５の端末＃５、１００６の端末＃６は、第３の通信方式の送受信に対応していない場合、第３の送受信装置２２５に関連する部分を具備していないことになる。
【０４７８】
図２０は、図１９の通信装置１０３、１００１の端末＃１、１００２の端末＃２、１００３の端末＃３、１００４の端末＃４、１００５の端末＃５、１００６の端末＃６の時間軸における通信の流れの一例を示しており、図２０において横軸は時間とする。
【０４７９】
図２０の２０００は通信装置１０３の時間軸における通信の例が示されている。
【０４８０】
２０５１は、１００１の端末＃１の第１の送受信装置２０５の時間軸における通信の例である。
【０４８１】
２０５２は、１００２の端末＃２の第１の送受信装置２０５の時間軸における通信の例である。
【０４８２】
２０５３は、１００３の端末＃３の第１の送受信装置２０５の時間軸における通信の例である。
【０４８３】
２０５４は、１００４の端末＃４の第１の送受信装置２０５の時間軸における通信の例である。
【０４８４】
２０５５は、１００５の端末＃５の第１の送受信装置２０５の時間軸における通信の例である。
【０４８５】
２０５６は、１００６の端末＃６の第１の送受信装置２０５の時間軸における通信の例である。
【０４８６】
なお、図２０では、通信２０５２、２０５３、２０５４、２０５５については示していない。
【０４８７】
図２０に示すように、まず、通信装置１０３は、「起動用フレーム」２００１の送信を行う。ここでの例では、「起動用フレーム」２００１は、「１００１の端末＃１を起動する（wake up）、１００２の端末＃２を起動する（wake up）、１００３の端末＃３を起動する（wake up）、１００４の端末＃４を起動する（wake up）、１００５の端末＃５を起動する（wake up）、１００６の端末＃６を起動する（wake up）」という情報が含まれているものとする。また、「起動用フレーム」２００１は、第１の通信方式に基づいた変調信号で構成されているものとする。そして、実施の形態１、実施の形態２で説明したように、「起動用フレーム」２００１をマルチキャスト送信してもよい。（ユニキャストの送信であってもよい。）
【０４８８】
すると、１００１の端末＃１の第１の送受信装置２０５は、「起動用フレーム」２００１を受信することになる。そして、１００１の端末＃１の第１の送受信装置２０５は、「起動用フレーム」２００１の復調などの処理を行い、「１００１の端末＃１を起動する（wake up）」という情報を得ることになる。よって、図２０において、１００１の端末＃１は、起動する（wake up）ことになる。
【０４８９】
また、１００２の端末＃２の第１の送受信装置２０５は、「起動用フレーム」２００１を受信することになる。そして、１００２の端末＃２の第１の送受信装置２０５は、「起動用フレーム」２００１の復調などの処理を行い、「１００２の端末＃２を起動する（wake up）」という情報を得ることになる。よって、図２０において、１００２の端末＃２は、起動する（wake up）ことになる。
【０４９０】
そして、１００３の端末＃３の第１の送受信装置２０５は、「起動用フレーム」２００１を受信することになる。そして、１００３の端末＃３の第１の送受信装置２０５は、「起動用フレーム」２００１の復調などの処理を行い、「１００３の端末＃３を起動する（wake up）」という情報を得ることになる。よって、図２０において、１００３の端末＃３は、起動する（wake up）ことになる。
【０４９１】
１００４の端末＃４の第１の送受信装置２０５は、「起動用フレーム」２００１を受信することになる。そして、１００４の端末＃４の第１の送受信装置２０５は、「起動用フレーム」２００１の復調などの処理を行い、「１００４の端末＃４を起動する（wake up）」という情報を得ることになる。よって、図２０において、１００４の端末＃４は、起動する（wake up）ことになる。
【０４９２】
１００５の端末＃５の第１の送受信装置２０５は、「起動用フレーム」２００１を受信することになる。そして、１００５の端末＃５の第１の送受信装置２０５は、「起動用フレーム」２００１の復調などの処理を行い、「１００５の端末＃５を起動する（wake up）」という情報を得ることになる。よって、図２０において、１００５の端末＃５は、起動する（wake up）ことになる。
【０４９３】
１００６の端末＃６の第１の送受信装置２０５は、「起動用フレーム」２００１を受信することになる。そして、１００６の端末＃６の第１の送受信装置２０５は、「起動用フレーム」２００１の復調などの処理を行い、「１００６の端末＃６を起動する（wake up）」という情報を得ることになる。よって、図２０において、１００６の端末＃６は、起動する（wake up）ことになる。
【０４９４】
ただし、図２０では、１００１の端末＃１、１００２の端末＃２、１００３の端末＃３、１００４の端末＃４、１００５の端末＃５、１００６の端末＃６は、それぞれ第１の送受信装置２０５を具備しているものとしているが、１００１の端末＃１、１００２の端末＃２、１００３の端末＃３、１００４の端末＃４、１００５の端末＃５、１００６の端末＃６の中に、第１の送受信装置２０５を具備していない端末が存在していてもよい。なお、この端末は、起動しないことになる。
【０４９５】
次に、図２０に示すように、通信装置１０３は、「登録用フレーム」２００２を送信する。なお、実施の形態１、実施の形態２などで説明しているように、通信装置１０３は、「登録用フレーム」２００２をマルチキャスト伝送するとよい。ここで、「登録用フレーム」２００２について、以下で説明を行う。
【０４９６】
図１９の通信装置１０３は、ネットワーク１０６を介し、サーバーと接続することになる。そして、サーバー、または、サーバーと通信を行う機器が、「機器動作機能２１０の動作を実行するためのソフトウェア」のデータを含む変調信号、または、「機器動作機能２１０の動作を実行するための更新ソフトウェア」のデータ（を含む変調信号）を通信装置１０３に対し送信する。そして、これらのソフトウェアのデータを含む変調信号を、通信装置１０３は、端末に送信するものとする。（ただし、ソフトウェアを例に説明したが、それ以外の情報であってもよい。）
【０４９７】
このとき、通信装置１０３、および、サーバーは、通信装置１０３が通信可能な端末を把握しておくと、確実にソフトウェアなどの情報を提供することができるという利点がある。
【０４９８】
「登録用フレーム」２００２は、端末の状況を把握するためのフレームである。したがって、「登録用フレーム」２００２は、端末に対し、「端末固有の情報（例えば、端末の機種、端末の型番、端末のシリアルナンバー、端末のＩＤ（identification）など）の送信を指示する」情報を含むことになる。
【０４９９】
したがって、図２０に示すように、１００１の端末＃１は、「登録用フレーム」２００２を受信し、「フレーム」２０１１を送信する。なお、「フレーム」２０１１は、１００１の端末＃１の端末固有の情報（例えば、端末の機種、端末の型番、端末のシリアルナンバー、端末のＩＤなど）が含まれており、この情報を含む変調信号を、１００１の端末＃１は送信することになる。（なお、例として、この変調信号は、第１の通信方式の変調信号であるものとする。）そして、図２０に示すように、通信装置１０３は、「フレーム２０１１」を受信し、１００１の端末＃１に関する情報を得ることになる。
【０５００】
同様に、１００２の端末＃２は、「登録用フレーム」２００２を受信し、「フレーム」２０１２を送信する。ただし、図２０には、この点は図示していない。なお、「フレーム」２０１２は、１００２の端末＃２の端末固有の情報（例えば、端末の機種、端末の型番、端末のシリアルナンバー、端末のＩＤなど）が含まれており、この情報を含む変調信号を、１００２の端末＃２は送信することになる。（なお、例として、この変調信号は、第１の通信方式の変調信号であるものとする。）そして、通信装置１０３は、「フレーム２０１２」を受信し、１００２の端末＃２に関する情報を得ることになる。
【０５０１】
そして、１００３の端末＃３は、「登録用フレーム」２００２を受信し、「フレーム」２０１３を送信する。ただし、図２０には、この点は図示していない。なお、「フレーム」２０１３は、１００３の端末＃３の端末固有の情報（例えば、端末の機種、端末の型番、端末のシリアルナンバー、端末のＩＤなど）が含まれており、この情報を含む変調信号を、１００３の端末＃３は送信することになる。（なお、例として、この変調信号は、第１の通信方式の変調信号であるものとする。）そして、通信装置１０３は、「フレーム２０１３」を受信し、１００３の端末＃３に関する情報を得ることになる。
【０５０２】
１００４の端末＃４は、「登録用フレーム」２００２を受信し、「フレーム」２０１４を送信する。ただし、図２０には、この点は図示していない。なお、「フレーム」２０１４は、１００４の端末＃４の端末固有の情報（例えば、端末の機種、端末の型番、端末のシリアルナンバー、端末のＩＤなど）が含まれており、この情報を含む変調信号を、１００４の端末＃４は送信することになる。（なお、例として、この変調信号は、第１の通信方式の変調信号であるものとする。）そして、通信装置１０３は、「フレーム２０１４」を受信し、１００４の端末＃４に関する情報を得ることになる。
【０５０３】
１００５の端末＃５は、「登録用フレーム」２００２を受信し、「フレーム」２０１５を送信する。ただし、図２０には、この点は図示していない。なお、「フレーム」２０１５は、１００５の端末＃５の端末固有の情報（例えば、端末の機種、端末の型番、端末のシリアルナンバー、端末のＩＤなど）が含まれており、この情報を含む変調信号を、１００５の端末＃５は送信することになる。（なお、例として、この変調信号は、第１の通信方式の変調信号であるものとする。）そして、通信装置１０３は、「フレーム２０１５」を受信し、１００５の端末＃５に関する情報を得ることになる。
【０５０４】
１００６の端末＃６は、「登録用フレーム」２００２を受信し、「フレーム」２０１６を送信する。ただし、図２０には、この点は図示していない。なお、「フレーム」２０１６は、１００６の端末＃６の端末固有の情報（例えば、端末の機種、端末の型番、端末のシリアルナンバー、端末のＩＤなど）が含まれており、この情報を含む変調信号を、１００５の端末＃６は送信することになる。（なお、例として、この変調信号は、第１の通信方式の変調信号であるものとする。）そして、通信装置１０３は、「フレーム２０１６」を受信し、１００６の端末＃６に関する情報を得ることになる。
【０５０５】
なお、上述の説明では、１００１の端末＃１、１００２の端末＃２、１００３の端末＃３、１００４の端末＃４、１００５の端末＃５、１００６の端末＃６は、それぞれ第１の送受信装置２０５を具備しているものとしているが、１００１の端末＃１、１００２の端末＃２、１００３の端末＃３、１００４の端末＃４、１００５の端末＃５、１００６の端末＃６の中に、第１の送受信装置２０５を具備していない端末が存在していてもよく、第１の送受信装置２０５を具備していない端末は「登録用フレーム」２００２を受信せず、「フレーム」を送信しないことになる。
【０５０６】
また、図２０において、通信装置１０３は、「起動用フレーム」２００１を送信している例を示しているが、通信装置１０３は、「起動用フレーム」２００１を送信しなくてもよい。なお、このとき、複数の端末が存在しているとき、起動している（wake up）端末が、「登録用フレーム」２００２を受信し、その応答となるフレームを送信することになる。
【０５０７】
次に、通信装置１０３とサーバーの通信について説明する。
【０５０８】
図２０に示しているように通信装置１０３は、各端末が送信した「フレーム」を受信することになる。そして、通信装置１０３は「フレーム」の復調などの処理を行い、各端末固有の情報（例えば、端末の機種、端末の型番、端末のシリアルナンバー、端末のＩＤなど）を得ることになる。
【０５０９】
以下では、通信装置１０３が、１００１の端末＃１が送信した「フレーム」２０１１を受信し、「フレーム」２０１１の復調を行い、１００１の端末＃１固有の情報（例えば、端末の機種、端末の型番、端末のシリアルナンバー、端末のＩＤなど）を得たあとの動作を、例として説明する。
【０５１０】
図２１は、通信装置１０３の構成の一例を示しており、図２２は、通信装置１０３の通信相手の一つであるサーバーの構成一例を示している。
【０５１１】
２１０５の送受信装置＃Ａは、アンテナ２１０１で受信した受信信号２１０２を入力とし、復調、誤り訂正復号などの処理を行い、受信データ２１０６を得る。なお、受信信号２１０２は、例えば、図１９における１００１の端末＃１、１００２の端末＃２、１００３の端末＃３、１００４の端末＃４、１００５の端末＃５、１００６の端末＃６のいずれかが送信した変調信号の受信信号である。
【０５１２】
端末固有情報に基づくデータ生成部２１０８は、受信データ２１０６を入力とし、受信データ２１０６に含まれている端末固有情報を抽出し、端末固有情報２１０９（例えば、端末の機種、端末の型番、端末のシリアルナンバー、端末のＩＤなど）を出力する。例えば、１００１の端末＃１が送信した変調信号を受信し得た受信データ２１０６である場合、端末固有情報２１０９は、１００１の端末＃１の端末固有情報となる。
【０５１３】
２１１１の送受信装置＃Ｂは、データ２１１０、および、端末固有情報２１０９を入力とし、これらのデータに基づいて、例えば、変調信号を生成し、送信信号２１１２として出力する。なお、２１１１の送受信装置＃Ｂの通信相手は、サーバーとなる。なお、図１９では、ネットワーク１０６を介している。
【０５１４】
したがって、図２２のサーバーの受信装置２２０２、変調信号２１１２に相当する受信信号２２０１を入力とし、受信信号２２０１の復調、誤り訂正符号などの処理を行い、受信データ２２０３を出力する。
【０５１５】
記憶部２２０４は、受信データ２２０３を入力とし、受信データ２２０３に含まれる端末固有情報を抽出し、記憶する。
【０５１６】
例えば、通信装置１０３が、１００１の端末＃１と通信を行っている場合、受信データ２２０３は、１００１の端末＃１の端末固有情報を含んでいることになり、したがって、記憶部２２０４は、１００１の端末＃１の端末固有情報を記憶することになる。
【０５１７】
同様に、通信装置１０３が１００２の端末＃２と通信を行っている場合、受信データ２２０３は、１００２の端末＃２の端末固有情報を含んでいることになり、したがって、記憶部２２０４は、１００２の端末＃２の端末固有情報を記憶することになる。
【０５１８】
そして、通信装置１０３が１００６の端末＃６と通信を行っている場合、受信データ２２０３は、１００６の端末＃６の端末固有情報を含んでいることになり、したがって、記憶部２２０４は、１００６の端末＃６の端末固有情報を記憶することになる。
【０５１９】
よって、サーバーが、「１００１の端末＃１が送信したフレーム２０１１、１００２の端末＃２が送信したフレーム２０１２、１００３の端末＃３が送信したフレーム２０１３、１００４の端末＃４が送信したフレーム２０１４、１００５の端末＃５が送信したフレーム２０１５、１００６の端末＃６が送信したフレーム２０１６の受信」を完了していた場合、記憶部２２０４は、「１００１の端末＃１の端末固有情報、１００２の端末＃２の端末固有情報、１００３の端末＃３の端末固有情報、１００４の端末＃４の端末固有情報、１００５の端末固有情報、１００６の端末＃６の端末固有情報」を保持していることになる。
【０５２０】
送信装置２２０７は、データ２２０６を入力とする。そして、データ２２０６に、例えば、「機器動作機能２１０の動作を実行するためのソフトウェア」のデータ、または、「機器動作機能２１０の動作を実行するための更新ソフトウェア」のデータが含まれているものとする。そして、「これらのソフトウェアのデータ」に、これらのソフトウェアの対象となる機器の情報が含まれているものとする。
【０５２１】
記憶部２２０４は、データ２２０６に含まれている「「機器動作機能２１０の動作を実行するためのソフトウェア」のデータ、または、「機器動作機能２１０の動作を実行するための更新ソフトウェア」のデータ」を入力とし、これらのソフトウェアのデータに含まれているソフトウェアの対象となる機器情報を抽出し、このソフトウェアの対象となる機器情報と「１００１の端末＃１の端末固有情報、１００２の端末＃２の端末固有情報、１００３の端末＃３の端末固有情報、１００４の端末＃４の端末固有情報、１００５の端末＃５の端末固有情報、１００６の端末＃６の端末固有情報」の比較を行う。
【０５２２】
そして、ソフトウェアの対象となる機器情報が、１００１の端末＃１、１００２の端末＃２、１００３の端末＃３、１００４の端末＃４、１００５の端末＃５、１００６の端末＃６のいずれかに対応しているものとする。すると、記憶部２２０４は、「対応している」という制御信号２２０５を出力する。
【０５２３】
そして、送信装置２２０７は、制御信号２２０５、データ２２０６を入力とし、制御信号２２０５が、この「対応している」という情報であった場合、データ２２０６に含まれている「「機器動作機能２１０の動作を実行するためのソフトウェア」のデータ、または、「機器動作機能２１０の動作を実行するための更新ソフトウェア」のデータ」を含むデータに対し、例えば、誤り訂正符号化などの処理を行い、送信信号２２０８を出力する。なお、送信信号２２０８は、通信装置１０３が変調信号を送信する際の端末の宛先の情報を含んでいてもよい。
【０５２４】
そして、通信装置１０３は、ネットワーク１０６を介し、送信信号２２０８を受信し、復調、誤り訂正復号などの処理を行うことで、「「機器動作機能２１０の動作を実行するためのソフトウェア」のデータ、または、「機器動作機能２１０の動作を実行するための更新ソフトウェア」のデータ」を得、このデータを含む変調信号を生成し、宛先となる端末に対し、変調信号を送信することになる。なお、この変調信号は、第１の通信方式の変調信号となる。
【０５２５】
一方で、ソフトウェアの対象となる機器情報が、１００１の端末＃１、１００２の端末＃２、１００３の端末＃３、１００４の端末＃４、１００５の端末＃５、１００６の端末＃６のいずれのも対応していない場合、記憶部２２０４は、「対応していない」という制御信号２２０５を出力する。
【０５２６】
そして、送信装置２２０７は、制御信号２２０５、データ２２０６を入力とし、制御信号２２０５が、この「対応していない」という情報であった場合、送信装置２２０７は送信紫苑号２２０８を出力しないことになる。
【０５２７】
上記の動作の例を、図２３を用いて説明する。例えば、通信装置１０３が、１００１の端末＃１に「「機器動作機能２１０の動作を実行するためのソフトウェア」のデータ、または、「機器動作機能２１０の動作を実行するための更新ソフトウェア」のデータ」を送信する場合について説明する。
【０５２８】
図２３において、２０００は、通信装置１０３の時間軸における通信の例である。
【０５２９】
２０５１は、１００１の端末＃１の第１の送受信装置２０５の時間軸における通信の例である。
【０５３０】
２０５２は、１００２の端末＃２の第１の送受信装置２０５の時間軸における通信の例である。
【０５３１】
２０５３は、１００３の端末＃３の第１の送受信装置２０５の時間軸における通信の例である。
【０５３２】
２０５４は、１００４の端末＃４の第１の送受信装置２０５の時間軸における通信の例である。
【０５３３】
２０５５は、１００５の端末＃５の第１の送受信装置２０５の時間軸における通信の例である。
【０５３４】
２０５６は、１００６の端末＃６の第１の送受信装置２０５の時間軸における通信の例である。
【０５３５】
通信装置１０３の通信相手であるサーバーからネットワーク１０６を介し、１００１の端末＃１が対象となる「「機器動作機能２１０の動作を実行するためのソフトウェア」のデータ、または、「機器動作機能２１０の動作を実行するための更新ソフトウェア」のデータ」を含む変調信号が、通信装置１０３に届くものとする。そのとき、「「機器動作機能２１０の動作を実行するためのソフトウェア」のデータ、または、「機器動作機能２１０の動作を実行するための更新ソフトウェア」のデータ」を１００１の端末＃１に伝送するために、通信装置１０３は、「起動用フレーム」２３０１を、１００１の端末＃１宛に送信するものとする。
【０５３６】
１００１の端末＃１は、「起動用フレーム」２３０１を受信し、１００１の端末＃１は起動することになる。
【０５３７】
そして、通信装置１０３は、フレーム２３０２を送信することになる。なお、フレーム２３０２は、１００１の端末＃１が対象となる「「機器動作機能２１０の動作を実行するためのソフトウェア」のデータ、または、「機器動作機能２１０の動作を実行するための更新ソフトウェア」のデータ」が含まれていることになる。
【０５３８】
すると、１００１の端末＃１は、フレーム２３０２を受信する。そして、１００１の端末＃１は、フレーム２３０２に含まれている「「機器動作機能２１０の動作を実行するためのソフトウェア」のデータ、または、「機器動作機能２１０の動作を実行するための更新ソフトウェア」のデータ」により、ソフトウェアの更新を行うことになる。なお、このソフトウェアを得るに至るまでの動作例については、すでに説明したとおりである。
【０５３９】
なお、図２３において、通信装置１０３は、「起動用フレーム」２３０１を送信している例を示しているが、通信装置１０３は、「起動用フレーム」２３０１を送信しなくてもよい。
【０５４０】
本実施の形態において、「「機器動作機能２１０の動作を実行するためのソフトウェア」のデータ、または、「機器動作機能２１０の動作を実行するための更新ソフトウェア」のデータ」のかわりに、「「機器動作機能２１０の動作を実行するためのソフトウェア」のデータ、または、「機器動作機能２１０の動作を実行するための更新ソフトウェア」のデータをダウンロードするためのアクセス先」（例えば、ウェブページ、サーバーなどのアドレス、URL（uniform resource locator）の情報）のデータとして、本実施の形態を実施してもよい。
【０５４１】
このとき、１００１の端末＃１は、「「機器動作機能２１０の動作を実行するためのソフトウェア」のデータ、または、「機器動作機能２１０の動作を実行するための更新ソフトウェア」のデータをダウンロードするためのアクセス先」の情報を得、このアクセス先にアクセスし、「機器動作機能２１０の動作を実行するためのソフトウェア」または「機器動作機能２１０の動作を実行するための更新ソフトウェア」を得、ソフトウェアを更新することになる。なお、１００１の端末＃１が、「機器動作機能２１０の動作を実行するためのソフトウェア」のデータ、または、「機器動作機能２１０の動作を実行するための更新ソフトウェア」のデータをダウンロードするためのアクセス先」の情報を得、このアクセス先にアクセスし、「機器動作機能２１０の動作を実行するためのソフトウェア」または「機器動作機能２１０の動作を実行するための更新ソフトウェア」を得るために、図２４の１００＿１の基地局＃Ａ、１００＿２の基地局＃Ｂにアクセスしてもよい。（１００１の端末＃１は、図２４の１００＿１の基地局＃Ａ、１００＿２の基地局＃Ｂから、これらのソフトウェアを得ることになる。）なお、図２４については、後で説明を行う。
【０５４２】
以上のように、通信装置１０３、および、通信装置１０３の通信相手であるサーバーに対し、通信装置１０３の通信相手である端末の固有情報を提供し、この情報に基づいて、サーバー、および、通信装置１０３がソフトウェアの提供を制御することにより、的確に端末のソフトウェアを更新することができるとともに、ソフトウェアの情報の送信を好適に制御することができるため、無線資源を有効に活用することができるという効果を得ることができる。
【０５４３】
なお、本実施の形態において、各機器に対し、通信装置、端末、サーバーと名づけて説明しているが、各装置の呼び方については、これに限ったものではない。
【０５４４】
（実施の形態４）
本実施の形態では、実施の形態３の変形例について説明する。
【０５４５】
図２４は、本実施の形態における通信システムの構成の一例を示している。なお、図２４において、図１、図１０、図１９と同様に動作するものについては同一番号を付している。
【０５４６】
１００１の端末＃１は、第１の通信方式を用いて、通信装置１０３と通信を行う。例えば、１００１の端末＃１は、データを含む第１の通信方式の変調信号を生成し、通信装置１０３に送信する。そして、通信装置１０３は、この変調信号を受信し、復調、誤り訂正復号などの処理を行い、データを得ることになる。
【０５４７】
また、通信装置１０３は、データを含む第１の通信方式の変調信号を生成し、１００１の端末＃１に送信する。そして、１００１の端末＃１は、この変調信号を受信し、復調、誤り訂正復号などの処理を行い、データを得ることになる。
【０５４８】
同様に、１００２の端末＃２は、第１の通信方式を用いて、通信装置１０３と通信を行う。例えば、１００２の端末＃２は、データを含む第１の通信方式の変調信号を生成し、通信装置１０３に送信する。そして、通信装置１０３は、この変調信号を受信し、復調、誤り訂正復号などの処理を行い、データを得ることになる。
【０５４９】
また、通信装置１０３は、データを含む第１の通信方式の変調信号を生成し、１００２の端末＃２に送信する。そして、１００２の端末＃２は、この変調信号を受信し、復調、誤り訂正復号などの処理を行い、データを得ることになる。
【０５５０】
１００３の端末＃３は、第１の通信方式を用いて、通信装置１０３と通信を行う。例えば、１００３の端末＃３は、データを含む第１の通信方式の変調信号を生成し、通信装置１０３に送信する。そして、通信装置１０３は、この変調信号を受信し、復調、誤り訂正復号などの処理を行い、データを得ることになる。
【０５５１】
また、通信装置１０３は、データを含む第１の通信方式の変調信号を生成し、１００３の端末＃３に送信する。そして、１００３の端末＃３は、この変調信号を受信し、復調、誤り訂正復号などの処理を行い、データを得ることになる。
【０５５２】
１００４の端末＃４は、第１の通信方式を用いて、通信装置１０３と通信を行う。例えば、１００４の端末＃４は、データを含む第１の通信方式の変調信号を生成し、通信装置１０３に送信する。そして、通信装置１０３は、この変調信号を受信し、復調、誤り訂正復号などの処理を行い、データを得ることになる。
【０５５３】
また、通信装置１０３は、データを含む第１の通信方式の変調信号を生成し、１００４の端末＃４に送信する。そして、１００４の端末＃４は、この変調信号を受信し、復調、誤り訂正復号などの処理を行い、データを得ることになる。
【０５５４】
１００５の端末＃５は、第１の通信方式を用いて、通信装置１０３と通信を行う。例えば、１００５の端末＃５は、データを含む第１の通信方式の変調信号を生成し、通信装置１０３に送信する。そして、通信装置１０３は、この変調信号を受信し、復調、誤り訂正復号などの処理を行い、データを得ることになる。
【０５５５】
また、通信装置１０３は、データを含む第１の通信方式の変調信号を生成し、１００５の端末＃５に送信する。そして、１００５の端末＃５は、この変調信号を受信し、復調、誤り訂正復号などの処理を行い、データを得ることになる。
【０５５６】
１００６の端末＃６は、第１の通信方式を用いて、通信装置１０３と通信を行う。例えば、１００６の端末＃６は、データを含む第１の通信方式の変調信号を生成し、通信装置１０３に送信する。そして、通信装置１０３は、この変調信号を受信し、復調、誤り訂正復号などの処理を行い、データを得ることになる。
【０５５７】
また、通信装置１０３は、データを含む第１の通信方式の変調信号を生成し、１００６の端末＃６に送信する。そして、１００６の端末＃６は、この変調信号を受信し、復調、誤り訂正復号などの処理を行い、データを得ることになる。
【０５５８】
また、１００１の端末＃１は、第２の通信方式を用いて１００＿１の基地局＃Ａと通信を行う。詳細については、実施の形態１、実施の形態２で説明したとおりである。
【０５５９】
同様に、１００２の端末＃２は、第２の通信方式を用いて、１００＿１の基地局＃Ａと通信を行う。
【０５６０】
１００３の端末＃３は、第２の通信方式を用いて、１００＿１の基地局＃Ａと通信を行う。
【０５６１】
１００４の端末＃４は、第２の通信方式を用いて、１００＿１の基地局＃Ａと通信を行う。
【０５６２】
１００５の端末＃５は、第２の通信方式を用いて、１０１＿１の基地局＃Ａと通信を行う。
【０５６３】
１００６の端末＃６は、第２の通信方式を用いて、１００＿１の基地局＃Ａと通信を行う。
【０５６４】
そして、１００１の端末＃１は、第３の通信方式を用いて１００＿２の基地局＃Ｂと通信を行う。詳細については、実施の形態１、実施の形態２で説明したとおりである。
【０５６５】
同様に、１００２の端末＃２は、第３の通信方式を用いて、１００＿２の基地局＃Ｂと通信を行う。
【０５６６】
１００３の端末＃３は、第３の通信方式を用いて、１００＿３の基地局＃Ｂと通信を行う。
【０５６７】
１００４の端末＃４は、第３の通信方式を用いて、１００＿４の基地局＃Ｂと通信を行う。
【０５６８】
１００５の端末＃５は、第３の通信方式を用いて、１００＿５の基地局＃Ｂと通信を行う。
【０５６９】
１００６の端末＃６は、第３の通信方式を用いて、１００＿６の基地局＃Ｂと通信を行う。
【０５７０】
通信装置１０３は、例えば、他の装置から得たデータを、例えば、ネットワーク１０６を介し、例えば、サーバーなどに伝送することになる。なお、データの流れは１０８、１０５の順となる。
【０５７１】
また、通信装置１０３は、他の装置から得たデータを、ネットワーク１０６を介し、例えば、サーバーなどの装置に伝送することになる。なお、データの流れは１０４、１０７の順となる。
【０５７２】
図２は、図２４の１００１の端末＃１、１００２の端末＃２、１００３の端末＃３、１００４の端末＃４、１００５の端末＃５、１００６の端末＃６の構成の一例を示している。詳細の動作については、実施の形態１、実施の形態２などで説明を行っているため、説明を省略する。なお、１００１の端末＃１、１００２の端末＃２、１００３の端末＃３、１００４の端末＃４、１００５の端末＃５、１００６の端末＃６は、第１の通信方式の送受信に対応していない場合、第１の送受信装置２０５に関連する部分を具備していないことになる。また、１００１の端末＃１、１００２の端末＃２、１００３の端末＃３、１００４の端末＃４、１００５の端末＃５、１００６の端末＃６は、第２の通信方式の送受信に対応していない場合、第２の送受信装置２１５に関連する部分を具備していないことになる。そして、１００１の端末＃１、１００２の端末＃２、１００３の端末＃３、１００４の端末＃４、１００５の端末＃５、１００６の端末＃６は、第３の通信方式の送受信に対応していない場合、第３の送受信装置２２５に関連する部分を具備していないことになる。
【０５７３】
図２０は、図２４の通信装置１０３、１００１の端末＃１、１００２の端末＃２、１００３の端末＃３、１００４の端末＃４、１００５の端末＃５、１００６の端末＃６の時間軸における通信の流れの一例を示しており、図２０において横軸は時間とする。なお、動作については、実施の形態３ですでに説明を行っているため、説明を省略する。
【０５７４】
次に、通信装置１０３とサーバーの通信について説明する。
【０５７５】
図２０に示しているように通信装置１０３は、各端末が送信した「フレーム」を受信することになる。そして、通信装置１０３は「フレーム」の復調などの処理を行い、各端末固有の情報（例えば、端末の機種、端末の型番、端末のシリアルナンバー、端末のＩＤなど）を得ることになる。
【０５７６】
以下では、通信装置１０３が、１００１の端末＃１が送信した「フレーム」２０１１を受信し、「フレーム」２０１１の復調を行い、１００１の端末＃１固有の情報（例えば、端末の機種、端末の型番、端末のシリアルナンバー、端末のＩＤなど）を得たあとの動作を、例として説明する。
【０５７７】
図２１は、通信装置１０３の構成の一例を示しており、図２２は、通信装置１０３の通信相手であるサーバーの構成の一例を示している。
【０５７８】
２１０５の送受信装置＃Ａは、アンテナ２１０１で受信した受信信号２１０２を入力とし、復調、誤り訂正復号などの処理を行い、受信データ２１０６を得る。なお、受信信号２１０２は、例えば、図１９における１００１の端末＃１、１００２の端末＃２、１００３の端末＃３、１００４の端末＃４、１００５の端末＃５、１００６の端末＃６のいずれかが送信した変調信号の受信信号である。
【０５７９】
端末固有情報に基づくデータ生成部２１０８は、受信データ２１０６を入力とし、受信データ２１０６に含まれている端末固有情報を抽出し、端末固有情報２１０９（例えば、端末の機種、端末の型番、端末のシリアルナンバー、端末のＩＤなど）を出力する。例えば、１００１の端末＃１が送信した変調信号を受信し得た受信データ２１０６である場合、端末固有情報２１０９は、１００１の端末＃１の端末固有情報となる。
【０５８０】
２１１１の送受信装置＃Ｂは、データ２１１０、および、端末固有情報２１０９を入力とし、これらのデータに基づいて、例えば、変調信号を生成し、送信信号２１１２として出力する。なお、２１１１の送受信装置＃Ｂの通信相手は、サーバーとなる。なお、図１９では、ネットワーク１０６を介している。
【０５８１】
したがって、図２２のサーバーの受信装置２２０２、変調信号２１１２に相当する受信信号２２０１を入力とし、受信信号２２０１の復調、誤り訂正符号などの処理を行い、受信データ２２０３を出力する。
【０５８２】
記憶部２２０４は、受信データ２２０３を入力とし、受信データ２２０３に含まれる端末固有情報を抽出し、記憶する。
【０５８３】
例えば、通信装置１０３が、１００１の端末＃１と通信を行っている場合、受信データ２２０３は、１００１の端末＃１の端末固有情報を含んでいることになり、したがって、記憶部２２０４は、１００１の端末＃１の端末固有情報を記憶することになる。
【０５８４】
同様に、通信装置１０３が１００２の端末＃２と通信を行っている場合、受信データ２２０３は、１００２の端末＃２の端末固有情報を含んでいることになり、したがって、記憶部２２０４は、１００２の端末＃２の端末固有情報を記憶することになる。
【０５８５】
そして、通信装置１０３が１００６の端末＃６と通信を行っている場合、受信データ２２０３は、１００６の端末＃６の端末固有情報を含んでいることになり、したがって、記憶部２２０４は、１００６の端末＃６の端末固有情報を記憶することになる。
【０５８６】
よって、サーバーが、「１００１の端末＃１が送信したフレーム２０１１、１００２の端末＃２が送信したフレーム２０１２、１００３の端末＃３が送信したフレーム２０１３、１００４の端末＃４が送信したフレーム２０１４、１００５の端末＃５が送信したフレーム２０１５、１００６の端末＃６が送信したフレーム２０１６の受信」を完了していた場合、記憶部２２０４は、「１００１の端末＃１の端末固有情報、１００２の端末＃２の端末固有情報、１００３の端末＃３の端末固有情報、１００４の端末＃４の端末固有情報、１００５の端末固有情報、１００６の端末＃６の端末固有情報」を保持していることになる。
【０５８７】
また、図２１における端末固有情報に基づくデータ生成部２１０８は、受信データ２１０６を入力とし、受信データ２１０６に含まれている端末固有情報を抽出し、端末固有情報２１０９を出力することになるが、このとき、端末固有情報２１０９に、各端末が対応している通信方式の情報が含まれていてもよい。例えば、１００１の端末＃１が送信した変調信号を受信し得た受信データ２１０６である場合、端末固有情報２１０９は、１００１の端末＃１の端末固有情報となる。
【０５８８】
２１１１の送受信装置＃Ｂは、データ２１１０、および、端末固有情報２１０９を入力とし、これらのデータに基づいて、例えば、変調信号を生成し、送信信号２１１２として出力する。なお、２１１１の送受信装置＃Ｂの通信相手は、サーバーとなる。なお、図１９では、ネットワーク１０６を介している。
【０５８９】
したがって、図２２のサーバーの受信装置２２０２、変調信号２１１２に相当する受信信号２２０１を入力とし、受信信号２２０１の復調、誤り訂正符号などの処理を行い、受信データ２２０３を出力する。
【０５９０】
記憶部２２０４は、受信データ２２０３を入力とし、受信データ２２０３に含まれる端末固有情報を抽出し、記憶する。
【０５９１】
例えば、通信装置１０３が、１００１の端末＃１と通信を行っている場合、受信データ２２０３は、１００１の端末＃１の端末固有情報を含んでいることになり、したがって、記憶部２２０４は、１００１の端末＃１の端末固有情報を記憶することになる。
【０５９２】
同様に、通信装置１０３が１００２の端末＃２と通信を行っている場合、受信データ２２０３は、１００２の端末＃２の端末固有情報を含んでいることになり、したがって、記憶部２２０４は、１００２の端末＃２の端末固有情報を記憶することになる。
・・・
【０５９３】
そして、通信装置１０３が１００６の端末＃６と通信を行っている場合、受信データ２２０３は、１００６の端末＃６の端末固有情報を含んでいることになり、したがって、記憶部２２０４は、１００６の端末＃６の端末固有情報を記憶することになる。
【０５９４】
よって、サーバーが、「１００１の端末＃１が送信したフレーム２０１１、１００２の端末＃２が送信したフレーム２０１２、１００３の端末＃３が送信したフレーム２０１３、１００４の端末＃４が送信したフレーム２０１４、１００５の端末＃５が送信したフレーム２０１５、１００６の端末＃６が送信したフレーム２０１６の受信」を完了していた場合、記憶部２２０４は、「１００１の端末＃１の端末固有情報、１００２の端末＃２の端末固有情報、１００３の端末＃３の端末固有情報、１００４の端末＃４の端末固有情報、１００５の端末固有情報、１００６の端末＃６の端末固有情報」を保持していることになる。
【０５９５】
送信装置２２０７は、データ２２０６を入力とする。そして、データ２２０６に、例えば、「機器動作機能２１０の動作を実行するためのソフトウェア」のデータ、または、「機器動作機能２１０の動作を実行するための更新ソフトウェア」のデータが含まれているものとする。そして、「これらのソフトウェアのデータ」に、これらのソフトウェアの対象となる機器の情報が含まれているものとする。
【０５９６】
記憶部２２０４は、データ２２０６に含まれている「「機器動作機能２１０の動作を実行するためのソフトウェア」のデータ、または、「機器動作機能２１０の動作を実行するための更新ソフトウェア」のデータ」を入力とし、これらのソフトウェアのデータに含まれているソフトウェアの対象となる機器情報を抽出し、このソフトウェアの対象となる機器情報と「１００１の端末＃１の端末固有情報、１００２の端末＃２の端末固有情報、１００３の端末＃３の端末固有情報、１００４の端末＃４の端末固有情報、１００５の端末＃５の端末固有情報、１００６の端末＃６の端末固有情報」の比較を行う。
【０５９７】
そして、ソフトウェアの対象となる機器情報が、１００１の端末＃１、１００２の端末＃２、１００３の端末＃３、１００４の端末＃４、１００５の端末＃５、１００６の端末＃６のいずれかに対応しているものとする。すると、記憶部２２０４は、「対応している」という制御信号２２０５を出力する。
【０５９８】
また、「ソフトウェアの対象となる機器情報が、１００１の端末＃１、１００２の端末＃２、１００３の端末＃３、１００４の端末＃４、１００５の端末＃５、１００６の端末＃６のいずれかに対応している」際、記憶部２２０４は、ソフトウェアの対象となる端末が対応している通信方式の情報を含む制御信号２２０５を出力する。
【０５９９】
そして、送信装置２２０７は、制御信号２２０５、データ２２０６を入力とし、制御信号２２０５が、この「対応している」という情報であった場合、データ２２０６に含まれている「「機器動作機能２１０の動作を実行するためのソフトウェア」のデータ、または、「機器動作機能２１０の動作を実行するための更新ソフトウェア」のデータ」を含むデータに対し、例えば、誤り訂正符号化などの処理を行い、送信信号２２０８を出力する。なお、この送信信号２２０８の宛先は、ソフトウェアが対象となる端末が対応している通信方式の情報におけるソフトウェアが対象となる端末が対応している通信方式に対応した通信装置、つまり、本実施の形態では、図２４の１００＿１の基地局＃Ａ、または、１００＿２の基地局＃Ｂとなる。
【０６００】
そして、図２４の１００＿１の基地局＃Ａ、または、１００＿２の基地局＃Ｂは、送信信号２２０８を受信し、復調、誤り訂正復号などの処理を行うことで、「「機器動作機能２１０の動作を実行するためのソフトウェア」のデータ、または、「機器動作機能２１０の動作を実行するための更新ソフトウェア」のデータ」を得る。このデータを含む変調信号を生成し、宛先となる端末に対し、変調信号を送信することになる。
【０６０１】
一方で、ソフトウェアの対象となる機器情報が、１００１の端末＃１、１００２の端末＃２、１００３の端末＃３、１００４の端末＃４、１００５の端末＃５、１００６の端末＃６のいずれのも対応していない場合、記憶部２２０４は、「対応していない」という制御信号２２０５を出力する。
【０６０２】
そして、送信装置２２０７は、制御信号２２０５、データ２２０６を入力とし、制御信号２２０５が、この「対応していない」という情報であった場合、送信装置２２０７は送信信号２２０８を出力しないことになる。
【０６０３】
上記の動作の例を、図２５を用いて説明する。例えば、図２４の１００＿１の基地局＃Ａが、１００１の端末＃１に「「機器動作機能２１０の動作を実行するためのソフトウェア」のデータ、または、「機器動作機能２１０の動作を実行するための更新ソフトウェア」のデータ」を送信する場合について説明する。
【０６０４】
図２５において、２５００は、通信装置１０３の時間軸における通信の例である。
【０６０５】
２５３１は、１００＿１の基地局＃Ａの時間軸における通信の例である。
【０６０６】
２５５１は、１００１の端末＃１の第１の送受信装置２０５の時間軸における通信の例が示されている。
【０６０７】
２５５２は、１００１の端末＃１の第２の送受信装置２１５の時間軸における通信の例が示されている。
【０６０８】
２５５３は、１００１の端末＃１の第３の送受信装置２２５の時間軸における通信の例が示されている。
【０６０９】
通信装置１０３は、「起動用フレーム」２５０１を、１００１の端末＃１宛に送信するものとする。
【０６１０】
このとき、サーバーは、１００１の端末＃１が対象となる「「機器動作機能２１０の動作を実行するためのソフトウェア」のデータ、または、「機器動作機能２１０の動作を実行するための更新ソフトウェア」のデータ」を含む変調信号を１００＿１の基地局＃Ａに送信することになる。したがって、１００＿１の基地局＃Ａは、「「機器動作機能２１０の動作を実行するためのソフトウェア」のデータ、または、「機器動作機能２１０の動作を実行するための更新ソフトウェア」のデータ」を得ていることになる。
【０６１１】
１００１の端末＃１（の第１の送受信装置２０５）は、「起動用フレーム」２５０１を受信し、１００１の端末＃１は起動することになる。
【０６１２】
そして、１００＿１の基地局＃Ａは、「「機器動作機能２１０の動作を実行するためのソフトウェア」のデータ、または、「機器動作機能２１０の動作を実行するための更新ソフトウェア」のデータ」を含む「フレーム」２５０２を送信することになる。
【０６１３】
すると、１００１の端末＃１（の第２の送受信装置２１５）は、「フレーム」２５０２を受信することになる。そして、１００１の端末＃１（の第２の送受信装置２１５）は、「フレーム」２５０２に含まれている「「機器動作機能２１０の動作を実行するためのソフトウェア」のデータ、または、「機器動作機能２１０の動作を実行するための更新ソフトウェア」のデータ」により、ソフトウェアの更新を行うことになる。なお、ソフトウェアを得るに至るまでの動作例については、すでに説明したとおりである。
【０６１４】
なお、図２５において、通信装置１０３は、「起動用フレーム」２５０１を送信している例を示しているが、通信装置１０３は、「起動用フレーム」２５０１を送信しなくてもよい。
【０６１５】
本実施の形態において、「「機器動作機能２１０の動作を実行するためのソフトウェア」のデータ、または、「機器動作機能２１０の動作を実行するための更新ソフトウェア」のデータ」のかわりに、「「機器動作機能２１０の動作を実行するためのソフトウェア」のデータ、または、「機器動作機能２１０の動作を実行するための更新ソフトウェア」のデータをダウンロードするためのアクセス先」（例えば、ウェブページ、サーバーなどのアドレス、URL（uniform resource locator）の情報）のデータとして、本実施の形態を実施してもよい。
【０６１６】
このとき、１００１の端末＃１は、「「機器動作機能２１０の動作を実行するためのソフトウェア」のデータ、または、「機器動作機能２１０の動作を実行するための更新ソフトウェア」のデータをダウンロードするためのアクセス先」の情報を得、このアクセス先にアクセスし、「機器動作機能２１０の動作を実行するためのソフトウェア」または「機器動作機能２１０の動作を実行するための更新ソフトウェア」を得、ソフトウェアを更新することになる。
【０６１７】
以上のように、通信装置１０３、および、通信装置１０３の通信相手であるサーバーに対し、通信装置１０３の通信相手である端末の固有情報を提供し、この情報に基づいて、サーバー、および、通信装置１０３がソフトウェアの提供を制御することにより、的確に端末のソフトウェアを更新することができるとともに、ソフトウェアの情報の送信を好適に制御することができるため、無線資源を有効に活用することができるという効果を得ることができる。
【０６１８】
なお、本実施の形態において、各機器に対し、通信装置、端末、サーバーと名づけて説明しているが、各装置の呼び方については、これに限ったものではない。
【０６１９】
（実施の形態５）
本実施の形態では、実施の形態１、実施の形態２などで説明した「起動（wake up）」を利用した実施例について説明する。
【０６２０】
図２６は、本実施の形態における通信システムの構成の一例を示している。なお、図２６において、図１、図１０、図１１と同様に動作するものについては、同一番号を付している。
【０６２１】
１００１の端末＃１は、第１の通信方式を用いて、ゲートウェイと通信を行う。具体的な動作については、実施の形態２で説明を行っているので、説明を省略する。
【０６２２】
同様に、１００２の端末＃２は、第１の通信方式を用いて、ゲートウェイと通信を行う。
【０６２３】
１００３の端末＃３は、第１の通信方式を用いて、ゲートウェイと通信を行う。
【０６２４】
１００４の端末＃４は、第１の通信方式を用いて、ゲートウェイと通信を行う。
【０６２５】
１００５の端末＃５は、第１の通信方式を用いて、ゲートウェイと通信を行う。
【０６２６】
１００６の端末＃６は、第１の通信方式を用いて、ゲートウェイと通信を行う。
【０６２７】
そして、１１０１＿１のゲートウェイ＃１は、コントローラ１１０２と通信を行い、１１０１＿２のゲートウェイ＃２は、コントローラ１１０２と通信を行い、１１０１＿３のゲートウェイ＃３は、コントローラ１１０２と通信を行う。具体的な動作については、実施の形態２で説明したとおりであるので、説明を省略する。
【０６２８】
コントローラ１１０２は、通信装置１１０３と通信を行う。具体的な動作については、実施の形態２で説明したとおりであるので、説明を省略する。
【０６２９】
通信装置１１０３は、ネットワーク１１０４を介し、例えば、サーバーと通信を行っているものとする。
【０６３０】
図２は、図１９の１００１の端末＃１、１００２の端末＃２、１００３の端末＃３、１００４の端末＃４、１００５の端末＃５、１００６の端末＃６の構成の一例を示している。詳細の動作については、実施の形態１、実施の形態２などで説明を行っているため、説明を省略する。なお、１００１の端末＃１、１００２の端末＃２、１００３の端末＃３、１００４の端末＃４、１００５の端末＃５、１００６の端末＃６は、第１の通信方式の送受信に対応していない場合、第１の送受信装置２０５に関連する部分を具備していないことになる。また、１００１の端末＃１、１００２の端末＃２、１００３の端末＃３、１００４の端末＃４、１００５の端末＃５、１００６の端末＃６は、第２の通信方式の送受信に対応していない場合、第２の送受信装置２１５に関連する部分を具備していないことになる。そして、１００１の端末＃１、１００２の端末＃２、１００３の端末＃３、１００４の端末＃４、１００５の端末＃５、１００６の端末＃６は、第３の通信方式の送受信に対応していない場合、第３の送受信装置２２５に関連する部分を具備していないことになる。
【０６３１】
図２７は、図２６の通信装置１１０３、１００１の端末＃１、１００２の端末＃２、１００３の端末＃３、１００４の端末＃４、１００５の端末＃５、１００６の端末＃６の時間軸における通信の流れの一例を示しており、図２７において横軸は時間とする。
【０６３２】
図２７の２７００は、通信装置１１０３の時間軸における通信の例が示されている。
【０６３３】
２７５１は、１００１の端末＃１の第１の送受信装置２０５の時間軸における通信の例である。
【０６３４】
２７５２は、１００２の端末＃２の第１の送受信装置２０５の時間軸における通信の例である。
【０６３５】
２７５３は、１００３の端末＃３の第１の送受信装置２０５の時間軸における通信の例である。
【０６３６】
２７５４は、１００４の端末＃４の第１の送受信装置２０５の時間軸における通信の例である。
【０６３７】
２７５５は、１００５の端末＃５の第１の送受信装置２０５の時間軸における通信の例である。
【０６３８】
２７５６は、１００６の端末＃６の第１の送受信装置２０５の時間軸における通信の例である。
【０６３９】
なお、図２７では、通信２７５２、２７５３、２７５４、２７５５については示していない。
【０６４０】
図２７に示すように、まず、通信装置１０３は、「起動用フレーム」２７０１の送信を行う。ここでの例では、「起動用フレーム」２７０１は、「１００１の端末＃１を起動する（wake up）、１００２の端末＃２を起動する（wake up）、１００３の端末＃３を起動する（wake up）、１００４の端末＃４を起動する（wake up）、１００５の端末＃５を起動する（wake up）、１００６の端末＃６を起動する（wake up）」という情報が含まれているものとする。また、通信装置１１０３は、「起動用フレーム」２７０１を送信し、コントローラ１１０２、および、「１１０１＿１のゲートウェイ＃１、または、１１０１＿２のゲートウェイ＃２、または、１１０１＿３のゲートウェイ＃３」を介し、「１００１の端末＃１、１００２の端末＃２、１００３の端末＃３、１００４の端末＃４、１００５の端末＃５、１００６の端末＃６」に伝送する。そして、実施の形態１、実施の形態２で説明したように、「起動用フレーム」２７０１をマルチキャスト送信してもよい。（ユニキャストの送信であってもよい。）
【０６４１】
すると、１００１の端末＃１の第１の送受信装置２０５は、「起動用フレーム」２７０１を受信することになる。そして、１００１の端末＃１の第１の送受信装置２０５は、「起動用フレーム」２００１の復調などの処理を行い、「１００１の端末＃１を起動する（wake up）」という情報を得ることになる。よって、図２７において、１００１の端末＃１は、起動する（wake up）ことになる。
【０６４２】
また、１００２の端末＃２の第１の送受信装置２０５は、「起動用フレーム」２７０１を受信することになる。そして、１００２の端末＃２の第１の送受信装置２０５は、「起動用フレーム」２００１の復調などの処理を行い、「１００２の端末＃２を起動する（wake up）」という情報を得ることになる。よって、図２７において、１００２の端末＃２は、起動する（wake up）ことになる。
【０６４３】
そして、１００３の端末＃３の第１の送受信装置２０５は、「起動用フレーム」２７０１を受信することになる。そして、１００３の端末＃３の第１の送受信装置２０５は、「起動用フレーム」２００１の復調などの処理を行い、「１００３の端末＃３を起動する（wake up）」という情報を得ることになる。よって、図２７において、１００３の端末＃３は、起動する（wake up）ことになる。
【０６４４】
１００４の端末＃４の第１の送受信装置２０５は、「起動用フレーム」２７０１を受信することになる。そして、１００４の端末＃４の第１の送受信装置２０５は、「起動用フレーム」２００１の復調などの処理を行い、「１００４の端末＃４を起動する（wake up）」という情報を得ることになる。よって、図２７において、１００４の端末＃４は、起動する（wake up）ことになる。
【０６４５】
１００５の端末＃５の第１の送受信装置２０５は、「起動用フレーム」２７０１を受信することになる。そして、１００５の端末＃５の第１の送受信装置２０５は、「起動用フレーム」２００１の復調などの処理を行い、「１００５の端末＃５を起動する（wake up）」という情報を得ることになる。よって、図２７において、１００５の端末＃５は、起動する（wake up）ことになる。
【０６４６】
１００６の端末＃６の第１の送受信装置２０５は、「起動用フレーム」２７０１を受信することになる。そして、１００６の端末＃６の第１の送受信装置２０５は、「起動用フレーム」２００１の復調などの処理を行い、「１００６の端末＃６を起動する（wake up）」という情報を得ることになる。よって、図２７において、１００６の端末＃６は、起動する（wake up）ことになる。
【０６４７】
ただし、図２７では、１００１の端末＃１、１００２の端末＃２、１００３の端末＃３、１００４の端末＃４、１００５の端末＃５、１００６の端末＃６は、それぞれ第１の送受信装置２０５を具備しているものとしているが、１００１の端末＃１、１００２の端末＃２、１００３の端末＃３、１００４の端末＃４、１００５の端末＃５、１００６の端末＃６の中に、第１の送受信装置２０５を具備していない端末が存在していてもよい。なお、この端末は、起動しないことになる。
【０６４８】
次に、図２７に示すように、通信装置１１０３は、「登録用フレーム」２７０２を送信する。なお、通信装置１１０３は、「登録用フレーム」２７０２を送信し、コントローラ１１０２、および、「１１０１＿１のゲートウェイ＃１、または、１１０１＿２のゲートウェイ＃２、または、１１０１＿３のゲートウェイ＃３」を介し、「１００１の端末＃１、１００２の端末＃２、１００３の端末＃３、１００４の端末＃４、１００５の端末＃５、１００６の端末＃６」に伝送する。そして、実施の形態１、実施の形態２で説明したように、「登録用フレーム」２７０２をマルチキャスト送信してもよい。（ユニキャストの送信であってもよい。）ここで、「登録用フレーム」２７０２について、以下で説明を行う。
【０６４９】
図２６の通信装置１１０３は、ネットワーク１１０４を介し、サーバーと接続することになる。そして、サーバー、または、サーバーと通信を行う機器が、「機器動作機能２１０の動作を実行するためのソフトウェア」のデータを含む変調信号、または、「機器動作機能２１０の動作を実行するための更新ソフトウェア」のデータ（を含む変調信号）を通信装置１１０３に対し送信する。そして、これらのソフトウェアのデータを含む変調信号を、通信装置１１０３は、コントローラ１１０２、および、「１１０１＿１のゲートウェイ＃１、または、１１０１＿２のゲートウェイ＃２、または、１１０１＿３のゲートウェイ＃３」を介し、端末に伝送するものとする。（ただし、ソフトウェアを例に説明したが、それ以外の情報であってもよい。）
【０６５０】
このとき、通信装置１１０３、および、サーバーは、通信装置１１０３が通信可能な端末を把握しておくと、確実にソフトウェアなどの情報を提供することができるという利点がある。また、コントローラ１１０２が通信可能な端末を把握していてもよく、このようにすることで、確実にソフトウェアなどの情報を提供することができるという利点がある。
【０６５１】
「登録用フレーム」２７０２は、端末の状況を把握するためのフレームである。したがって、「登録用フレーム」２７０２は、端末に対し、「端末固有の情報（例えば、端末の機種、端末の型番、端末のシリアルナンバー、端末のＩＤなど）の送信を指示する」情報を含むことになる。
【０６５２】
したがって、図２７に示すように、１００１の端末＃１は、「登録用フレーム」２７０１を受信し、「フレーム」２７１１を送信する。なお、「フレーム」２７１１は、１００１の端末＃１の端末固有の情報（例えば、端末の機種、端末の型番、端末のシリアルナンバー、端末のＩＤなど）が含まれており、この情報を含む変調信号を、１００１の端末＃１は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１１」を受信し、１００１の端末＃１に関する情報を得、この情報を、コントローラ１１０２を介し、通信装置１１０３が得ることになる。
【０６５３】
同様に、図２７に示すように、１００２の端末＃２は、「登録用フレーム」２７０２を受信し、「フレーム」２７１２を送信する。なお、「フレーム」２７１２は、１００２の端末＃２の端末固有の情報（例えば、端末の機種、端末の型番、端末のシリアルナンバー、端末のＩＤなど）が含まれており、この情報を含む変調信号を、１００２の端末＃２は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１２」を受信し、１００２の端末＃２に関する情報を得、この情報を、コントローラ１１０２を介し、通信装置１１０３が得ることになる。
【０６５４】
図２７に示すように、１００３の端末＃３は、「登録用フレーム」２７０２を受信し、「フレーム」２７１３を送信する。なお、「フレーム」２７１３は、１００３の端末＃３の端末固有の情報（例えば、端末の機種、端末の型番、端末のシリアルナンバー、端末のＩＤなど）が含まれており、この情報を含む変調信号を、１００３の端末＃３は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１３」を受信し、１００３の端末＃３に関する情報を得、この情報を、コントローラ１１０２を介し、通信装置１１０３が得ることになる。
【０６５５】
図２７に示すように、１００４の端末＃４は、「登録用フレーム」２７０２を受信し、「フレーム」２７１４を送信する。なお、「フレーム」２７１４は、１００４の端末＃４の端末固有の情報（例えば、端末の機種、端末の型番、端末のシリアルナンバー、端末のＩＤなど）が含まれており、この情報を含む変調信号を、１００４の端末＃４は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１４」を受信し、１００４の端末＃４に関する情報を得、この情報を、コントローラ１１０２を介し、通信装置１１０３が得ることになる。
【０６５６】
図２７に示すように、１００５の端末＃５は、「登録用フレーム」２７０２を受信し、「フレーム」２７１５を送信する。なお、「フレーム」２７１５は、１００５の端末＃５の端末固有の情報（例えば、端末の機種、端末の型番、端末のシリアルナンバー、端末のＩＤなど）が含まれており、この情報を含む変調信号を、１００５の端末＃５は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１５」を受信し、１００５の端末＃５に関する情報を得、この情報を、コントローラ１１０２を介し、通信装置１１０３が得ることになる。
【０６５７】
図２７に示すように、１００６の端末＃６は、「登録用フレーム」２７０２を受信し、「フレーム」２７１６を送信する。なお、「フレーム」２７１６は、１００６の端末＃６の端末固有の情報（例えば、端末の機種、端末の型番、端末のシリアルナンバー、端末のＩＤなど）が含まれており、この情報を含む変調信号を、１００６の端末＃６は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１６」を受信し、１００６の端末＃６に関する情報を得、この情報を、コントローラ１１０２を介し、通信装置１１０３が得ることになる。
【０６５８】
また、図２７において、通信装置１１０３は、「起動用フレーム」２７０１を送信している例を示しているが、通信装置１１０３は、「起動用フレーム」２７０１を送信しなくてもよい。なお、このとき、複数の端末が存在しているとき、起動している（wake up）端末が、「登録用フレーム」２７０２を、コントローラ１１０２、ゲートウェイを介し、受信し、その応答となるフレームを送信することになる。
【０６５９】
次に、通信装置１１０３とサーバーの通信について説明する。
【０６６０】
図２６に示しているように通信装置１１０３は、各端末が送信した「フレーム」を、ゲートウェイ、コントローラ１１０２を介し、受信することになる。そして、通信装置１１０３は「フレーム」の復調などの処理を行い、各端末固有の情報（例えば、端末の機種、端末の型番、端末のシリアルナンバー、端末のＩＤなど）を得ることになる。
【０６６１】
以下では、通信装置１１０３が、１００１の端末＃１が送信した「フレーム」２７１１を、ゲートウェイ、コントローラ１１０２を介し、受信し、「フレーム」２７１１の復調を行い、１００１の端末＃１固有の情報（例えば、端末の機種、端末の型番、端末のシリアルナンバー、端末のＩＤなど）を得たあとの動作を、例として説明する。
【０６６２】
図２１は、通信装置１１０３の構成の一例を示しており、図２２は、通信装置１１０３の通信相手の一つであるサーバーの構成一例を示している。
【０６６３】
２１０５の送受信装置＃Ａは、アンテナ２１０１で受信した受信信号２１０２を入力とし、復調、誤り訂正復号などの処理を行い、受信データ２１０６を得る。なお、受信信号２１０２は、図２６におけるコントローラ１１０２が送信した変調信号の受信信号である。
【０６６４】
端末固有情報に基づくデータ生成部２１０８は、受信データ２１０６を入力とし、受信データ２１０６に含まれている端末固有情報を抽出し、端末固有情報２１０９（例えば、端末の機種、端末の型番、端末のシリアルナンバー、端末のＩＤなど）を出力する。例えば、１００１の端末＃１が送信し、ゲートウェイ、コントローラ１１０２を介した変調信号を受信し得た受信データ２１０６である場合、端末固有情報２１０９は、１００１の端末＃１の端末固有情報となる。
【０６６５】
２１１１の送受信装置＃Ｂは、データ２１１０、および、端末固有情報２１０９を入力とし、これらのデータに基づいて、例えば、変調信号を生成し、送信信号２１１２として出力する。なお、２１１１の送受信装置＃Ｂの通信相手は、サーバーとなる。なお、図２６では、ネットワーク１１０４を介している。
【０６６６】
したがって、図２２のサーバーの受信装置２２０２、変調信号２１１２に相当する受信信号２２０１を入力とし、受信信号２２０１の復調、誤り訂正符号などの処理を行い、受信データ２２０３を出力する。
【０６６７】
記憶部２２０４は、受信データ２２０３を入力とし、受信データ２２０３に含まれる端末固有情報を抽出し、記憶する。
【０６６８】
例えば、通信装置１１０３が、コントローラ１１０２、ゲートウェイを介し、１００１の端末＃１と通信を行っている場合、受信データ２２０３は、１００１の端末＃１の端末固有情報を含んでいることになり、したがって、記憶部２２０４は、１００１の端末＃１の端末固有情報を記憶することになる。
【０６６９】
同様に、通信装置１１０３が、コントローラ１１０２、ゲートウェイを介し、１００２の端末＃２と通信を行っている場合、受信データ２２０３は、１００２の端末＃２の端末固有情報を含んでいることになり、したがって、記憶部２２０４は、１００２の端末＃２の端末固有情報を記憶することになる。
【０６７０】
そして、通信装置１１０３が、コントローラ１１０２、ゲートウェイを介し、１００６の端末＃６と通信を行っている場合、受信データ２２０３は、１００６の端末＃６の端末固有情報を含んでいることになり、したがって、記憶部２２０４は、１００６の端末＃６の端末固有情報を記憶することになる。
【０６７１】
よって、サーバーが、「１００１の端末＃１が送信したフレーム２７１１、１００２の端末＃２が送信したフレーム２７１２、１００３の端末＃３が送信したフレーム２７１３、１００４の端末＃４が送信したフレーム２７１４、１００５の端末＃５が送信したフレーム２７１５、１００６の端末＃６が送信したフレーム２７１６の受信」を完了していた場合、記憶部２２０４は、「１００１の端末＃１の端末固有情報、１００２の端末＃２の端末固有情報、１００３の端末＃３の端末固有情報、１００４の端末＃４の端末固有情報、１００５の端末固有情報、１００６の端末＃６の端末固有情報」を保持していることになる。
【０６７２】
送信装置２２０７は、データ２２０６を入力とする。そして、データ２２０６に、例えば、「機器動作機能２１０の動作を実行するためのソフトウェア」のデータ、または、「機器動作機能２１０の動作を実行するための更新ソフトウェア」のデータが含まれているものとする。そして、「これらのソフトウェアのデータ」に、これらのソフトウェアの対象となる機器の情報が含まれているものとする。
【０６７３】
記憶部２２０４は、データ２２０６に含まれている「「機器動作機能２１０の動作を実行するためのソフトウェア」のデータ、または、「機器動作機能２１０の動作を実行するための更新ソフトウェア」のデータ」を入力とし、これらのソフトウェアのデータに含まれているソフトウェアの対象となる機器情報を抽出し、このソフトウェアの対象となる機器情報と「１００１の端末＃１の端末固有情報、１００２の端末＃２の端末固有情報、１００３の端末＃３の端末固有情報、１００４の端末＃４の端末固有情報、１００５の端末＃５の端末固有情報、１００６の端末＃６の端末固有情報」の比較を行う。
【０６７４】
そして、ソフトウェアの対象となる機器情報が、１００１の端末＃１、１００２の端末＃２、１００３の端末＃３、１００４の端末＃４、１００５の端末＃５、１００６の端末＃６のいずれかに対応しているものとする。すると、記憶部２２０４は、「対応している」という制御信号２２０５を出力する。
【０６７５】
そして、送信装置２２０７は、制御信号２２０５、データ２２０６を入力とし、制御信号２２０５が、この「対応している」という情報であった場合、データ２２０６に含まれている「「機器動作機能２１０の動作を実行するためのソフトウェア」のデータ、または、「機器動作機能２１０の動作を実行するための更新ソフトウェア」のデータ」を含むデータに対し、例えば、誤り訂正符号化などの処理を行い、送信信号２２０８を出力する。なお、送信信号２２０８は、通信装置１１０３が変調信号を送信する際の端末の宛先の情報を含んでいてもよい。
【０６７６】
そして、通信装置１１０３は、ネットワーク１１０４を介し、送信信号２２０８を受信し、復調、誤り訂正復号などの処理を行うことで、「「機器動作機能２１０の動作を実行するためのソフトウェア」のデータ、または、「機器動作機能２１０の動作を実行するための更新ソフトウェア」のデータ」を得、このデータを含む変調信号を生成し、コントローラ１１０２に送信し、ゲートウェイを介し、宛先となる端末に届くことになる。
【０６７７】
一方で、ソフトウェアの対象となる機器情報が、１００１の端末＃１、１００２の端末＃２、１００３の端末＃３、１００４の端末＃４、１００５の端末＃５、１００６の端末＃６のいずれのも対応していない場合、記憶部２２０４は、「対応していない」という制御信号２２０５を出力する。
【０６７８】
そして、送信装置２２０７は、制御信号２２０５、データ２２０６を入力とし、制御信号２２０５が、この「対応していない」という情報であった場合、送信装置２２０７は送信信号２２０８を出力しないことになる。
【０６７９】
上記の動作の例を、図２８を用いて説明する。例えば、通信装置１１０３が、コントローラ１１０２、ゲートウェイを介し、１００１の端末＃１に「「機器動作機能２１０の動作を実行するためのソフトウェア」のデータ、または、「機器動作機能２１０の動作を実行するための更新ソフトウェア」のデータ」を送信する場合について説明する。
【０６８０】
図２８において、２８００は、通信装置１１０３の時間軸における通信の例である。
【０６８１】
２８５１は、１００１の端末＃１の第１の送受信装置２０５の時間軸における通信の例である。
【０６８２】
２８５２は、１００２の端末＃２の第１の送受信装置２０５の時間軸における通信の例である。
【０６８３】
２８５３は、１００３の端末＃３の第１の送受信装置２０５の時間軸における通信の例である。
【０６８４】
２８５４は、１００４の端末＃４の第１の送受信装置２０５の時間軸における通信の例である。
【０６８５】
２８５５は、１００５の端末＃５の第１の送受信装置２０５の時間軸における通信の例である。
【０６８６】
２８５６は、１００６の端末＃６の第１の送受信装置２０５の時間軸における通信の例である。
【０６８７】
通信装置１１０３の通信相手であるサーバーからネットワーク１１０４を介し、１００１の端末＃１が対象となる「「機器動作機能２１０の動作を実行するためのソフトウェア」のデータ、または、「機器動作機能２１０の動作を実行するための更新ソフトウェア」のデータ」を含む変調信号が、通信装置１１０３に届くものとする。そのとき、「「機器動作機能２１０の動作を実行するためのソフトウェア」のデータ、または、「機器動作機能２１０の動作を実行するための更新ソフトウェア」のデータ」を１００１の端末＃１に伝送するために、通信装置１１０３は、「起動用フレーム」２３０１を、コントローラ１１０２、ゲートウェイを介し、１００１の端末＃１宛に送信するものとする。
【０６８８】
１００１の端末＃１は、コントローラ１１０２、ゲートウェイを介し、「起動用フレーム」２８０１を受信し、１００１の端末＃１は起動することになる。
【０６８９】
そして、通信装置１１０３は、フレーム２８０２を送信することになる。なお、フレーム２８０２は、１００１の端末＃１が対象となる「「機器動作機能２１０の動作を実行するためのソフトウェア」のデータ、または、「機器動作機能２１０の動作を実行するための更新ソフトウェア」のデータ」が含まれていることになる。
【０６９０】
すると、１００１の端末＃１は、コントローラ１１０２、ゲートウェイを介し、フレーム２８０２を受信する。そして、１００１の端末＃１は、フレーム２８０２に含まれている「「機器動作機能２１０の動作を実行するためのソフトウェア」のデータ、または、「機器動作機能２１０の動作を実行するための更新ソフトウェア」のデータ」により、ソフトウェアの更新を行うことになる。なお、このソフトウェアを得るに至るまでの動作例については、すでに説明したとおりである。
【０６９１】
なお、図２８において、通信装置１１０３は、「起動用フレーム」２８０１を送信している例を示しているが、通信装置１１０３は、「起動用フレーム」２８０１を送信しなくてもよい。
【０６９２】
本実施の形態において、「「機器動作機能２１０の動作を実行するためのソフトウェア」のデータ、または、「機器動作機能２１０の動作を実行するための更新ソフトウェア」のデータ」のかわりに、「「機器動作機能２１０の動作を実行するためのソフトウェア」のデータ、または、「機器動作機能２１０の動作を実行するための更新ソフトウェア」のデータをダウンロードするためのアクセス先」（例えば、ウェブページ、サーバーなどのアドレス、URL（uniform resource locator）の情報）のデータとして、本実施の形態を実施してもよい。
【０６９３】
このとき、１００１の端末＃１は、「「機器動作機能２１０の動作を実行するためのソフトウェア」のデータ、または、「機器動作機能２１０の動作を実行するための更新ソフトウェア」のデータをダウンロードするためのアクセス先」の情報を得、このアクセス先にアクセスし、「機器動作機能２１０の動作を実行するためのソフトウェア」または「機器動作機能２１０の動作を実行するための更新ソフトウェア」を得、ソフトウェアを更新することになる。なお、１００１の端末＃１が、「機器動作機能２１０の動作を実行するためのソフトウェア」のデータ、または、「機器動作機能２１０の動作を実行するための更新ソフトウェア」のデータをダウンロードするためのアクセス先」の情報を得、このアクセス先にアクセスし、「機器動作機能２１０の動作を実行するためのソフトウェア」または「機器動作機能２１０の動作を実行するための更新ソフトウェア」を得るために、図２９の１００＿１の基地局＃Ａ、１００＿２の基地局＃Ｂにアクセスしてもよい。（１００１の端末＃１は、図２８の１００＿１の基地局＃Ａ、１００＿２の基地局＃Ｂから、これらのソフトウェアを得ることになる。）なお、図２９については、後で説明を行う。
【０６９４】
以上のように、通信装置１１０３、および、通信装置１１０３の通信相手であるサーバーに対し、通信装置１１０３のコントローラ、ゲートウェイを介しての通信相手である端末の固有情報を提供し、この情報に基づいて、サーバー、および、通信装置１１０３がソフトウェアの提供を制御することにより、的確に端末のソフトウェアを更新することができるとともに、ソフトウェアの情報の送信を好適に制御することができるため、無線資源を有効に活用することができるという効果を得ることができる。
【０６９５】
なお、本実施の形態において、各機器に対し、通信装置、端末、サーバーと名づけて説明しているが、各装置の呼び方については、これに限ったものではない。
【０６９６】
（実施の形態６）
本実施の形態では、実施の形態５の変形例について説明する。
【０６９７】
図２９は、本実施の形態における通信システムの構成の一例を示している。なお、図２９において、図１、図１０、図１１と同様に動作するものについては、同一番号を付している。
【０６９８】
１００１の端末＃１は、第１の通信方式を用いて、ゲートウェイと通信を行う。具体的な動作については、実施の形態２で説明を行っているので、説明を省略する。
【０６９９】
同様に、１００２の端末＃２は、第１の通信方式を用いて、ゲートウェイと通信を行う。
【０７００】
１００３の端末＃３は、第１の通信方式を用いて、ゲートウェイと通信を行う。
【０７０１】
１００４の端末＃４は、第１の通信方式を用いて、ゲートウェイと通信を行う。
【０７０２】
１００５の端末＃５は、第１の通信方式を用いて、ゲートウェイと通信を行う。
【０７０３】
１００６の端末＃６は、第１の通信方式を用いて、ゲートウェイと通信を行う。
【０７０４】
そして、１１０１＿１のゲートウェイ＃１は、コントローラ１１０２と通信を行い、１１０１＿２のゲートウェイ＃２は、コントローラ１１０２と通信を行い、１１０１＿３のゲートウェイ＃３は、コントローラ１１０２と通信を行う。具体的な動作については、実施の形態２で説明したとおりであるので、説明を省略する。
【０７０５】
コントローラ１１０２は、通信装置１１０３と通信を行う。具体的な動作については、実施の形態２で説明したとおりであるので、説明を省略する。
【０７０６】
通信装置１１０３は、ネットワーク１１０４を介し、例えば、サーバーと通信を行っているものとする。
【０７０７】
また、１００１の端末＃１は、第２の通信方式を用いて１００＿１の基地局＃Ａと通信を行う。詳細については、実施の形態１、実施の形態２で説明したとおりである。
【０７０８】
同様に、１００２の端末＃２は、第２の通信方式を用いて、１００＿１の基地局＃Ａと通信を行う。
【０７０９】
１００３の端末＃３は、第２の通信方式を用いて、１００＿１の基地局＃Ａと通信を行う。
【０７１０】
１００４の端末＃４は、第２の通信方式を用いて、１００＿１の基地局＃Ａと通信を行う。
【０７１１】
１００５の端末＃５は、第２の通信方式を用いて、１０１＿１の基地局＃Ａと通信を行う。
【０７１２】
１００６の端末＃６は、第２の通信方式を用いて、１００＿１の基地局＃Ａと通信を行う。
【０７１３】
そして、１００１の端末＃１は、第３の通信方式を用いて１００＿２の基地局＃Ｂと通信を行う。詳細については、実施の形態１、実施の形態２で説明したとおりである。
【０７１４】
同様に、１００２の端末＃２は、第３の通信方式を用いて、１００＿２の基地局＃Ｂと通信を行う。
【０７１５】
１００３の端末＃３は、第３の通信方式を用いて、１００＿３の基地局＃Ｂと通信を行う。
【０７１６】
１００４の端末＃４は、第３の通信方式を用いて、１００＿４の基地局＃Ｂと通信を行う。
【０７１７】
１００５の端末＃５は、第３の通信方式を用いて、１００＿５の基地局＃Ｂと通信を行う。
【０７１８】
１００６の端末＃６は、第３の通信方式を用いて、１００＿６の基地局＃Ｂと通信を行う。
【０７１９】
図２は、図２９の１００１の端末＃１、１００２の端末＃２、１００３の端末＃３、１００４の端末＃４、１００５の端末＃５、１００６の端末＃６の構成の一例を示している。詳細の動作については、実施の形態１、実施の形態２などで説明を行っているため、説明を省略する。なお、１００１の端末＃１、１００２の端末＃２、１００３の端末＃３、１００４の端末＃４、１００５の端末＃５、１００６の端末＃６は、第１の通信方式の送受信に対応していない場合、第１の送受信装置２０５に関連する部分を具備していないことになる。また、１００１の端末＃１、１００２の端末＃２、１００３の端末＃３、１００４の端末＃４、１００５の端末＃５、１００６の端末＃６は、第２の通信方式の送受信に対応していない場合、第２の送受信装置２１５に関連する部分を具備していないことになる。そして、１００１の端末＃１、１００２の端末＃２、１００３の端末＃３、１００４の端末＃４、１００５の端末＃５、１００６の端末＃６は、第３の通信方式の送受信に対応していない場合、第３の送受信装置２２５に関連する部分を具備していないことになる。
【０７２０】
図２７は、図２９の通信装置１１０３、１００１の端末＃１、１００２の端末＃２、１００３の端末＃３、１００４の端末＃４、１００５の端末＃５、１００６の端末＃６の時間軸における通信の流れの一例を示しており、図２７において横軸は時間とする。
【０７２１】
図２７の２７００は、通信装置１１０３の時間軸における通信の例が示されている。
【０７２２】
２７５１は、１００１の端末＃１の第１の送受信装置２０５の時間軸における通信の例である。
【０７２３】
２７５２は、１００２の端末＃２の第１の送受信装置２０５の時間軸における通信の例である。
【０７２４】
２７５３は、１００３の端末＃３の第１の送受信装置２０５の時間軸における通信の例である。
【０７２５】
２７５４は、１００４の端末＃４の第１の送受信装置２０５の時間軸における通信の例である。
【０７２６】
２７５５は、１００５の端末＃５の第１の送受信装置２０５の時間軸における通信の例である。
【０７２７】
２７５６は、１００６の端末＃６の第１の送受信装置２０５の時間軸における通信の例である。
【０７２８】
なお、図２７では、通信２７５２、２７５３、２７５４、２７５５については示していない。
【０７２９】
図２７に示すように、まず、通信装置１０３は、「起動用フレーム」２７０１の送信を行う。ここでの例では、「起動用フレーム」２７０１は、「１００１の端末＃１を起動する（wake up）、１００２の端末＃２を起動する（wake up）、１００３の端末＃３を起動する（wake up）、１００４の端末＃４を起動する（wake up）、１００５の端末＃５を起動する（wake up）、１００６の端末＃６を起動する（wake up）」という情報が含まれているものとする。また、通信装置１１０３は、「起動用フレーム」２７０１を送信し、コントローラ１１０２、および、「１１０１＿１のゲートウェイ＃１、または、１１０１＿２のゲートウェイ＃２、または、１１０１＿３のゲートウェイ＃３」を介し、「１００１の端末＃１、１００２の端末＃２、１００３の端末＃３、１００４の端末＃４、１００５の端末＃５、１００６の端末＃６」に伝送する。そして、実施の形態１、実施の形態２で説明したように、「起動用フレーム」２７０１をマルチキャスト送信してもよい。（ユニキャストの送信であってもよい。）
【０７３０】
すると、１００１の端末＃１の第１の送受信装置２０５は、「起動用フレーム」２７０１を受信することになる。そして、１００１の端末＃１の第１の送受信装置２０５は、「起動用フレーム」２００１の復調などの処理を行い、「１００１の端末＃１を起動する（wake up）」という情報を得ることになる。よって、図２７において、１００１の端末＃１は、起動する（wake up）ことになる。
【０７３１】
また、１００２の端末＃２の第１の送受信装置２０５は、「起動用フレーム」２７０１を受信することになる。そして、１００２の端末＃２の第１の送受信装置２０５は、「起動用フレーム」２００１の復調などの処理を行い、「１００２の端末＃２を起動する（wake up）」という情報を得ることになる。よって、図２７において、１００２の端末＃２は、起動する（wake up）ことになる。
【０７３２】
そして、１００３の端末＃３の第１の送受信装置２０５は、「起動用フレーム」２７０１を受信することになる。そして、１００３の端末＃３の第１の送受信装置２０５は、「起動用フレーム」２００１の復調などの処理を行い、「１００３の端末＃３を起動する（wake up）」という情報を得ることになる。よって、図２７において、１００３の端末＃３は、起動する（wake up）ことになる。
【０７３３】
１００４の端末＃４の第１の送受信装置２０５は、「起動用フレーム」２７０１を受信することになる。そして、１００４の端末＃４の第１の送受信装置２０５は、「起動用フレーム」２００１の復調などの処理を行い、「１００４の端末＃４を起動する（wake up）」という情報を得ることになる。よって、図２７において、１００４の端末＃４は、起動する（wake up）ことになる。
【０７３４】
１００５の端末＃５の第１の送受信装置２０５は、「起動用フレーム」２７０１を受信することになる。そして、１００５の端末＃５の第１の送受信装置２０５は、「起動用フレーム」２００１の復調などの処理を行い、「１００５の端末＃５を起動する（wake up）」という情報を得ることになる。よって、図２７において、１００５の端末＃５は、起動する（wake up）ことになる。
【０７３５】
１００６の端末＃６の第１の送受信装置２０５は、「起動用フレーム」２７０１を受信することになる。そして、１００６の端末＃６の第１の送受信装置２０５は、「起動用フレーム」２００１の復調などの処理を行い、「１００６の端末＃６を起動する（wake up）」という情報を得ることになる。よって、図２７において、１００６の端末＃６は、起動する（wake up）ことになる。
【０７３６】
ただし、図２７では、１００１の端末＃１、１００２の端末＃２、１００３の端末＃３、１００４の端末＃４、１００５の端末＃５、１００６の端末＃６は、それぞれ第１の送受信装置２０５を具備しているものとしているが、１００１の端末＃１、１００２の端末＃２、１００３の端末＃３、１００４の端末＃４、１００５の端末＃５、１００６の端末＃６の中に、第１の送受信装置２０５を具備していない端末が存在していてもよい。なお、この端末は、起動しないことになる。
【０７３７】
次に、図２７に示すように、通信装置１１０３は、「登録用フレーム」２７０２を送信する。なお、通信装置１１０３は、「登録用フレーム」２７０２を送信し、コントローラ１１０２、および、「１１０１＿１のゲートウェイ＃１、または、１１０１＿２のゲートウェイ＃２、または、１１０１＿３のゲートウェイ＃３」を介し、「１００１の端末＃１、１００２の端末＃２、１００３の端末＃３、１００４の端末＃４、１００５の端末＃５、１００６の端末＃６」に伝送する。そして、実施の形態１、実施の形態２で説明したように、「登録用フレーム」２７０２をマルチキャスト送信してもよい。（ユニキャストの送信であってもよい。）ここで、「登録用フレーム」２７０２について、以下で説明を行う。
【０７３８】
図２９の通信装置１１０３は、ネットワーク１１０４を介し、サーバーと接続することになる。そして、サーバー、または、サーバーと通信を行う機器が、「機器動作機能２１０の動作を実行するためのソフトウェア」のデータを含む変調信号、または、「機器動作機能２１０の動作を実行するための更新ソフトウェア」のデータ（を含む変調信号）を通信装置１１０３に対し送信する。そして、これらのソフトウェアのデータを含む変調信号を、通信装置１１０３は、１００＿１の基地局＃Ａまたは１００＿２の基地局＃Ｂに送信することになる。（ただし、ソフトウェアを例に説明したが、それ以外の情報であってもよい。）
このとき、通信装置１１０３、および、サーバーは、通信装置１１０３が通信可能な端末を把握しておくと、確実にソフトウェアなどの情報を提供することができるという利点がある。また、コントローラ１１０２が通信可能な端末を把握していてもよく、このようにすることで、確実にソフトウェアなどの情報を提供することができるという利点がある。
【０７３９】
「登録用フレーム」２７０２は、端末の状況を把握するためのフレームである。したがって、「登録用フレーム」２７０２は、端末に対し、「端末固有の情報（例えば、端末の機種、端末の型番、端末のシリアルナンバー、端末のＩＤなど）の送信を指示する」情報を含むことになる。
【０７４０】
したがって、図２７に示すように、１００１の端末＃１は、「登録用フレーム」２７０１を受信し、「フレーム」２７１１を送信する。なお、「フレーム」２７１１は、１００１の端末＃１の端末固有の情報（例えば、端末の機種、端末の型番、端末のシリアルナンバー、端末のＩＤなど）が含まれており、この情報を含む変調信号を、１００１の端末＃１は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１１」を受信し、１００１の端末＃１に関する情報を得、この情報を、コントローラ１１０２を介し、通信装置１１０３が得ることになる。
【０７４１】
同様に、図２７に示すように、１００２の端末＃２は、「登録用フレーム」２７０２を受信し、「フレーム」２７１２を送信する。なお、「フレーム」２７１２は、１００２の端末＃２の端末固有の情報（例えば、端末の機種、端末の型番、端末のシリアルナンバー、端末のＩＤなど）が含まれており、この情報を含む変調信号を、１００２の端末＃２は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１２」を受信し、１００２の端末＃２に関する情報を得、この情報を、コントローラ１１０２を介し、通信装置１１０３が得ることになる。
【０７４２】
図２７に示すように、１００３の端末＃３は、「登録用フレーム」２７０２を受信し、「フレーム」２７１３を送信する。なお、「フレーム」２７１３は、１００３の端末＃３の端末固有の情報（例えば、端末の機種、端末の型番、端末のシリアルナンバー、端末のＩＤなど）が含まれており、この情報を含む変調信号を、１００３の端末＃３は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１３」を受信し、１００３の端末＃３に関する情報を得、この情報を、コントローラ１１０２を介し、通信装置１１０３が得ることになる。
【０７４３】
図２７に示すように、１００４の端末＃４は、「登録用フレーム」２７０２を受信し、「フレーム」２７１４を送信する。なお、「フレーム」２７１４は、１００４の端末＃４の端末固有の情報（例えば、端末の機種、端末の型番、端末のシリアルナンバー、端末のＩＤなど）が含まれており、この情報を含む変調信号を、１００４の端末＃４は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１４」を受信し、１００４の端末＃４に関する情報を得、この情報を、コントローラ１１０２を介し、通信装置１１０３が得ることになる。
【０７４４】
図２７に示すように、１００５の端末＃５は、「登録用フレーム」２７０２を受信し、「フレーム」２７１５を送信する。なお、「フレーム」２７１５は、１００５の端末＃５の端末固有の情報（例えば、端末の機種、端末の型番、端末のシリアルナンバー、端末のＩＤなど）が含まれており、この情報を含む変調信号を、１００５の端末＃５は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１５」を受信し、１００５の端末＃５に関する情報を得、この情報を、コントローラ１１０２を介し、通信装置１１０３が得ることになる。
【０７４５】
図２７に示すように、１００６の端末＃６は、「登録用フレーム」２７０２を受信し、「フレーム」２７１６を送信する。なお、「フレーム」２７１６は、１００６の端末＃６の端末固有の情報（例えば、端末の機種、端末の型番、端末のシリアルナンバー、端末のＩＤなど）が含まれており、この情報を含む変調信号を、１００６の端末＃６は送信することになる。（なお、例として、この変調信号は、第１の通信方式の変調信号であるものとする。）そして、図２６に示すように、１１０１＿１のゲートウェイ＃１、１１０１＿２のゲートウェイ＃２、１１０１＿３のゲートウェイ＃３のいずれかが、「フレーム２７１６」を受信し、１００６の端末＃６に関する情報を得、この情報を、コントローラ１１０２を介し、通信装置１１０３が得ることになる。
【０７４６】
また、図２７において、通信装置１１０３は、「起動用フレーム」２７０１を送信している例を示しているが、通信装置１１０３は、「起動用フレーム」２７０１を送信しなくてもよい。なお、このとき、複数の端末が存在しているとき、起動している（wake up）端末が、「登録用フレーム」２７０２を、コントローラ１１０２、ゲートウェイを介し、受信し、その応答となるフレームを送信することになる。
【０７４７】
次に、通信装置１１０３とサーバーの通信について説明する。
【０７４８】
図２９に示しているように通信装置１１０３は、各端末が送信した「フレーム」を、ゲートウェイ、コントローラ１１０２を介し、受信することになる。そして、通信装置１１０３は「フレーム」の復調などの処理を行い、各端末固有の情報（例えば、端末の機種、端末の型番、端末のシリアルナンバー、端末のＩＤなど）を得ることになる。
【０７４９】
以下では、通信装置１１０３が、１００１の端末＃１が送信した「フレーム」２７１１を、ゲートウェイ、コントローラ１１０２を介し、受信し、「フレーム」２７１１の復調を行い、１００１の端末＃１固有の情報（例えば、端末の機種、端末の型番、端末のシリアルナンバー、端末のＩＤなど）を得たあとの動作を、例として説明する。
【０７５０】
図２１は、通信装置１１０３の構成の一例を示しており、図２２は、通信装置１１０３の通信相手の一つであるサーバーの構成一例を示している。
【０７５１】
２１０５の送受信装置＃Ａは、アンテナ２１０１で受信した受信信号２１０２を入力とし、復調、誤り訂正復号などの処理を行い、受信データ２１０６を得る。なお、受信信号２１０２は、図２８におけるコントローラ１１０２が送信した変調信号の受信信号である。
【０７５２】
端末固有情報に基づくデータ生成部２１０８は、受信データ２１０６を入力とし、受信データ２１０６に含まれている端末固有情報を抽出し、端末固有情報２１０９（例えば、端末の機種、端末の型番、端末のシリアルナンバー、端末のＩＤなど）を出力する。例えば、１００１の端末＃１が送信し、ゲートウェイ、コントローラ１１０２を介した変調信号を受信し得た受信データ２１０６である場合、端末固有情報２１０９は、１００１の端末＃１の端末固有情報となる。
【０７５３】
２１１１の送受信装置＃Ｂは、データ２１１０、および、端末固有情報２１０９を入力とし、これらのデータに基づいて、例えば、変調信号を生成し、送信信号２１１２として出力する。なお、２１１１の送受信装置＃Ｂの通信相手は、サーバーとなる。なお、図２８では、ネットワーク１１０４を介している。
【０７５４】
したがって、図２２のサーバーの受信装置２２０２、変調信号２１１２に相当する受信信号２２０１を入力とし、受信信号２２０１の復調、誤り訂正符号などの処理を行い、受信データ２２０３を出力する。
【０７５５】
記憶部２２０４は、受信データ２２０３を入力とし、受信データ２２０３に含まれる端末固有情報を抽出し、記憶する。
【０７５６】
例えば、通信装置１１０３が、コントローラ１１０２、ゲートウェイを介し、１００１の端末＃１と通信を行っている場合、受信データ２２０３は、１００１の端末＃１の端末固有情報を含んでいることになり、したがって、記憶部２２０４は、１００１の端末＃１の端末固有情報を記憶することになる。
【０７５７】
同様に、通信装置１１０３が、コントローラ１１０２、ゲートウェイを介し、１００２の端末＃２と通信を行っている場合、受信データ２２０３は、１００２の端末＃２の端末固有情報を含んでいることになり、したがって、記憶部２２０４は、１００２の端末＃２の端末固有情報を記憶することになる。
【０７５８】
そして、通信装置１１０３が、コントローラ１１０２、ゲートウェイを介し、１００６の端末＃６と通信を行っている場合、受信データ２２０３は、１００６の端末＃６の端末固有情報を含んでいることになり、したがって、記憶部２２０４は、１００６の端末＃６の端末固有情報を記憶することになる。
【０７５９】
よって、サーバーが、「１００１の端末＃１が送信したフレーム２７１１、１００２の端末＃２が送信したフレーム２７１２、１００３の端末＃３が送信したフレーム２７１３、１００４の端末＃４が送信したフレーム２７１４、１００５の端末＃５が送信したフレーム２７１５、１００６の端末＃６が送信したフレーム２７１６の受信」を完了していた場合、記憶部２２０４は、「１００１の端末＃１の端末固有情報、１００２の端末＃２の端末固有情報、１００３の端末＃３の端末固有情報、１００４の端末＃４の端末固有情報、１００５の端末固有情報、１００６の端末＃６の端末固有情報」を保持していることになる。
【０７６０】
送信装置２２０７は、データ２２０６を入力とする。そして、データ２２０６に、例えば、「機器動作機能２１０の動作を実行するためのソフトウェア」のデータ、または、「機器動作機能２１０の動作を実行するための更新ソフトウェア」のデータが含まれているものとする。そして、「これらのソフトウェアのデータ」に、これらのソフトウェアの対象となる機器の情報が含まれているものとする。
【０７６１】
記憶部２２０４は、データ２２０６に含まれている「「機器動作機能２１０の動作を実行するためのソフトウェア」のデータ、または、「機器動作機能２１０の動作を実行するための更新ソフトウェア」のデータ」を入力とし、これらのソフトウェアのデータに含まれているソフトウェアの対象となる機器情報を抽出し、このソフトウェアの対象となる機器情報と「１００１の端末＃１の端末固有情報、１００２の端末＃２の端末固有情報、１００３の端末＃３の端末固有情報、１００４の端末＃４の端末固有情報、１００５の端末＃５の端末固有情報、１００６の端末＃６の端末固有情報」の比較を行う。
【０７６２】
そして、ソフトウェアの対象となる機器情報が、１００１の端末＃１、１００２の端末＃２、１００３の端末＃３、１００４の端末＃４、１００５の端末＃５、１００６の端末＃６のいずれかに対応しているものとする。すると、記憶部２２０４は、「対応している」という制御信号２２０５を出力する。
【０７６３】
また、「ソフトウェアの対象となる機器情報が、１００１の端末＃１、１００２の端末＃２、１００３の端末＃３、１００４の端末＃４、１００５の端末＃５、１００６の端末＃６のいずれかに対応している」際、記憶部２２０４は、ソフトウェアの対象となる端末が対応している通信方式の情報を含む制御信号２２０５を出力する。
【０７６４】
そして、送信装置２２０７は、制御信号２２０５、データ２２０６を入力とし、制御信号２２０５が、この「対応している」という情報であった場合、データ２２０６に含まれている「「機器動作機能２１０の動作を実行するためのソフトウェア」のデータ、または、「機器動作機能２１０の動作を実行するための更新ソフトウェア」のデータ」を含むデータに対し、例えば、誤り訂正符号化などの処理を行い、送信信号２２０８を出力する。なお、この送信信号２２０８の宛先は、ソフトウェアが対象となる端末が対応している通信方式の情報におけるソフトウェアが対象となる端末が対応している通信方式に対応した通信装置、つまり、本実施の形態では、図２９の１００＿１の基地局＃Ａ、または、１００＿２の基地局＃Ｂとなる。
【０７６５】
そして、図２９の１００＿１の基地局＃Ａ、または、１００＿２の基地局＃Ｂは、送信信号２２０８を受信し、復調、誤り訂正復号などの処理を行うことで、「「機器動作機能２１０の動作を実行するためのソフトウェア」のデータ、または、「機器動作機能２１０の動作を実行するための更新ソフトウェア」のデータ」を得、このデータを含む変調信号を生成し、宛先となる端末に対し、変調信号を送信することになる。
【０７６６】
一方で、ソフトウェアの対象となる機器情報が、１００１の端末＃１、１００２の端末＃２、１００３の端末＃３、１００４の端末＃４、１００５の端末＃５、１００６の端末＃６のいずれのも対応していない場合、記憶部２２０４は、「対応していない」という制御信号２２０５を出力する。
【０７６７】
そして、送信装置２２０７は、制御信号２２０５、データ２２０６を入力とし、制御信号２２０５が、この「対応していない」という情報であった場合、送信装置２２０７は送信信号２２０８を出力しないことになる。
【０７６８】
上記の動作の例を、図３０を用いて説明する。例えば、図２９の１００＿１の基地局＃Ａが、１００１の端末＃１に「「機器動作機能２１０の動作を実行するためのソフトウェア」のデータ、または、「機器動作機能２１０の動作を実行するための更新ソフトウェア」のデータ」を送信する場合について説明する。
【０７６９】
図３０において、３０００は、通信装置１１０３の時間軸における通信の例である。
【０７７０】
３０３１は、１００＿１の基地局＃Ａの時間軸における通信の例である。
【０７７１】
３０５１は、１００１の端末＃１の第１の送受信装置２０５の時間軸における通信の例が示されている。
【０７７２】
３０５２は、１００１の端末＃１の第２の送受信装置２１５の時間軸における通信の例が示されている。
【０７７３】
３０５３は、１００１の端末＃１の第３の送受信装置２２５の時間軸における通信の例が示されている。
【０７７４】
通信装置１１０３は、「起動用フレーム」３００１を、１００１の端末＃１宛に送信するものとする。
【０７７５】
このとき、サーバーは、１００１の端末＃１が対象となる「「機器動作機能２１０の動作を実行するためのソフトウェア」のデータ、または、「機器動作機能２１０の動作を実行するための更新ソフトウェア」のデータ」を含む変調信号を１００＿１の基地局＃Ａに送信することになる。したがって、１００＿１の基地局＃Ａは、「「機器動作機能２１０の動作を実行するためのソフトウェア」のデータ、または、「機器動作機能２１０の動作を実行するための更新ソフトウェア」のデータ」を得ていることになる。
【０７７６】
１００１の端末＃１（の第１の送受信装置２０５）は、コントローラ１１０２、ゲートウェイを介し、「起動用フレーム」３００１を受信し、１００１の端末＃１は起動することになる。
【０７７７】
そして、１００＿１の基地局＃Ａは、「「機器動作機能２１０の動作を実行するためのソフトウェア」のデータ、または、「機器動作機能２１０の動作を実行するための更新ソフトウェア」のデータ」を含む「フレーム」３００２を送信することになる。
【０７７８】
すると、１００１の端末＃１（の第２の送受信装置２１５）は、「フレーム」３００２を受信することになる。そして、１００１の端末＃１（の第２の送受信装置２１５）は、「フレーム」３００２に含まれている「「機器動作機能２１０の動作を実行するためのソフトウェア」のデータ、または、「機器動作機能２１０の動作を実行するための更新ソフトウェア」のデータ」により、ソフトウェアの更新を行うことになる。なお、ソフトウェアを得るに至るまでの動作例については、すでに説明したとおりである。
【０７７９】
なお、図３０において、通信装置１１０３は、「起動用フレーム」３００１を送信している例を示しているが、通信装置１１０３は、「起動用フレーム」３００１を送信しなくてもよい。
【０７８０】
本実施の形態において、「「機器動作機能２１０の動作を実行するためのソフトウェア」のデータ、または、「機器動作機能２１０の動作を実行するための更新ソフトウェア」のデータ」のかわりに、「「機器動作機能２１０の動作を実行するためのソフトウェア」のデータ、または、「機器動作機能２１０の動作を実行するための更新ソフトウェア」のデータをダウンロードするためのアクセス先」（例えば、ウェブページ、サーバーなどのアドレス、URL（uniform resource locator）の情報）のデータとして、本実施の形態を実施してもよい。
【０７８１】
このとき、１００１の端末＃１は、「「機器動作機能２１０の動作を実行するためのソフトウェア」のデータ、または、「機器動作機能２１０の動作を実行するための更新ソフトウェア」のデータをダウンロードするためのアクセス先」の情報を得、このアクセス先にアクセスし、「機器動作機能２１０の動作を実行するためのソフトウェア」または「機器動作機能２１０の動作を実行するための更新ソフトウェア」を得、ソフトウェアを更新することになる。なお、１００１の端末＃１が、「機器動作機能２１０の動作を実行するためのソフトウェア」のデータ、または、「機器動作機能２１０の動作を実行するための更新ソフトウェア」のデータをダウンロードするためのアクセス先」の情報を得、このアクセス先にアクセスし、「機器動作機能２１０の動作を実行するためのソフトウェア」または「機器動作機能２１０の動作を実行するための更新ソフトウェア」を得るために、図２８の１００＿１の基地局＃Ａ、１００＿２の基地局＃Ｂにアクセスしてもよい。（１００１の端末＃１は、図２８の１００＿１の基地局＃Ａ、１００＿２の基地局＃Ｂから、これらのソフトウェアを得ることになる。）
【０７８２】
以上のように、通信装置１１０３、および、通信装置１１０３の通信相手であるサーバーに対し、通信装置１１０３のコントローラ、ゲートウェイを介しての通信相手である端末の固有情報を提供し、この情報に基づいて、サーバー、および、通信装置１１０３がソフトウェアの提供を制御することにより、的確に端末のソフトウェアを更新することができるとともに、ソフトウェアの情報の送信を好適に制御することができるため、無線資源を有効に活用することができるという効果を得ることができる。
【０７８３】
なお、本実施の形態において、各機器に対し、通信装置、端末、サーバーと名づけて説明しているが、各装置の呼び方については、これに限ったものではない。
【０７８４】
（補足）
当然であるが、本明細書において説明した実施の形態、補足などのその他の内容を複数組み合わせて、実施してもよい。
【０７８５】
そして、端末の構成として、例として、図２、図３を用いて説明しているが、これに限ったものではない。そして、図２、図３の各送受信装置のアンテナの構成は、図２、図３の構成限ったものではなく、各送受信装置において、送信アンテナを複数、受信アンテナを複数もつ構成であってもよい。
【０７８６】
また、図１、図１０などに示した基地局、端末、送信装置は、複数のアンテナを用いて、複数の変調信号を、同一周波数、同一時間に送信する伝送方法を用いてもよい。
【０７８７】
本明細書に示した、通信装置、送受信装置を具備しているのは、例えば、放送局、基地局、アクセスポイント、端末、携帯電話（ｍｏｂｉｌｅ  ｐｈｏｎｅ）等の通信・放送機器、テレビ、ラジオ、端末、パーソナルコンピュータ等の通信機器であることが考えられる。また、本開示における送受信装置、通信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０７８８】
なお、実施の形態１の図８、図９の「起動する通信方式の情報８０１」において、「特定の通信方式の通信を起動する」、「特定の通信を起動しない」、という情報を伝送する例について説明した。このとき、「特定の通信を起動しない」とは、本明細書で記載されているように「起動」に関する情報が有効でない（つまり、無効）という意味であってもよいし、「スリープする」、「状態維持」という意味であってもよい。また、「特定の通信を起動しない」とは、「起動以外の情報」としてもよい。
【０７８９】
また、実施の形態１の図８、図９の「起動する通信方式の情報８０１」が、第一フィールドに相当し、図９の「「機器動作機能の起動に関する情報」の対象となる端末の情報９０２」が第二フィールドに相当する、としてもよい。
【０７９０】
なお、実施の形態１の図８、図９の「起動する通信方式の情報８０１」において、「２５ＭＨｚ帯域の変調信号による通信」、「５０ＭＨｚ帯域の変調信号による通信」を指定することを説明しているが、指定方法はこれに限ったものではない。例えば、２５ＭＨｚ単位で起動を指定してもよい。例えば、「第１のチャネルの２５ＭＨｚ帯域による通信を実施」、または、「第２のチャネルの２５ＭＨｚ帯域による通信を実施」、または、「第１のチャネルの２５ＭＨｚ帯域による通信および第２のチャネルの２５ＭＨｚ帯域による通信を実施」と指定してもよい。
【０７９１】
なお、図２において、「機器動作機能」は、家電のような機器に関する動作の機能と説明したが、より具体的には、当該機器がユーザに提供する機能を含む。例えば、機器がテレビであるときには、テレビ放送に係る電波を受信してテレビ放送に係る画像・動画を表示する機能、テレビ放送のチャンネルを切り替える操作を受けて表示する画像・動画に係るテレビ放送を切り替える機能などを含む。
【０７９２】
また、図２における「機器動作機能」は、上記に限られず、当該機器に関する動作のためのソフトウェア（又はプログラム）をサーバからダウンロードする機能を含んでいてもよい。ダウンロードされたソフトウェアは、その後、適当なタイミングで、現在稼働しているソフトウェアに代わって、機器により実行されるように制御される。また、「機器」は、家電又は車に限られず、スマートフォン又はスマートスピーカなどであってもよい。
【０７９３】
そして、「機器動作機能２１０を起動する」とは、機器動作機能２１０が備えている機能全部を起動することだけでなく、機器動作機能２１０が備えている機能の一部を起動することをも意味していてもよい。例えば、機器がテレビであるときには、上記の「テレビ放送に係る電波を受信してテレビ放送に係る画像・動画を表示する機能」だけを起動することを意味していてもよい。また、別の例として、「当該機器に関する動作のためのソフトウェアをサーバからダウンロードする機能」だけを起動することを意味していてもよい。
【０７９４】
また、上記のように機器（例えば、端末）が複数の機器動作機能（単に機能ともいう）を備えており、かつ、端末が複数の送受信装置を備えている場合（図２参照）には、送受信機能と、起動させる機能を対応付けておいてもよい。ここで、対応付けられる送受信機能は、制御信号２０９を受信した送受信機能である場合と、制御信号２０９により、端末が起動する送受信機能である場合があり得る。
【０７９５】
（１）制御信号２０９を受信した送受信機能が機能と対応付けられる場合の例：
例えば、第１の送受信装置により制御信号２０９を受信した場合には、「テレビ放送に係る電波を受信してテレビ放送に係る画像・動画を表示する機能」だけを起動するようにしてもよい。また、第２の送受信装置により制御信号２０９を受信した場合には、「当該機器に関する動作のためのソフトウェアをサーバからダウンロードする機能」だけを起動するようにしてもよい。
【０７９６】
（２）制御信号２０９により、端末が起動する送受信機能が機器動作機能と対応付けられる場合の例：
例えば、いずれかの送受信装置により受信した制御信号２０９により、起動するのが第１の送受信装置である場合には、「テレビ放送に係る電波を受信してテレビ放送に係る画像・動画を表示する機能」だけを起動するようにしてもよい。また、いずれかの送受信装置により受信した制御信号２０９により、起動するのが第２の送受信装置である場合には、「当該機器（端末）に関する動作のためのソフトウェアをサーバからダウンロードする機能」だけを起動するようにしてもよい。
【０７９７】
なお、「端末が起動する送受信機能」と「それに伴う起動する機器動作機能」に関する関連付けは、上記例に限ったものではない。
【０７９８】
上述に関するさらなる例を、図面を用いて説明する。図３５に、図１の基地局（および、通信装置１０３）、端末の動作例を示している。
【０７９９】
図３５に示すように、基地局は、端末に対し、「第１の送受信信装置２０５の起動」を指示したものとする。
【０８００】
すると、端末が具備する第１の送受信装置２０５は起動することになる。
【０８０１】
そして、「第１の送受信装置２０５の起動」は、端末が具備する機器動作機能２１０のうち「テレビ放送に関わる電波を受信してテレビ放送に関わる画像・動画を表示するという機能」の起動と関連付けられており、したがって、端末の第１の送受信装置２０５の起動に伴い、機器動作機能２１０のうち「テレビ放送に関わる電波を受信してテレビ放送に関わる画像・動画を表示するという機能」が起動する。
【０８０２】
また、図３５に示すように、基地局は、端末に対し、「第２の送受信装置２１５の起動」を指示したものとする。
【０８０３】
すると、端末が具備する第２の送受信装置２１５は起動することになる。
【０８０４】
そして、「第２の送受信装置２１５の起動」は、端末が具備する機器動作機能２１０のうち「当該機器（端末）に関する動作のためのソフトウェアをサーバからダウンロードする機能」の起動と関連付けられており、したがって、端末の第２の送受信装置２１５の起動に伴い、機器動作機能２１０のうち「当該機器に関する動作のためのソフトウェアをサーバからダウンロードする機能」が起動する。
【０８０５】
上記のように、起動させる送受信装置と送受信装置の起動に伴って実施される機器動作、または起動させる機器動作機能を対応付けておくことにより、端末に対して「送受信装置の起動を指示する信号」、または起動させる送受信装置を指定した「送受信装置の起動を指示する信号」を送信することで、端末の機器動作を制御することが可能となる。その結果、機器動作の制御を行うために送信する信号の数を数を減らすことができ、機器動作の制御を簡素化することができる。
【０８０６】
図３６に、図３５とは異なる基地局、端末の動作例を示している。
【０８０７】
図３６に示すように、基地局は、端末に対し、「第１の送受信装置２０５の起動」を指示したものとする。
【０８０８】
すると、端末が具備する第１の送受信装置２０５は起動することになる。
【０８０９】
そして、「第１の送受信装置２０５の起動」は、端末が具備する機器動作機能２１０のうち「テレビ放送に関わる電波を受信してテレビ放送に関わる画像・動画を表示するという機能」の起動と関連付けられており、したがって、端末の第１の送受信装置２０５の起動に伴い、機器動作機能２１０のうち「テレビ放送に関わる電波を受信してテレビ放送に関わる画像・動画を表示するという機能」が起動する。
【０８１０】
また、図３６に示すように、基地局は、端末に対し、「第２の送受信装置２１５の起動」を指示したものとする。
【０８１１】
すると、端末が具備する第２の送受信装置２１５は起動することになる。
【０８１２】
そして、図３６では、図３５と異なり、「第２の送受信装置２１５の起動」は、端末が具備する機器動作機能２１０のうち「当該機器（端末）に関する動作のためのソフトウェアをサーバからダウンロードする機能」の起動、および、「画像・動画の撮影機能」の起動と関連付けられているものとする。
【０８１３】
したがって、基地局は、「当該機器（端末）に関する動作のためのソフトウェアをサーバからダウンロードする機能」の起動、および／または、「画像・動画の撮影機能」の起動の情報を含むフレームを送信することになる。
【０８１４】
これにより、端末の第２送受信装置２１５の起動、および、前述フレームを復調することにより、「当該機器（端末）に関する動作のためのソフトウェアをサーバからダウンロードする機能」、および／または、「画像・動画の撮影機能」を起動することになる。
【０８１５】
このように、端末において、起動する送受信装置に対し、起動する機器動作機能を複数割り当ててもよい。
【０８１６】
以上のような関連付けを行うことで、端末は、起動する送受信機能を選択することで、的確に、「それに伴う起動する機器動作機能」を制御することができるという効果を得ることができる。
【０８１７】
例えば、アクセスポイントが、端末が具備する図２などに示す機器動作機能のいずれかを起動させるために、フレームを送信するものとする。このとき、「装置が起動する送受信機能」と「それに伴う起動する機器動作機能」に関する関連付けの情報を、アクセスポイントと端末が共有する必要がある。このために、予め、アクセスポイントと端末は、「装置が起動する送受信機能」と「それに伴う起動する機器動作機能」に関する関連付けの情報を共有するための、通信を行ってもよい。
【０８１８】
また、別の方法として、端末が、「装置が起動する送受信機能」と「それに伴う起動する機器動作機能」に関する関連付けの情報を（クラウド）サーバにアップロードし、アクセスポイントは、（クラウド）サーバにアクセスし、（クラウド）サーバ上の、「装置が起動する送受信機能」と「それに伴う起動する機器動作機能」に関する関連付けの情報を得て、起動するためのフレームを送信すればよいことになる。
【０８１９】
（クラウド）サーバを用いて情報を共有する場合、端末が、「装置が起動する送受信機能」と「それに伴う起動する機器動作機能」に関する関連付けの情報をサーバにアップロードすることで、関連付けを容易に更新することができるという利点がある。
【０８２０】
なお、上記のように端末が複数の機器動作機能を備えている場合、そのうちの１つは、送受信装置の起動に伴い機器動作機能の一部を止めるという機能であってもよい。例えば、端末がテレビの機能を有しており、端末のソフトウェアの更新が必要であるときに、「テレビ放送に係る電波を受信してテレビ放送に係る画像・動画を表示する機能」を停止する機能であってもよい。そして、上記機能は、上記機能を停止した後に、当該機器の新しいソフトウェアを「当該機器に関する動作のためのソフトウェアをサーバからダウンロードする機能」によって取得し、その後に、新しいソフトウェアを用いて、「テレビ放送に係る電波を受信してテレビ放送に係る画像を表示する機能」を起動するようにする。なお、ソフトウェアの更新をするときには、予め、ユーザにその情報を提示し、ユーザによる操作により許可を得てもよい。
【０８２１】
また、別の例として、端末がハードウェアとして問題があった場合を考える。このとき、基地局が送信した、機能停止に関するフレームを受信し、端末が、装置動作自身を止めるとしてもよい。この場合、ハードウェアとしての問題を解決しない限り、装置動作を行うことができないようにしてもよい。
【０８２２】
上述では、「テレビ放送に係る電波を受信してテレビ放送に係る画像・動画を表示する機能の停止」について説明したが、端末が停止させる機器動作機能は、この例に限ったものではない。
【０８２３】
なお、図２０に示される「登録用フレーム」は、その後に通信装置１０３が起動させる端末を、例えば、サーバに登録するためのフレームである。つまり、通信装置１０３は、送信した登録用フレームに対する端末＃１等の応答として送信されるフレームを受信すると、そのフレームに記載された端末固有の情報を保持する。別の方法として、通信装置１０３は、送信した登録用フレームに対する端末＃１等の応答として送信されるフレームを受信すると、そのフレームに記載された端末固有の情報を得、通信装置１０３と接続しているサーバがフレームに記載された端末固有の情報を保持する。言い換えれば、図２０では、通信装置１０３は、起動させる必要がある端末として、端末＃１等を登録する。そして、その後に端末＃１等を起動させる必要があるときに、保持している端末固有の情報を用いて、起動したい端末、例えば、端末＃１等に対して起動用フレームを送信する。
【０８２４】
なお、通信装置１０３は、登録をしてから一定期間が経過すると、登録を解除するようにしてもよい。この一定期間が経過してしまう前に、ユーザに対して再登録を促すための画像、すなわち注意喚起のための画像を表示してもよい。その後にユーザが再登録を行えば登録を維持し、再登録を行わない場合には、登録を解除する。このようにすることで、通信装置１０３が、起動対象となる端末を的確に把握することができ、不要な起動フレームの送信を防ぐことができ、周波数利用効率が向上するという効果を得ることができる。
【０８２５】
次に、上述について、図を用いて説明する。図２０のように、通信装置１０３が、起動用フレーム２００１、登録用フレーム２００２を送信し、通信装置１０３は、各端末からの応答を受け、サーバーに端末の情報を登録したものとする。なお、詳細の説明については、すでに説明を行っているので、省略する。
【０８２６】
図３７は、図２０の動作後の、各装置の動作例を示している。なお、図３７において、横軸は時間であり、図２０と同様に動作するものについては、同一番号を付している。
【０８２７】
３７００は、サーバーの時間軸における動作を示すために記載したものである。
【０８２８】
図２０に示したように、通信装置１０３は、１００１の端末＃１からの応答を受け、サーバーに１００１の端末＃１の情報を送信し、サーバーは、１００１の端末＃１の情報を登録するものとする。
【０８２９】
その後、例えば、通信装置１０３は１００１の端末＃１と通信を行うことがなく、一定期間が経過したものとする。（なお、期間は一定でなくてもよい。）これにより、例えば、サーバーは、１００１の端末＃１が装置として存在していないと判断し、１００１の端末＃１の情報の削除を決定するものとする。したがって、サーバーは、通信装置１０３に対し、端末＃１の情報を削除することを通知する。
【０８３０】
これに伴い、通信装置１０３は、１００１の端末＃１の登録情報を削除したことを伝送するためのフレーム３７０１を送信する。なお、通信装置１０３は、フレーム３７０１を送信する前に、１００１の端末＃１に対し、起動フレームを送信してもよい。起動フレームを、１００１の端末＃１が受信した際、１００１の端末＃１は、起動することになる。なお、起動については、他の実施の形態で詳しく説明しているので、ここでの説明は省略する。
【０８３１】
１００１の端末＃１が存在していた場合、１００１の端末＃１は、フレーム３７０１を受信し、サーバーが１００１の端末＃１の登録情報を削除したことを知ることになる。なお、１００１の端末＃１が存在していないこともあり得る。
【０８３２】
なお、図３７では、サーバーに端末情報を登録する例を説明したが、通信装置１０３が、登録する端末情報を保持し、一定期間経過後、登録から削除する端末を決定する機能を保持する構成であってもよい。つまり、サーバーの動作を実施する機能を通信装置１０３が具備していてもよい。
【０８３３】
図３８は、図２０の動作後の、各装置の動作の図３７とは異なる例を示している。なお、図３８において、横軸は時間であり、図２０、図３８と同様に動作するものについては、同一番号を付している。
【０８３４】
図２０に示したように、通信装置１０３は、１００１の端末＃１からの応答を受け、サーバーに１００１の端末＃１の情報を送信し、サーバーは、１００１の端末＃１の情報を登録するものとする。
【０８３５】
その後、例えば、通信装置１０３は１００１の端末＃１と通信を行うことがなく、一定期間が経過したものとする。（なお、期間は一定でなくてもよい。）これにより、例えば、サーバーは、１００１の端末＃１が装置として存在していないと判断し、１００１の端末＃１の情報が削除候補であると決定するものとする。したがって、サーバーは、通信装置１０３に対し、１００１の端末＃１の情報が削除候補であることを通知する。
【０８３６】
これに伴い、通信装置１０３は、１００１の端末＃１の情報が削除候補であることを伝送するためのフレーム３７０１を送信する。なお、通信装置１０３は、フレーム３７０１を送信する前に、１００１の端末＃１に対し、起動フレームを送信してもよい。起動フレームを、１００１の端末＃１が受信した際、１００１の端末＃１は、起動することになる。なお、起動については、他の実施の形態で詳しく説明しているので、ここでの説明は省略する。
【０８３７】
１００１の端末＃１が存在していた場合、１００１の端末＃１は、フレーム３７０１を受信し、サーバーが１００１の端末＃１の情報が削除候補であることを知ることになる。
【０８３８】
ただし、１００１の端末＃１が、サーバーの「１００１の端末＃１の情報の削除」を取り消した場合、その旨を伝えるフレームを、通信装置１０３に送信すればよい。
【０８３９】
また、通信装置１０３は、１００１の端末＃１からその旨を伝えるフレームの送信がなかった場合、サーバーに対し、１００１の端末＃１の情報の削除を要求してもよい。
【０８４０】
または、１００１の端末＃１からその旨を伝えるフレームの送信がなかった場合、サーバーは、ある時間を経過した時点で、１００１の端末＃１の情報を削除してもよい。
【０８４１】
なお、１００１の端末＃１が存在していないこともあり得る。
【０８４２】
図３８では、サーバーに端末情報を登録する例を説明したが、通信装置１０３が、登録する端末情報を保持し、上述したような手順に基づいて、端末の情報を削除する機能を有するような構成であってもよい。つまり、サーバーの動作を実施する機能を通信装置１０３が具備していてもよい。
【０８４３】
なお、端末が削除候補であると判断するまでの期間は、端末の種類に応じて予め決定されていてもよい。例えば、端末がスマートフォンやタブレットである場合は第１の期間を削除候補であると判断するまでの期間として設定し、端末が家庭用電気機器であれば第２の期間を削除候補であると判断するまでの期間として設定する。このとき、端末の種類を示す情報は、例えば登録フレームに含まれていてもよいし、登録フレームとは別のフレームで登録フレームの受信前、または受信後にサーバに通知されてもよい。また、別の方法として、端末が削除候補であると判断するまでの期間の長さを示す情報または端末が削除候補であると判断するまでの期間の長さを判定するための情報を登録フレームに格納して送信してもよい。この場合、サーバーは登録フレームから取得された情報に基づいて、端末が削除候補であると判断するまでの期間を設定する。上記の構成によると、端末の種類や端末毎に、端末が削除候補であると判断するまでの期間を設定することが可能となり、例えば、端末の利用目的や利用環境などに応じて、サーバにおける端末の管理を柔軟に制御することができる。
【０８４４】
（補足２）
本明細書で説明した実施例の変形例として、例えば、Evolved Universal Terrestrial Radio Access（Ｅ−ＵＴＲＡ）、ＬＴＥ（Long Term Evolution）、ＬＴＥ  Ａｄｖａｎｃｅｄ、ＮＲ（New Radio）、New Radio Access、Non-terrestrial Networksなどのセルラ通信の際に適用した場合について説明する。
【０８４５】
基地局と端末が通信を行っており、基地局が本明細書で説明した「起動フレーム」を端末に対し送信し、端末は、「起動フレーム」を受信することで、端末が起動するものとする。
【０８４６】
このとき、「端末が「起動フレーム」を受信する前の端末の状態」（例えば、スリープ状態）は、「端末がＰＤＣＣＨ（Physical Downlink Control Channel）を復調していない状態、または、フレーム内に存在するＰＤＣＣＨを探索していない状態」であるものとする、としてもよい。なお、「端末が「起動フレーム」を受信する前の端末の状態」を「スリープ（Sleep）」と呼んでもよいし、「ディープスリープ（Deep Sleep）」、「ライトスリープ（Light Sleep）」、「マイクロスリープ（Micro Sleep）」と呼んでもよい。
【０８４７】
そして、端末は、「起動フレーム」を受信し、起動した状態となるが、このとき、起動した状態とは、「端末がＰＤＣＣＨを復調し、ＰＤＣＣＨに含まれているデータを得ている状態」を意味する、としてもよい。
【０８４８】
（補足３）
実施の形態１において、通信装置１０３が、図４「起動フレーム４０１」を送信することを説明している。
【０８４９】
そして、「起動フレーム４０１」の例として図７の構成を説明しており、通信方式の通信を起動しない（wake up）しないを指定することができることを記載している。また、通信方式の通信をスリープすることを指定することができることを記載している。
【０８５０】
また、この点については、他の実施の形態でも説明を行っている。
【０８５１】
つまり、通信装置１０３は、起動フレーム、起動関連データシンボルなどの制御情報シンボルなどによって、端末に、スリープを指示する情報（例えば、「go-to-sleep」など）を伝送してもよいことになる。
【０８５２】
（補足４）
本明細書では、例えば、図２などの構成をもつ端末において、基地局、通信装置が「送受信装置の起動」、「機器動作機能の起動」の２段階で指示し、端末の「送受信装置の起動」、「機器動作機能の起動」を行う例を説明した。このように、端末の機能を多段階で起動（multi-stage wake up）するように、基地局、通信装置が、起動関連の情報を含む変調信号を送信してもよい。
【０８５３】
なお、基地局、通信装置によって、端末の機能を多段階で起動する例はこれに限ったものではない。以下では、これとは異なる例を説明する。
【０８５４】
図３９は、例えば、図１において、通信装置１０３が端末に「起動フレーム」を送信した際の動作例を示している。図３９において、横軸は時間であり、通信装置１０３の時間的動作については２０００に示しており、１００１の端末＃１の時間的動作については２０５１に示している。
【０８５５】
図３９に示すように、通信装置１０３は、第１起動フレーム３９０１を送信する。このとき、第１起動フレーム３９０１は、「受信機能の起動を指示する情報」を含んでいるものとする。すると、１００１の端末＃１は、第１起動フレーム３９０１を受信し、例えば、第１起動フレーム３９０１の指示に従い、受信機能を起動するものとする。
【０８５６】
そして、通信装置１０３は、第２起動フレーム３９０２を送信する。このとき、第２起動フレーム３９０２は、「送信機能の起動を指示する情報」を含んでいるものとする。すると、１００１の端末＃１は、第２起動フレーム３９０２を受信し、例えば、第２起動フレーム３９０２の指示に従い、送信機能を起動するものとする。
【０８５７】
また、別の例として、図３９に示すように、通信装置１０３は、第１起動フレーム３９０１を送信する。このとき、第１起動フレーム３９０１は、「ＰＤＣＣＨの復調機能の起動を指示する情報」を含んでいるものとする。すると、１００１の端末＃１は、第１起動フレーム３９０１を受信し、例えば、第１起動フレーム３９０１の指示に従い、ＰＤＣＣＨの復調機能を起動するものとする。
【０８５８】
そして、通信装置１０３は、第２起動フレーム３９０２を送信する。このとき、第２起動フレーム３９０２は、「送信機能の起動を指示する情報」を含んでいるものとする。すると、１００１の端末＃１は、第２起動フレーム３９０２を受信し、例えば、第２起動フレーム３９０２の指示に従い、送信機能を起動するものとする。
【０８５９】
さらに別の例として、図３９に示すように、通信装置１０３は、第１起動フレーム３９０１を送信する。このとき、第１起動フレーム３９０１は、「ＰＤＣＣＨの探索機能の起動を指示する情報」を含んでいるものとする。すると、１００１の端末＃１は、第１起動フレーム３９０１を受信し、例えば、第１起動フレーム３９０１の指示に従い、ＰＤＣＣＨの探索機能を起動するものとする。
【０８６０】
そして、通信装置１０３は、第２起動フレーム３９０２を送信する。このとき、第２起動フレーム３９０２は、「送信機能の起動を指示する情報」を含んでいるものとする。すると、１００１の端末＃１は、第２起動フレーム３９０２を受信し、例えば、第２起動フレーム３９０２の指示に従い、送信機能を起動するものとする。
【０８６１】
なお、図３９において、通信装置１０３は、第１起動フレーム３９０１に含まれる情報と第２起動フレーム３９０２に含まれる情報をあわせて、フレームを構成し、送信してもよい。また、図３９において、通信装置１０３は、第１起動フレーム３９０１をデータシンボルとして送信してもよい。同様に、図３９において、通信装置１０３は、第２起動フレーム３９０２をデータシンボルとして送信してもよい。
【０８６２】
図４０は、例えば、図１において、通信装置１０３が端末に「起動フレーム」を送信した際の動作例を示している。図４０において、横軸は時間であり、通信装置１０３の時間的動作については２０００に示しており、１００１の端末＃１の時間的動作については２０５１に示している。
【０８６３】
図４０に示すように、通信装置１０３は、第１起動フレーム３９０１を送信する。このとき、第１起動フレーム３９０１は、「第１の送受信機能の起動を指示する情報」を含んでいるものとする。すると、１００１の端末＃１は、第１起動フレーム３９０１を受信し、例えば、第１起動フレーム３９０１の指示に従い、第１の送受信機能を起動するものとする。
【０８６４】
そして、通信装置１０３は、第２起動フレーム３９０２を送信する。このとき、第２起動フレーム３９０２は、「第２の送受信機能の起動を指示する情報」を含んでいるものとする。すると、１００１の端末＃１は、第２起動フレーム３９０２を受信し、例えば、第２起動フレーム３９０２の指示に従い、第２の送受信機能を起動するものとする。
【０８６５】
さらに、通信装置１０３は、第３起動フレーム３９０３を送信する。このとき、第３起動フレーム３９０３は、「第３の送受信機能の起動を指示する情報」を含んでいるものとする。すると、１００１の端末＃１は、第３起動フレーム３９０３を受信し、例えば、第３起動フレーム３９０３の指示に従い、第３の送受信機能を起動するものとする。
【０８６６】
なお、図４０において、通信装置１０３は、第１起動フレーム３９０１に含まれる情報、第２起動フレーム３９０２に含まれる情報、第３起動フレーム３９０３に含まれる情報をあわせて、フレームを構成し、送信してもよい。また、図４０において、通信装置１０３は、第１起動フレーム３９０１をデータシンボルとして送信してもよい。同様に、図４０において、通信装置１０３は、第２起動フレーム３９０２をデータシンボルとして送信してもよい。また、通信装置１０３は、第３フレーム３９０３をデータシンボルとして送信してもよい。
【０８６７】
図４１は、例えば、図１において、通信装置１０３が端末に「起動フレーム」を送信した際の動作例を示している。図４１において、横軸は時間であり、通信装置１０３の時間的動作については２０００に示しており、１００１の端末＃１の時間的動作については２０５１に示している。
【０８６８】
図４１に示すように、通信装置１０３は、第１起動フレーム３９０１を送信する。このとき、第１起動フレーム３９０１は、「第１のチャネルの送受信機能の起動を指示する情報」を含んでいるものとする。すると、１００１の端末＃１は、第１起動フレーム３９０１を受信し、例えば、第１起動フレーム３９０１の指示に従い、第１のチャネルの送受信機能を起動するものとする。
【０８６９】
そして、通信装置１０３は、第２起動フレーム３９０２を送信する。このとき、第２起動フレーム３９０２は、「第２のチャネルの送受信機能の起動を指示する情報」を含んでいるものとする。すると、１００１の端末＃１は、第２起動フレーム３９０２を受信し、例えば、第２起動フレーム３９０２の指示に従い、第２のチャネルの送受信機能を起動するものとする。
【０８７０】
さらに、通信装置１０３は、第３起動フレーム３９０３を送信する。このとき、第３起動フレーム３９０３は、「第３のチャネルの送受信機能の起動を指示する情報」を含んでいるものとする。すると、１００１の端末＃１は、第３起動フレーム３９０３を受信し、例えば、第３起動フレーム３９０３の指示に従い、第３のチャネルの送受信機能を起動するものとする。
【０８７１】
なお、図４１において、通信装置１０３は、第１起動フレーム３９０１に含まれる情報、第２起動フレーム３９０２に含まれる情報、第３起動フレーム３９０３に含まれる情報をあわせて、フレームを構成し、送信してもよい。また、図４１において、通信装置１０３は、第１起動フレーム３９０１をデータシンボルとして送信してもよい。同様に、図４１において、通信装置１０３は、第２起動フレーム３９０２をデータシンボルとして送信してもよい。また、通信装置１０３は、第３フレーム３９０３をデータシンボルとして送信してもよい。
【０８７２】
図４２は、例えば、図１において、通信装置１０３が端末に「起動フレーム」を送信した際の動作例を示している。図４２において、横軸は時間であり、通信装置１０３の時間的動作については２０００に示しており、１００１の端末＃１の時間的動作については２０５１に示している。
【０８７３】
図４２に示すように、通信装置１０３は、第１起動フレーム３９０１を送信する。このとき、第１起動フレーム３９０１は、「第１レイヤーの処理の起動を指示する情報」を含んでいるものとする。すると、１００１の端末＃１は、第１起動フレーム３９０１を受信し、例えば、第１起動フレーム３９０１の指示に従い、第１レイヤーの処理の機能を起動するものとする。
【０８７４】
そして、通信装置１０３は、第２起動フレーム３９０２を送信する。このとき、第２起動フレーム３９０２は、「第２レイヤーの処理の起動を指示する情報」を含んでいるものとする。すると、１００１の端末＃１は、第２起動フレーム３９０２を受信し、例えば、第２起動フレーム３９０２の指示に従い、第２レイヤーの処理機能を起動するものとする。
【０８７５】
なお、Evolved Universal Terrestrial Radio Access（Ｅ−ＵＴＲＡ）、ＬＴＥ（Long Term Evolution）、ＬＴＥ  Ａｄｖａｎｃｅｄ、ＮＲ（New Radio）、New Radio Access、Non-terrestrial Networksなどのセルラ通信において、レイヤーには、例えば、「ＰＨＹ層（Physical Layer）、ＭＡＣ層（Medium Access Control Layer）、ＲＬＣ層（Radio Link Control Layer）、ＰＤＣＰ層（Packet Data Convergence Protocol Layer）、ＲＲＣ層（Radio Resource Control Layer）、ＮＡＳ層（Non-Access Stratum Layer）など」がある。
【０８７６】
なお、図４２において、通信装置１０３は、第１起動フレーム３９０１に含まれる情報と第２起動フレーム３９０２に含まれる情報をあわせて、フレームを構成し、送信してもよい。また、図４２において、通信装置１０３は、第１起動フレーム３９０１をデータシンボルとして送信してもよい。同様に、図４２において、通信装置１０３は、第２起動フレーム３９０２をデータシンボルとして送信してもよい。
【０８７７】
図３９、図４０、図４１、図４２において、２または３段階の起動の例について説明したが、４段階以上の起動を行ってもよい。また、図３９から図４２の起動を組み合わせて実施してもよい。
【０８７８】
以上のように、端末には、複数の機能があり、各機能に対しスリープ状態があり、通信装置は、端末の起動したい機能を指定する起動フレームを送信し、端末は、この起動フレームに基づいて、通信装置が所望する機能を起動するものとする。このように、より、細かく起動を行うことで、好適な起動制御と端末の消費電力の制御を行うことができるという効果を得ることができる。
【０８７９】
（補足５）
ここでは、本明細書で説明した起動フレームの送信方法の変形例について説明する。
【０８８０】
第１の例：
例えば、図１０のような状態を考える。通信装置１０３は、１０１の端末＃１、１００２の端末＃２、１００３の端末＃３と通信が可能であるものとする。これに加え、通信装置１０３は、１００４の端末＃４と通信が可能であるものとする。
【０８８１】
図４３は、通信装置１０３が送信する変調信号のフレーム構成の一例を示しており、横軸は周波数（キャリア）、縦軸は時間であるものとする。通信装置１０３は、ＯＦＤＭ（Orthogonal Frequency Division Multiplexing）などのマルチキャリア伝送方式を用いて、変調信号を送信するものとする。また、通信装置１０３は、ＯＦＤＭＡ（Orthogonal Frequency Division Multiple Access）などのマルチプルアクセスを用いているものとする。
【０８８２】
通信装置１０３は、第１の周波数領域で構成された第１チャネル４３０１を用いて、１０１の端末＃１宛の変調信号を送信するものとする。通信装置１０３は、第２の周波数領域で構成された第２チャネル４３０２を用いて、１００２の端末＃２宛の変調信号を送信するものとする。通信装置１０３は、第３の周波数領域で構成された第３チャネル４３０３を用いて、１００３の端末＃３宛の変調信号を送信するものとする。通信装置１０３は、第４の周波数領域で構成された第４チャネル４３０４を用いて、１００４の端末＃４宛の変調信号を送信するものとする。
【０８８３】
図４３において、第１チャネル４３０１を用いて、起動フレーム４３５１を送信するものとする。このとき、起動フレーム４３５１は、１０１の端末＃１を起動するための起動フレームであるものとする。なお、起動フレーム４３５１以降に通信装置１０３が送信するシンボルについては、図４３では記載していない。よって、起動フレーム４３５１以降に、通信装置１０３は、１０１の端末＃１に対し、シンボルを送信してもよい。
【０８８４】
図４３において、第２チャネル４３０２では、起動フレームが存在していないものとする。この場合、１００２の端末＃２はすでに起動している、または、１００２の端末＃２を起動しないという状態が考えられる。
【０８８５】
図４３において、第３チャネル４３０３を用いて、起動フレーム４３５３を送信するものとする。このとき、起動フレーム４３５３は、１００３の端末＃３を起動するための起動フレームであるものとする。なお、起動フレーム４３５３以降に通信装置１０３が送信するシンボルについては、図４３では記載していない。よって、起動フレーム４３５３以降に、通信装置１０３は、１００３の端末＃３に対し、シンボルを送信してもよい。
【０８８６】
図４３において、第４チャネル４３０４を用いて、起動フレーム４３５４を送信するものとする。このとき、起動フレーム４３５４は、１００４の端末＃４を起動するための起動フレームであるものとする。なお、起動フレーム４３５３以降に通信装置１０３が送信するシンボルについては、図４３では記載していない。よって、起動フレーム４３５４以降に、通信装置１０３は、１００４の端末＃４に対し、シンボルを送信してもよい。
【０８８７】
なお、図４３における起動フレームは、本明細書で記載した端末の通信機能を起動する情報、端末の機器機能を起動する情報、端末の通信機能をスリープするための情報、端末の機器機能をスリープするための情報、いずれの情報を含んでいてもよい。
【０８８８】
第２の例：
例えば、図１０のような状態を考える。通信装置１０３は、１０１の端末＃１、１００２の端末＃２、１００３の端末＃３と通信が可能であるものとする。
【０８８９】
図４４は、通信装置１０３が送信する変調信号のフレーム構成の一例を示しており、横軸は周波数（キャリア）、縦軸は時間であるものとする。通信装置１０３は、ＯＦＤＭなどのマルチキャリア伝送方式を用いて、変調信号を送信するものとする。また、通信装置１０３は、ＯＦＤＭＡなどのマルチプルアクセスを用いているものとする。
【０８９０】
通信装置１０３は、第１の周波数領域で構成された第１チャネル４３０１を用いて、１０１の端末＃１宛の変調信号を送信するものとする。通信装置１０３は、第２の周波数領域で構成された第２チャネル４３０２を用いて、１００２の端末＃２宛の変調信号を送信するものとする。通信装置１０３は、第３の周波数領域で構成された第３チャネル４３０３を用いて、１００３の端末＃３宛の変調信号を送信するものとする。通信装置１０３は、第４の周波数領域で構成された第４チャネル４３０４を用いて、端末を起動するための起動フレームを含む制御情報シンボルを送信するものとする。つまり、第４チャネル４３０４は制御チャネル、または、起動フレームを送信するためのチャネル（起動フレーム送信チャネル）であるものとする。
【０８９１】
図４４において、例えば、１０１の端末＃１、１００２の端末＃２，１００３の端末＃３はスリープ状態であるものとする。例えば、スリープ状態の端末は、第４チャネル４３０４の受信を行っているものとする。
【０８９２】
そして、通信装置１０３は、第４チャネル４３０４を用いて、起動フレーム４４００を送信するものとする。例えば、起動フレーム４４００は、１０１の端末＃１、および、１００３の端末＃３に対し、「起動」という指示の情報を含んでいるものとする。
【０８９３】
すると、１０１の端末＃１は、起動フレーム４４００を受信し、起動フレーム４４００に含まれている情報に基づき、起動することになる。同様に、１００３の端末＃３は、起動フレームを受信し、起動フレーム４４００に含まれている情報に基づき、起動することになる。
【０８９４】
そして、通信装置１０３は、起動フレーム４４００以降に、例えば、第１チャネル４３０１を用いて、１０１の端末＃１宛のシンボルを送信してもよい。同様に、通信装置１０３は、起動フレーム４４００以降に、例えば、第３チャネル４３０３を用いて、１００３の端末＃３宛のシンボルを送信してもよい。
【０８９５】
なお、１００３の端末＃３は起動していないことになる。したがって、通信装置１０３は、１００３の端末＃３宛のシンボルは送信しないことになる。
【０８９６】
なお、図４４における起動フレームは、本明細書で記載した端末の通信機能を起動する情報、端末の機器機能を起動する情報、端末の通信機能をスリープするための情報、端末の機器機能をスリープするための情報、いずれの情報を含んでいてもよい。
【０８９７】
次に、その後の動作例について説明する。前述のように、１０１の端末＃１、および、１００３の端末＃３は起動しており、通信装置１０３は、１０１の端末＃１宛のシンボルを送信するために第１チャネル４３０１、１００３の端末＃３宛のシンボルを送信するために第３チャネル４３０３を使用している。
【０８９８】
図４５に示すように、通信装置１０３は、第１チャネル４３０１を用いて、１０１の端末＃１に対し、起動フレーム４３５１を送信する。このとき、起動フレーム４３５１は、１０１の端末＃１に対し、「スリープ」指示の情報を含んでいるものとする。
【０８９９】
また、図４５に示すように、通信装置１０３は、第３チャネル４３０３を用いて、１００３の端末＃３に対し、起動フレーム４３５３を送信する。このとき、起動フレーム４３５３は、１００３の端末＃３に対し、「スリープ」指示の情報を含んでいるものとする。
【０９００】
つまり、図４４の起動フレーム送信方法と図４５の起動フレーム送信方法を併用してもよい。上記の例の場合、スリープしている状態の端末は、第４チャネル４３０４を復調し、起動している状態の端末は、通信装置１０３と通信を行うために使用するチャネルを復調することになり、これにより、端末は、復調するチャネルを限定することができるため、消費電力を提言することができるという効果を得ることができる。
【０９０１】
（補足６）
本明細書で説明した基地局、通信装置の動作を、「アクセスポイント、マスターアクセスポイント、スレーブアクセスポイント、中継器、放送局、端末、スマートフォン、携帯電話、ゲートウェイ、コントローラ、サーバー、コンピュータ、テレビ、家庭用電気機械器具、タブレット、スマートスピーカ、スマートディスプレイ、車、飛行機、船舶、自転車、カメラなど」が行ってもよい。
【０９０２】
また、本明細書で説明した端末の動作を、「基地局、アクセスポイント、マスターアクセスポイント、スレーブアクセスポイント、中継器、スマートフォン、携帯電話、ゲートウェイ、コントローラ、サーバー、コンピュータ、テレビ、家庭用電気機械器具、タブレット、スマートスピーカ、スマートディスプレイ、車、飛行機、船舶、自転車、カメラなど」が行ってもよい。
【０９０３】
本明細書で説明した通信装置が送信する起動フレームにおいて、例えば、端末に対し、起動を指示し、その後、スリープを指示し、再度起動を指示してもよく、また、再度スリープを指示してもよい、つまり、起動フレームが、再度起動の指示情報、再度スリープの指示情報を含んでもよい。
【０９０４】
また、起動フレームが、例えば、図９のような構成であり、図９における「起動する通信方式の対象となる」端末の情報９０１と記載しているが、「起動する通信方式の対象となる」端末の情報９０１は、「起動、スリープ、再起動、再スリープなどの通信方式の対象となる」端末の情報であってもよい。また、「起動する通信方式の情報８０１」は、「起動、スリープ、再起動、再スリープなどの通信方式の情報」であってもよい。そして、「起動する通信方式」の通信方式に関する情報８０２は、「起動、スリープ、再起動、再スリープなどの通信方式」の通信方式に関する情報であってもよい。
【０９０５】
また、「起動、スリープ、再起動、再スリープなどの通信方式の対象となる」端末の情報は、マルチキャスト、ユニキャストに加え、一つ以上の端末を指定、例えば、グループキャストを指定できてもよい。
【０９０６】
例えば、「起動、スリープ、再起動、再スリープなどの通信方式の対象となる」端末の情報により、グループキャストが指定された際、例えば、以下のように端末を指定してもよい。
・通信方式ＡのバージョンＸに対応した端末
・報知情報を受信可能な端末
・緊急情報を受信可能な端末
・領域Ｂに存在する端末
・車両（Vehicle）に搭載されている端末
・普通車に搭載されている端末
・自動運転に対応した車両に搭載されている端末
・大型車に搭載されている端末
・高速道路走行中の車両に搭載されている端末
【０９０７】
なお、上記は、あくまでも例であり、グループキャストによる端末の指定方法は上記の暦に限ったものではない。例えば、複数の条件を組み合わせて端末を指定してもよい。
【０９０８】
上で例示した「起動、スリープ、再起動、再スリープなどの通信方式の対象となる」の条件を満たすか否かを端末が判定する処理について説明する。端末は、例えば、起動フレームを受信する送受信装置が備える記憶部または当該送受信装置からアクセス可能な記憶部に、条件の判定に必要な情報を格納しておく。端末は、起動フレームを受信すると起動フレームで指定された条件と、上記記憶部に記憶された情報との比較を行い、条件に該当すると判定された場合に送受信装置または機器動作機能の起動、または、スリープ、または、再起動、または、再スリープを行う。
【０９０９】
なお、指定された条件の判定に必要な情報を取得するために、起動フレームを受信した送受信装置とは異なる他の装置、例えば起動対象となる送受信装置や端末が備えるその他の機器の起動が必要となる場合、当該他の機器を起動して条件の判定に必要な情報を取得した後で条件の判定を行い、条件を満たすと判断された場合に起動フレームで指定された起動、スリープ、再起動、再スリープなどの処理を実施する。このとき、条件を指定する情報は、例えば、当該他の機器の起動後に受信される図３９、図４０、図４１における第２起動フレームや第３起動フレームに格納されていてもよい。
【０９１０】
なお、条件を指定する情報は、当該他の機器の起動前に受信される起動フレームに格納されていてもよい。このとき端末は、受信した起動フレームで指定された条件の判定のために他の機器から情報の取得が必要になると判断した場合に、他の機器の起動と条件の判定に必要な情報の取得を行い、条件の判定を行う。さらに、端末は、条件の判定の結果が否定である場合や、条件の判定結果が肯定であるが起動フレームで指定された起動動作が他の機器と関係しない場合は、起動した他の機器をスリープまたは再スリープさせてもよい。
【０９１１】
また、例えば、第２起動フレームや第３起動フレームで指定された条件を端末が満たさない場合、端末は第１起動フレームなどの事前に受信した起動フレームに基づいて起動した送受信装置または送受信装置の一部の機能を自動的にスリープさせてもよい。なお、端末は、受信した起動フレームに基づいて起動した送受信装置または送受信装置の一部の機能を自動的にスリープさせるのではなく、第２起動フレームや第３起動フレームに当該フレームで指定した条件を満たさない場合に事前に受信した起動フレームで起動した装置または機能をスリープ（またはキャンセル）させるか否かを示す情報を格納して、事前に受信した起動フレームで起動した装置または機能をスリープさせるか否かを制御してもよい。
【０９１２】
なお、事前に受信した起動フレームが複数ある場合、各起動フレームを識別可能なフレーム識別子を各起動フレームに格納して送信し、スリープ（またはキャンセル）させる機器または機能の起動を指示した起動フレームを指定できるようにしてもよい。また、一つの起動フレームで複数の起動指示を通知している場合、各起動指示を識別可能な起動指示識別子を各起動指示と共に格納して送信し、スリープ（またはキャンセル）させる機器または機能に対応する起動指示を後から送信される起動フレームにおいて指定できるようにしてもよい。
【０９１３】
上記の構成によると、端末が備える送受信装置などの装置や機器動作機能、レイヤー機能などを複数の段階に分けて起動指示できるようになり、起動の目的に応じて柔軟な起動指示を行うことが可能となる。また、起動させた端末が備える送受信装置などの装置や機器動作機能、レイヤー機能などに対するスリープ（または起動のキャンセル）指示を容易に指定できるようになり、柔軟な機器制御を促進することができる。
【０９１４】
なお、第一モードとは、機器の通信装置が、第一フィールドを少なくとも含むフレームの受信待ちを行うモードであり、より特定的には、第一フィールドを少なくとも含むフレームの受信待ちをするための専用のモードである。これに対し、第二モードとは、通常のフレームの送受信を行うモードである。第一モードは、スリープ状態に対応しており、第二モードは、スリープ状態でない、通常の状態に対応している。
【０９１５】
（実施の形態７）
本実施の形態では、上記各実施の形態の送信装置及び受信装置の構成及び処理の変形例について説明する。
【０９１６】
図３１は、送信装置３１０１の構成の一例を示す図である。
【０９１７】
図３１に示されるように、送信装置３１０１は、所定のフレームフォーマットに従うフレームを生成する生成部３１０２と、生成部３１０２が生成したフレームを送信する通信部３１０３とを備え、所定のフレームフォーマットは、所定のフレームフォーマットに従うフレームを受信した装置による起動処理に関する情報が有効であるか否かを示す第一フィールドを含んでおり、さらに、上記情報が有効であることを第一フィールドが示しているときには、上記装置の識別情報を示す第二フィールドを含んでいる。
【０９１８】
これにより、送信装置３１０１は、フレームを受信した装置による起動処理の実行を適切に制御するという新たな機能を提供し得る。
【０９１９】
図３２は、受信装置３２０１の構成の一例を示す図である。
【０９２０】
図３２に示されるように、受信装置３２０１は、第一モード及び第二モードのいずれか一方の動作モードで動作する通信部３２０２と、通信部３２０２が受信した、所定のフレームフォーマットに従う受信フレームに基づいて、通信部３２０２の動作モードを制御する制御部３２０３とを備え、所定のフレームフォーマットは、所定のフレームフォーマットに従うフレームを受信した装置による起動処理に関する情報が有効であるか否かを示す第一フィールドを含んでおり、さらに、上記情報が有効であることを第一フィールドが示しているときには、上記装置の識別情報を示す第二フィールドを含んでおり、第一モードは、第一フィールドを少なくとも含むフレームの受信待ちを通信部３２０２が行うモードであり、第二モードは、通常のデータフレームの送受信を通信部３２０２が行うモードであり、起動処理は、通信部３２０２を第一モードから第二モードに遷移させる処理であり、制御部３２０３は、通信部３２０２が第一モードで動作しているときに受信した受信フレームの第一フィールドが、上記情報が有効であることを示しており、かつ、受信フレームの第二フィールドが受信装置３２０１の識別子を示しているときに、起動処理を実行する。
【０９２１】
これにより、受信装置３２０１は、受信したフレームに基づいて起動処理の実行を適切に制御するという新たな機能を提供し得る。
【０９２２】
図３３は、送信装置３１０１の処理である送信方法の一例を示す図である。
【０９２３】
図３３に示されるように、送信方法は、所定のフレームフォーマットに従うフレームを生成する生成ステップＳ３３０１と、生成ステップＳ３３０１で生成したフレームを送信する送信ステップＳ３３０２とを含み、所定のフレームフォーマットは、所定のフレームフォーマットに従うフレームを受信した装置による起動処理に関する情報が有効であるか否かを示す第一フィールドを含んでおり、さらに、上記情報が有効であることを第一フィールドが示しているときには、上記装置の識別情報を示す第二フィールドを含んでいる。
【０９２４】
これにより、送信装置３１０１は、フレームを受信した装置による起動処理の実行を適切に制御するという新たな機能を提供し得る。
【０９２５】
図３４は、受信装置３２０１の処理である受信方法の一例を示す図である。
【０９２６】
図３４に示されるように、受信方法は、通信部３２０２によりフレームを受信する受信ステップＳ３４０１と、通信部３２０２が受信したフレームである、所定のフレームフォーマットに従う受信フレームに基づいて、通信部３２０２の動作モードを制御する制御ステップＳ３４０２を含み、所定のフレームフォーマットは、所定のフレームフォーマットに従うフレームを受信した装置による起動処理に関する情報が有効であるか否かを示す第一フィールドを含んでおり、さらに、上記情報が有効であることを第一フィールドが示しているときには、上記装置の識別情報を示す第二フィールドを含んでおり、第一モードは、第一フィールドを少なくとも含むフレームの受信待ちを通信部３２０２が行うモードであり、第二モードは、通常のデータフレームの送受信を通信部３２０２が行うモードであり、起動処理は、通信部３２０２を第一モードから第二モードに遷移させる処理であり、制御ステップＳ３４０２は、通信部３２０２が第一モードで動作しているときに受信した受信フレームの第一フィールドが、上記情報が有効であることを示しており、かつ、受信フレームの第二フィールドが受信装置３２０１の識別子を示しているときに、起動処理を実行する。
【０９２７】
これにより、受信装置３２０１は、受信したフレームに基づいて起動処理の実行を適切に制御するという新たな機能を提供し得る。
【０９２８】
なお、上記の実施の形態の一部又は全部は、以下の付記のようにも記載され得るが、以下の記載に限定されない。
【０９２９】
（１）複数の通信部を備える通信装置であって、第１の通信装置と通信を行う第１の通信部と、第１スリープ状態と第１動作状態を含む複数の状態を切り替え、前記第１動作状態において第２の通信方式を用いて通信を行う第２の通信部と、第２スリープ状態と第２動作状態を含む複数の状態を切り替え、前記第２動作状態において第３の通信方式を用いて通信を行う第３の通信部と、第３スリープ状態と第３動作状態を含む複数の状態を切り替え、前記第３動作状態において指定された処理を行う動作部と、前記第２の通信部、前記第３の通信部および動作部を制御する制御部と、を備え、前記制御部は、前記第１の通信部が前記第１スリープ状態であり、前記第２の通信部が前記第２スリープ状態であり、かつ、前記動作部が前記第３スリープ状態である場合に、  前記第１の通信部が、前記第１の通信装置から、前記第２の通信部または前記第３の通信部を指定する情報と、前記動作部で動作させる処理を指定する情報とを含む動作切り替え指示信号を受信し、前記動作切り替え指示信号に基づいて、前記第２の通信部または前記第３の通信部のいずれかの状態の切り替え、前記動作部の状態を切り替え、動作状態の切り替えた前記第２の通信部または前記第３の通信部において受信したデータを用いて、前記動作部に指定された処理を実行する、通信装置。
【０９３０】
（２）複数の通信部を備える装置が実施する通信方法であって、前記装置は、第１の通信装置と通信を行う第１の通信部と、第１スリープ状態と第１動作状態を含む複数の状態を切り替え、前記第１動作状態において第２の通信方式を用いて通信を行う第２の通信部と、第２スリープ状態と第２動作状態を含む複数の状態を切り替え、前記第２動作状態において第３の通信方式を用いて通信を行う第３の通信部と、第３スリープ状態と第３動作状態を含む複数の状態を切り替え、前記第３動作状態において指定された処理を行う動作部と、を備え、前記第１の通信部が前記第１スリープ状態であり、前記第２の通信部が前記第２スリープ状態であり、かつ、前記動作部が前記第３スリープ状態である場合に、前記第１の通信部が、前記第１の通信装置から、前記第２の通信部または前記第３の通信部を指定する情報と、前記動作部で動作させる処理を指定する情報とを含む動作切り替え指示信号を受信すると、前記動作切り替え指示信号に基づいて、前記第２の通信部または前記第３の通信部のいずれかの状態の切り替え、前記動作部の状態を切り替え、動作状態の切り替えた前記第２の通信部または前記第３の通信部において受信したデータを用いて、前記動作部に指定された処理を実行する、通信方法。
【０９３１】
これによれば、第１の通信装置を具備する装置、および、第１の通信装置を具備するシステムに関して、例えば、消費電力のさらなる低減、第１の通信方式を用いた新たな機能の提供、複数の通信方式を組み合わせた新たな機能の提供などの様々な要望のうちの一つまたは複数の実現を促進、または貢献することができる。
【０９３２】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０９３３】
なお、例えば、上記通信方法を実行するプログラムを予めＲＯＭに格納しておき、そのプログラムをＣＰＵによって動作させるようにしても良い。
【０９３４】
また、上記通信方法を実行するプログラムをコンピュータで読み取り可能な記憶媒体に格納し、記憶媒体に格納されたプログラムをコンピュータのＲＡＭに記録して、コンピュータをそのプログラムにしたがって動作させるようにしても良い。
【０９３５】
そして、上記の各実施の形態などの各構成は、典型的には、入力端子及び出力端子を有する集積回路であるＬＳＩとして実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡや、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０９３６】
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵの少なくとも一方を動作させることにより、本開示において説明したデジタル信号処理を実行するようにしてもよい。
【０９３７】
このとき、ＦＰＧＡおよびＣＰＵの少なくとも一方を具備する機器は、通信モデムと無線または有線で接続し、この機器と通信モデムにより、本開示において説明した通信方法を実現してもよい。
【０９３８】
例えば、本明細書で記載した基地局、ＡＰ、端末などの通信装置が、ＦＰＧＡおよび、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【産業上の利用可能性】
【０９３９】
本開示は、例えば、スリープ状態をとり得る通信装置において有用である。
【符号の説明】
【０９４０】
１００          基地局
１０１          端末
１０３          通信装置
２０５          第１の送受信装置
２０８          制御判断部
２１０          機器動作機能
２１５          第２の送受信装置
２２５          第３の送受信装置
１１０１        Ｇａｔｅｗａｙ
１１０２        コントローラ
１１０３        通信装置
３１０１        送信装置
３１０２        生成部
３１０３、３２０２        通信部
３２０１        受信装置
３２０３        制御部
【図１】
2019167915.tif 000003
【図２】
2019167915.tif 000004
【図３】
2019167915.tif 000005
【図４】
2019167915.tif 000006
【図５】
2019167915.tif 000007
【図６】
2019167915.tif 000008
【図７】
2019167915.tif 000009
【図８】
2019167915.tif 000010
【図９】
2019167915.tif 000011
【図１０】
2019167915.tif 000012
【図１１】
2019167915.tif 000013
【図１２】
2019167915.tif 000014
【図１３】
2019167915.tif 000015
【図１４】
2019167915.tif 000016
【図１５】
2019167915.tif 000017
【図１６】
2019167915.tif 000018
【図１７】
2019167915.tif 000019
【図１８】
2019167915.tif 000020
【図１９】
2019167915.tif 000021
【図２０】
2019167915.tif 000022
【図２１】
2019167915.tif 000023
【図２２】
2019167915.tif 000024
【図２３】
2019167915.tif 000025
【図２４】
2019167915.tif 000026
【図２５】
2019167915.tif 000027
【図２６】
2019167915.tif 000028
【図２７】
2019167915.tif 000029
【図２８】
2019167915.tif 000030
【図２９】
2019167915.tif 000031
【図３０】
2019167915.tif 000032
【図３１】
2019167915.tif 000033
【図３２】
2019167915.tif 000034
【図３３】
2019167915.tif 000035
【図３４】
2019167915.tif 000036
【図３５】
2019167915.tif 000037
【図３６】
2019167915.tif 000038
【図３７】
2019167915.tif 000039
【図３８】
2019167915.tif 000040
【図３９】
2019167915.tif 000041
【図４０】
2019167915.tif 000042
【図４１】
2019167915.tif 000043
【図４２】
2019167915.tif 000044
【図４３】
2019167915.tif 000045
【図４４】
2019167915.tif 000046
【図４５】
2019167915.tif 000047
【国際調査報告】
2019167915.tif 000048
2019167915.tif 000049